【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
植物成長に利益を与え、または感受性植物において病原体感染に対する保護を与えることの１つまたは両方を植物に適用するための、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物を含む組成物。
【請求項２】
前記組成物は液体の形態であり、バチルス・ベレゼンシスＲＴＩ３０１は、１．０×１０８ＣＦＵ／ｍｌ〜１．０×１０１２ＣＦＵ／ｍｌの濃度で存在する、請求項１の組成物。
【請求項３】
前記組成物は、粉剤、乾燥水和性粉末剤、展延性顆粒剤、または乾燥水和性顆粒剤の形態であり、バチルス・ベレゼンシスＲＴＩ３０１は、１．０×１０８ＣＦＵ／ｇ〜１．０×１０１２ＣＦＵ／ｇの量で存在する、請求項１の組成物。
【請求項４】
前記組成物は、油分散体の形態であり、バチルス・ベレゼンシスＲＴＩ３０１は、１．０×１０８ＣＦＵ／ｍｌ〜１．０×１０１２ＣＦＵ／ｍｌの濃度で存在する、請求項１の組成物。
【請求項５】
植物成長に利益を与え、および／または感受性植物において病原体感染に対する保護を与えるのに適した量で存在する、微生物学的、生物学的もしくは化学的な、殺虫剤、殺真菌剤、殺線虫剤、殺細菌剤、除草剤、植物抽出物、植物成長調整剤または肥料の１つまたは組み合わせをさらに含む、請求項１の組成物。
【請求項６】
植物成長に利益を与え、および／または感受性植物において病原体感染に対する保護を与えるのに適した量で存在する、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物の胞子、を含む組成物で被覆された植物種子。
【請求項７】
ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物を含む組成物を、植物成長に利益を与え、および／または感受性植物において病原体感染に対する保護を与えるのに適した量で、植物の葉、植物の樹皮、植物の果実、植物の花、植物の種子、植物の根、植物の切断片、植物の移植片、植物のカルス組織、植物の周囲の土壌もしくは成長培地、植物の種子を播種する前の土壌もしくは成長培地、または植物、植物切断片、植物移植片、もしくは植物カルス組織を植える前の土壌もしくは成長培地に送達することを含む、植物成長に利益を与えることまたは感受性植物において病原体感染に対する保護を与えることの１つまたは両方のための方法。
【請求項８】
植物の種子を植えること、または前記植物の植物性切断片／組織を適切な成長培地に再生することを含み、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物を含む組成物で、前記種子が被覆されているまたは前記植物性切断片／組織が接種され、前記種子または前記植物性切断片／組織から植物の成長に利益が与えられ、および／または病原体感染に対する保護が与えられる、植物成長に利益を与えることまたは感受性植物において病原体感染に対する保護を与えることの１つまたは両方のための方法。
【請求項９】
植物成長に利益を与え、および／または感受性植物において病原体感染に対する保護を与えるのに適した量で、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物を含む第１組成物、ならびに、
前記植物成長に利益を与え、および／または感受性植物において病原体感染に対する保護を与えるのに適した量で、微生物学的、生物学的もしくは化学的な、殺虫剤、殺真菌剤、殺線虫剤、殺細菌剤、除草剤、植物抽出物、植物成長調整剤または肥料の１つまたは組み合わせを含む第２組成物、
の組み合わせを、
植物の葉、植物の樹皮、植物の果実、植物の花、植物の種子、植物の根、植物の切断片、植物の移植片、植物のカルス組織、植物の周囲の土壌もしくは成長培地、植物の種子を播種する前の土壌もしくは成長培地、または植物、植物切断片、植物移植片、もしくは植物カルス組織を植える前の土壌もしくは生育培地に送達することを含む、植物成長に利益を与えること、または感受性植物において病原体感染に対する保護を与えることの１つまたは両方のための方法。
【請求項１０】
ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物、およびビフェントリン殺虫剤を含む、植物成長に利益を与える組成物。
【請求項１１】
ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物を含む第１組成物、
微生物学的、生物学的もしくは化学的な、殺虫剤、殺真菌剤、殺線虫剤、殺細菌剤、除草剤、植物抽出物、植物成長調整剤または肥料の１つまたは組み合わせを含む第２組成物、および、
植物の葉、植物の樹皮、植物の果実、植物の花、植物の種子、植物の根、植物の切断片、植物の移植片、植物のカルス組織、植物の周囲の土壌もしくは成長培地、植物の種子を播種する前の土壌もしくは成長培地、または植物、植物切断片、植物移植片、もしくは植物カルス組織を植える前の土壌もしくは生育培地に前記第１および第２組成物の組み合わせを、植物成長に利益を与える量で送達するための指示書を、
含み、
前記第１および第２組成物は別々に包装され、各組成物は、植物成長に利益を与えるまたは感受性植物において病原体感染に対する保護を与えることの１つまたは両方に適した量である、
製品。
【請求項１２】
前記殺虫剤は、チアメトキサム、ピレスロイド、ビフェントリン、テフルトリン、ゼータ−シペルメトリン、有機フォスフェート、クロレトキシフォス、クロルピリホス、テブピリムフォス、シフルトリン、フィプロール（ｆｉｐｒｏｌｅ）、フィプロニル、ニコチノイド、またはクロチアニジンの１つまたは組み合わせである、請求項１１の製品。
【請求項１３】
前記第１組成物は液体の形態であり、バチルス・ベレゼンシスＲＴＩ３０１は、１．０×１０８ＣＦＵ／ｍｌ〜１．０×１０１２ＣＦＵ／ｍｌの濃度で存在する、請求項１１の製品。
【請求項１４】
前記第１組成物は、粉剤、乾燥水和性粉末剤、展延性顆粒剤、または乾燥水和性顆粒剤の形態であり、バチルス・ベレゼンシスＲＴＩ３０１は、１．０×１０８ＣＦＵ／ｇ〜１．０×１０１２ＣＦＵ／ｇの量で存在する、請求項１１の製品。
【請求項１５】
前記第１組成物は、油分散体の形態であり、バチルス・ベレゼンシスＲＴＩ３０１は、１．０×１０８ＣＦＵ／ｍｌ〜１．０×１０１２ＣＦＵ／ｍｌの濃度で存在する、請求項１１の製品。
【手続補正２】
【補正対象書類名】明細書
【補正対象項目名】全文
【補正方法】変更
【補正の内容】
【発明の詳細な説明】
【発明の名称】バチルス・ベレゼンシス（ＢＡＣＩＬＬＵＳ  ＶＥＬＥＺＥＮＳＩＳ）ＲＴＩ３０１組成物および植物成長に利益を与えかつ植物病害を処置するための使用方法
【技術分野】
【０００１】
（関連出願の相互参照）
本願は、２０１４年１２月２９日に出願された米国仮出願第６２／０９７，２０３号の利益を主張し、その全体を参照をもって本願明細書に組み込む。
【０００２】
（技術分野）
本開示の主題は、植物成長に利益を与えかつ植物病害（複数可）を治療する、植物の葉、植物果実および花、植物の種子および根、ならびに植物の周りの土壌への適用のためのバチルス・ベレゼンシスＲＴＩ３０１の単離された株を含む組成物に関する。
【背景技術】
【０００３】
植物成長および健康に有益な効果を有するいくつかの微生物は、土壌中に存在し、根域（Ｐｌａｎｔ  Ｇｒｏｗｔｈ  Ｐｒｏｍｏｔｉｏｎ  Ｒｈｉｚｏｂａｃｔｅｒｉａ  「ＰＧＰＲ」）に特異的に生息する植物、または植物内のエンドファイト（ｅｎｄｏｐｈｙｔｅ）として存在することが知られている。それらの有益な植物成長促進特性には、窒素固定、鉄キレート化、リン酸可溶化、非有益な微生物の阻害、害虫抵抗性、誘発性全身抵抗性（ＩＳＲ）、全身獲得抵抗性（ＳＡＲ）、有用な土壌有機物の増加のための土壌中の植物材料の分解、および植物ホルモンの合成、例えば、植物の成長、発達、および干ばつなどの環境ストレスへの反応を刺激するインドール酢酸（ＩＡＡ）、アセトインおよび２，３−ブタネジオールを含む。さらに、これらの微生物は、前駆体分子である１−アミノシクロプロパン−１−カルボキシレート（ＡＣＣ）を分解することにより植物のエチレンストレス応答に干渉し得、それによって植物の成長を刺激し、果実の熟成を遅らせる。これらの有益な微生物は、土壌の品質、植物の生育、収量および作物の品質を改善することができる。種々の微生物は、植物病害を防除するのに有用であるような生物学的活性を示す。そのような生物農薬（生存生物およびこれらの生物によって天然に産生される化合物）は、合成肥料および農薬よりも安全で生分解性が高い。
【０００４】
限定されないが、ボトリチス属種（例えば、ボトリチス・シネレア）、フザリウム属種（Ｆｕｓａｒｉｕｍ  ｓｐｐ）（例えば、Ｆ．オキシスポラム（Ｆ．ｏｘｙｓｐｏｒｕｍ）およびＦ．グラミネアラム（Ｆ．ｇｒａｍｉｎｅａｒｕｍ））、リゾクトニア属種（Ｒｈｉｚｏｃｔｏｎｉａ  ｓｐｐ．）（例えばＲ．ソラニ（Ｒ．ｓｏｌａｎｉ））、マグナポルテ属種、マイコスフェレラ属種、プッチニア属種（例えばＰ．レコンディタ（Ｐ．ｒｅｃｏｎｄｉｔａ））、フィトプツロラ属種（Ｐｈｙｔｏｐｔｈｏｒａ  ｓｐｐ．）およびファコプソラ属種（Ｐｈａｋｏｐｓｏｒａ  ｓｐｐ．）（例えば、Ｐ．パキリジ（Ｐ．ｐａｃｈｙｒｈｉｚｉ））を含む真菌性植物病原体は、農業および園芸産業における経済的損失を引き起こす可能性のある植物病害虫の１つである。真菌の植物病原体を防除するために化学薬剤を使用することができるが、化学薬剤の使用は、高コスト、有効性の欠如、真菌の耐性株の出現および望ましくない環境への影響を含む欠点を有する。さらに、そのような化学的処理は無差別である傾向があり、処理が標的とされる植物病原体に加えて有益な細菌、真菌および節足動物に悪影響を及ぼし得る。第２のタイプの植物有害生物は、限定されないが、農業および園芸産業において経済的損失を与える原因となる、エルウィニア属種（Ｅｒｗｉｎｉａ  ｓｐｐ．）（エルウィニア・クリサンチミー（Ｅｒｗｉｎｉａ  ｃｈｒｙｓａｎｔｈｅｍｉ）など）、パントエア属種（Ｐａｎｔｏｅａ  ｓｐｐ．）（Ｐ．シトレア（Ｐ．ｃｉｔｒｅａ）など）、キサントモナス（例えば、キサントモナス・カンペストリス）、シュードモナス属種（Ｐｓｅｕｄｏｍｏｎａｓ  ｓｐｐ．）（Ｐ．シリンガエ（Ｐ．ｓｙｒｉｎｇａｅ）など）およびラルストニア属種（Ｒａｌｓｔｏｎｉａ  ｓｐｐ．）（Ｒ．ソラナセラム（Ｒ．ｓｏｌｅａｃｅａｒｕｍ）など）を含む細菌病原体である。病原性真菌と同様に、これらの細菌病原体を治療するための化学物質の使用には欠点がある。ウイルスおよびウイルス様生物は、制御が困難である第３のタイプの植物に病気を引き起こさせる物質を含み、細菌性微生物は、誘発性全身抵抗（ＩＳＲ）によってウイルスおよびウイルス様生物に対して植物の抵抗性を与えることができる。したがって、病原体、ウイルスおよび細菌を防除するために生物肥料および／または生物農薬として適用され得る微生物が望ましく、農業の持続可能性を改善することが強く求められている。最終的なタイプの植物病原体には、植物の病原性線虫および昆虫が含まれ、植物の重篤な損傷および喪失を引き起こし得る。
【０００５】
バチルス種のいくつかのメンバーは生物防除株として報告されており、一部は商業的な製品に適用されている（Ｊｏｓｅｐｈ  Ｗ．  Ｋｌｏｅｐｐｅｒ，  ｅｔ  ａｌ．  ２００４，  Ｐｈｙｔｏｐａｔｈｏｌｏｇｙ  Ｖｏｌ．  ９４，  Ｎｏ．  １１，  １２５９−１２６６）。例えば、現在市販されている生物防除製品に使用されている菌株は、ＳｏｎａｔａおよびＢａｌｌａｄ−ｐｌｕｓの有効成分としてＢａｙｅｒ  Ｃｒｏｐ  Ｓｃｉｅｎｃｅによって製造されたバチルス・プミルス（Ｂａｃｉｌｌｕｓ  ｐｕｍｉｌｕｓ）株ＱＳＴ２８０８；Ｂａｙｅｒ  Ｃｒｏｐ  Ｓｃｉｅｎｃｅによって製造されたＹｉｅｌｄＳｈｉｅｌｄの有効成分として使用されるバチルス・プミルス菌株ＧＢ３４；Ｂａｙｅｒ  Ｃｒｏｐ  Ｓｃｉｅｎｃｅによって製造されたＳＥＲＥＮＡＤＥの有効成分として使用されるバチルス・サブチリス株ＱＳＴ７１３；  Ｈｅｌｉ  Ｃｈｅｍｉｃａｌ  Ｃｏｍｐａｎｙによって製造されたＫｏｄｉａｋおよびＳｙｓｔｅｍ３の有効成分として使用される枯草菌ＧＢＯ３株、を含む。バチルス・チューリンゲンシスおよびバチルス・フィルムスの様々な株が、線虫およびベクター昆虫に対する生物防除剤として適用され、これらの株は、Ｂａｙｅｒ  Ｃｒｏｐ  Ｓｃｉｅｎｃｅによって製造されるＮＯＲＴＩＣＡおよびＰＯＮＣＨＯ−ＶＯＴＩＶＯを含む、商業的に入手可能な多数の生物防除製品の基礎として役立つ。さらに、現在市販されている生体刺激製品に使用されているバチルス株は、ＡＢｉＴＥＰ  ＧｍｂＨによって製造されるＲｈｉｚｏＶｉｔａｌ  ４２の有効成分として使用されるバチルス・アミロリケファシエンスＦＺＢ４２株、ならびにＪＨＢｉｏｔｅｃｈ  Ｉｎｃ．によって製造されるＦＵＬＺＹＭＥのような生物刺激製品中の発酵抽出物を含む全細胞として含まれる他の様々なバチルス・サブチリス、を含む。
【発明の概要】
【発明が解決しようとする課題】
【０００６】
本明細書に開示される主題は、微生物組成物ならびに植物成長および疾患の予防および防除に利益を与えるためのそれらの使用方法を提供する。
【課題を解決するための手段】
【０００７】
一実施形態では、植物成長へ利益を与えることまたは感受性植物において病原体感染に対する保護を与えることの１つまたは両方を植物に適用するための、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物を含む組成物が提供される。
【０００８】
一実施形態では、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物の胞子を含む組成物で被覆した植物種子が提供され、植物成長に利益を与え、および／または感受性植物において病原体感染に対する保護を与えるのに適した量で存在する。
【０００９】
一実施形態では、植物成長に利益を与えることまたは感受性植物において病原体感染に対する保護を与えることの１つまたは両方のための組成物が提供され、該組成物は、植物成長に利益を与え、および／または感受性植物において病原体感染に対する保護を与えるのに適した量でＡＴＣＣ番号ＰＴＡ−１２１１６５として寄託されたバチルス・ベレゼンシスＲＴＩ３０１、またはその全ての同定特徴を有するその突然変異体の生物学的に純粋な培養物、ならびに、植物成長に利益を与え、および／または感受性植物において病原体感染に対する保護を与えるのに適した量で微生物学的、生物学的または化学的殺虫剤、殺真菌剤、殺線虫剤、殺細菌剤、除草剤、植物抽出物、植物成長調整剤または肥料のうちの１つ以上の組み合わせを含む。
【００１０】
一実施形態では、植物成長に利益を与えることまたは感受性植物において病原体感染に対する保護を与えることの１つまたは両方のための方法が提供され、該方法は、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物の胞子を含む組成物を、植物成長に利益を与え、および／または感受性植物において病原体感染に対する保護を与えるのに適した量で、植物の葉、植物の樹皮、植物の果実、植物の花、植物の種子、植物の根、植物の切断片、植物の移植片、植物のカルス組織、植物の周囲の土壌または成長培地、植物の種子を播種する前の土壌または成長培地、または植物、植物切断片、植物移植片、植物カルス組織を植える前の土壌もしくは生育培地に送達することを含む。
【００１１】
一実施形態では、植物成長に利益を与えることまたは感受性植物において病原体感染に対する保護を与えることの１つまたは両方のための方法が提供され、該方法は、植物成長に利益を与え、および／または感受性植物において病原体感染に対する保護を与えるのに適した量でＡＴＣＣ番号ＰＴＡ−１２１１６５として寄託されたバチルス・ベレゼンシスＲＴＩ３０１、またはその全ての同定特徴を有するその突然変異体の生物学的に純粋な培養物の胞子、ならびに植物成長に利益を与え、および／または感受性植物において病原体感染に対する保護を与えるのに適した量で微生物学的、生物学的もしくは化学的殺虫剤、殺真菌剤、殺線虫剤、殺細菌剤、除草剤、植物抽出物、植物成長調整剤または肥料のうちの１つまたは組合せを含む組成物を、植物の葉、植物の樹皮、植物の果実、植物の花、植物の種子、植物の根、植物の切断片、植物の移植片、植物のカルス組織、植物の周囲の土壌または成長培地、植物の種子を播種する前の土壌または成長培地、または植物、植物切断片、植物移植片、植物カルス組織を植える前の土壌もしくは生育培地に送達することを含む。
【００１２】
一実施形態では、植物成長に利益を与えることまたは感受性植物において病原体感染に対する保護を与えることの１つまたは両方のための方法が提供され、該方法は、植物成長に利益を与え、および／または感受性植物において病原体感染に対する保護を与えるのに適した量でＡＴＣＣ番号ＰＴＡ−１２１１６５として寄託されたバチルス・ベレゼンシスＲＴＩ３０１、またはその全ての同定特徴を有するその突然変異体の生物学的に純粋な培養物の胞子を含む第１組成物、ならびに植物成長に利益を与え、および／または感受性植物において病原体感染に対する保護を与えるのに適した量で微生物学的、生物学的もしくは化学的殺虫剤、殺真菌剤、殺線虫剤、殺細菌剤、除草剤、植物抽出物、植物成長調整剤または肥料のうちの１つまたは組合せを含む第２組成物の組み合わせを、植物の葉、植物の樹皮、植物の果実、植物の花、植物の種子、植物の根、植物の切断片、植物の移植片、植物のカルス組織、植物の周囲の土壌または成長培地、植物の種子を播種する前の土壌または成長培地、または植物、植物切断片、植物移植片、植物カルス組織を植える前の土壌もしくは生育培地に送達することを含む。
【００１３】
一実施形態では、植物成長に利益を与えることまたは感受性植物において病原体感染に対する保護を与えることの１つまたは両方のための方法が提供され、この方法は、植物の種子を植え付けること、または植物性切断／組織を適切な成長培地に再生すること、ここで、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物を含む組成物で、種子が被覆されているまたは植物性切断／組織が接種され、種子または植物性切断／組織からの植物の成長には利益が与えられおよび／または病原体感染に対する保護が与えられることを、含む。
【００１４】
一実施形態では、処理に対する耐性の蓄積を最小化しながら、感受性植物に対する保護を与えるまたは病原体感染を減少させることによって植物成長に利益を与える方法が提供され、該方法は、第１組成物および第２組成物の時間間隔を変えながら別々の適用において感受性植物に送達することを含み、第１および第２組成物のそれぞれは、植物における病原体感染に対する保護を与えるか、または病原体感染を減少させるのに適した量で送達され、第１組成物は、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物を含み、第２組成物は、殺真菌特性または殺菌特性を有する１つ以上の化学活性剤を含み、第１組成物および第２組成物は、時間間隔を変えながら植物の葉、植物の樹皮、植物の果実、植物の花、植物の種子、植物の根、植物の切断片、植物の移植片、植物のカルス組織、または植物の周囲の土壌または成長培地の１つまたは組み合わせへ送達され、病原体感染に対する保護および／または病原体感染を低減するために必要な化学活性剤の総量が減少し、治療に対する耐性の蓄積が最小限に抑えられる。
【００１５】
一実施形態では、組成物が提供され、該組成物は、植物成長に利益または感受性植物において病原体感染に対する保護の１つまたは両方を与えるために、適切な量の単離されたフェンギシン−ＭＡ化合物、単離されたフェンギシンＭＢ化合物、単離されたフェンギシンＭＣ化合物、単離されたデヒドロキシフェンギシンＭＡ化合物、単離されたデヒドロキシフェンギシンＭＢ化合物、単離されたデヒドロキシフェンギシンＭＣ化合物、単離されたフェンギシンＨ化合物、単離されたデヒドロキシフェンギシンＨ化合物、単離されたフェンギシンＩ化合物、および単離されたデヒドロキシフェンギシンＩ化合物のうちの少なくとも１つを含み、該フェンギシンおよびデヒドロキシフェンギジン化合物は、以下の式を有する。
【化１】
2018502111.tif 000001
【００１６】
式中、ＲはＯＨであり、ｎは８から２０までの範囲であり、ＦＡは直鎖状、イソ、またはアンテイソであり、ならびにフェンギシンＭＡについてＸ１はＡｌａであり、Ｘ２はＴｈｒであり、およびＸ３はＭｅｔであり；フェンギシンＭＢについてＸ１はＶａｌであり、Ｘ２はＴｈｒであり、およびＸ３はＭｅｔであり；フェンギシンＭＣについてＸ１はＡｂａであり、Ｘ２はＴｈｒであり、およびＸ３はＭｅｔであり；フェンギシンＨについてＸ１はＶａｌであり、Ｘ２はＴｈｒであり、およびＸ３はＨｃｙであり；ならびにフェンギシンＩについてＸ１はＩｌｅであり、Ｘ２はＴｈｒであり、およびＸ３はＩｌｅであり；または、ＲはＨであり、ｎは８から２０の範囲であり、ＦＡは直鎖状、イソ、またはアンテイソであり、ならびにデヒドロキシフェンギシンＭＡについてＸ１はＡｌａであり、Ｘ２はＴｈｒであり、およびＸ３はＭｅｔであり；デヒドロキシフェンギシンＭＢについてＸ１はＶａｌであり、Ｘ２はＴｈｒであり、およびＸ３はＭｅｔであり；デヒドロキシフェンギシンＭＣについてＸ１はＡｂａであり、Ｘ２はＴｈｒであり、およびＸ３はＭｅｔであり；デヒドロキシフェンギシンＨについてＸ１はＶａｌであり、Ｘ２はＴｈｒであり、およびＸ３はＨｃｙであり；ならびにデヒドロキシフェンギシンＩについてＸ１はＩｌｅであり、Ｘ２はＴｈｒであり、およびＸ３はＩｌｅである。
【００１７】
一実施形態では、バチルス・ベレゼンシス株の生物学的に純粋な培養物を含む抽出物が提供され、該抽出物は、表ＸＩＩＩに示されるフェンギシン−ＭＡ、−ＭＢ、−ＭＣ、−Ｈおよび−Ｉ化合物ならびにデヒドロキシフェンギシン−ＭＡ、−ＭＢ、−ＭＣ、−Ｈおよび−Ｉ化合物ならびに追加のフェンギシン様およびデヒドロキシフェンギシン様化合物の１つまたは組み合わせを含む。
【００１８】
一実施形態では、ＡＴＣＣ番号ＰＴＡ−１２１１６５として寄託されているバチルス・ベレゼンシスＲＴＩ３０１の生物学的に純粋な培養物を含む抽出物が提供され、該抽出物は、表ＸＩＩＩに示されるフェンギシン−ＭＡ、−ＭＢ、−ＭＣ、−Ｈおよび−Ｉ化合物ならびにデヒドロキシフェンギシン−ＭＡ、−ＭＢおよび−Ｉ化合物、ならびに追加のフェンギシン様およびデヒドロキシフェンギシン様化合物のうちの１つまたは組み合わせを含む。
【００１９】
一実施形態では、植物成長に利益を与えるための組成物が提供され、該組成物は、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物、およびビフェントリン殺虫剤を含む。
【００２０】
一実施形態では、植物成長に利益を与えるための組成物が提供され、該組成物は、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物、およびルピナス・アルブス（Ｌｕｐｉｎｕｓ  ａｌｂｕｓ）抽出物、ＢＬＡＤポリペプチド、またはＢＬＡＤポリペプチドの断片の１つまたは組合せを含む殺真菌剤を含む。
【００２１】
一実施形態では、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物を含む第１組成物；微生物学的、生物学的もしくは化学的殺虫剤、殺真菌剤、殺線虫剤、殺細菌剤、除草剤、植物抽出物、植物成長調整剤または肥料の１つまたは組合せを含む第２組成物を含み、ここで第１および第２組成物は別々に包装され、各成分は、植物成長への利益の付与または感受性植物において病原体感染に対する保護の付与の１つまたは両方に適した量であり、任意で、植物成長への利益を与えるのに適した量であり、第１および第２組成物の組み合わせを：植物の葉、植物の樹皮、植物の果実、植物の花、植物の種子、植物の根、植物の切断片、植物の移植片、植物のカルス組織、植物の周囲の土壌もしくは成長培地、植物の種子を播種する前の土壌もしくは成長培地もしくは植物、植物切断片、植物移植片、植物カルス組織を植える前の土壌または成長培地に送達するための指示書を含む製品が提供される。
【図面の簡単な説明】
【００２２】
【図１】本発明の１つ以上の実施形態による、バチルス・アミロリケファシエンスＦＺＢ４２およびバチルス・アミロリケファシエンスＴｒｉｇｏＣｏｒ１４４８の２つのバチルス・アミロリケファシエンス参照株の対応する領域と比較した、バチルス・ベレゼンシス株ＲＴＩ３０１に見出される独特なランチビオティック生合成オペロンを取り囲み、それを含むゲノム組織の概略図を示す。
【図２Ａ】ＲＴＩ３０１株を接種した植物を示す写真である。
【図２Ｂ】対照植物を示す写真である。これらの写真は、本発明の１つ以上の実施形態による小麦における初期の植物成長に対するバチルス・ベレゼンシス株ＲＴＩ３０１の正の効果を示す。１３日間の生育後の抽出された植物を図に示す。
【図３Ａ】ＲＴＩ３０１を接種した植物を示す写真である。
【図３Ｂ】対照植物を示す写真である。これらの写真は、本発明の１つ以上の実施形態による小麦における２８日後の成長に対するバチルス・ベレゼンシス株ＲＴＩ３０１の正の効果を示す。
【図４】以下のそれぞれの処理での豆さび（ウロマイセス・アペンディキュラタス）の感染の１０日後のｙ軸上の％病害防除（平均）を示す棒グラフである。本発明の１つ以上の実施形態による、使用済み発酵ブロス（ＳＦＢ）（１×１０８ｃｆｕ／ｍｌで適用）、ＳＥＲＥＮＡＤＥ  ＯＰＴＩＭＵＭ（１×１０８ｃｆｕ／ｍｌで適用）、ＴＡＣＴＩＣ（全ての製剤に０．１８７５％で適用され、ブランク対照としても使用される）、ＳＥＲＥＮＡＤＥ  ＯＰＴＩＭＵＭ（４×１０８ｃｆｕ／ｍｌで適用）、テブコナゾール（５０ｇ  ａ．ｉ．／ｈａで適用）、およびクロロタロニル（５００ｇ  ａ．ｉ．／ｈａで適用）におけるＲＴＩ３０１胞子。非処理対照は２３％の病害をもたらした。同じ文字が後に続く値は、有意な差ではない（ｐ＝０．１０）。
【図５】本発明の１つ以上の実施形態による、ＴＡＣＴＩＣ（０．１８７５％で全ての製剤へ適用およびまたブランク対照として使用）およびテブコナゾール（Ｈｏｒｉｚｏｎ：５０ｇ  ａ．ｉ．／ｈａで適用）と比較した、使用済み発酵ブロス（ＳＦＢ）（１×１０８ｃｆｕ／ｍｌで適用）およびＥＲＥＮＡＤＥ  ＯＰＴＩＭＵＭ（１×１０８および４×１０８ｃｆｕ／ｍｌで適用）中のそれぞれのＲＴＩ３０１胞子で処理した後、豆さび（ウロマイセス・アペンディキュラタス）（５０ｋ〜３００ｋ分生子／ｍｌ）の増大した量で感染後１０日目のｙ軸における％病害防除（平均）を示す棒グラフである。チェック対照の病害パーセントは、５０＝６％、１００ｋ＝６％、１５０ｋ＝１５％、２００ｋ＝１５％および３００ｋ＝７％であった。同じ文字が後に続く値は、有意な差ではない（ｐ＝０．１０）。
【図６】本発明の１つ以上の実施形態によるボトリチス・シネレア病原体に対するＲＴＩ３０１株の拮抗活性を決定するための２つの独立したトマト野外試験のそれぞれにおける非処理対照（「ＵＴ」）におけるボトリチス・シネレア病原体に感染した果実のパーセントに対する発達のグラフを示す。
【図７】本発明の１つ以上の実施形態によるボトリチス・シネレア病原体に対するＲＴＩ３０１株の拮抗活性を決定するための４つの独立したイチゴ野外試験のそれぞれにおける非処理対照（「ＵＴ」）におけるボトリチス・シネレア病原体に感染した果実のパーセントに対する発達のグラフを示す。
【図８Ａ】８６９寒天プレート上のフザリウム・グラミネアラム（Ｆｕｓａｒｉｕｍ  ｇｒａｍｉｎｅａｒｕｍ）の成長を示す。
【図８Ｂ】それぞれ１×１０８ＣＦＵ／ｍｌ（左）または１×１０９ＣＦＵ／ｍｌ（右）を含有するＲＴＩ３０１胞子溶液２０μｌの存在下での８６９寒天プレート上のフザリウム・グラミネアラムの成長を示す。
【図８Ｃ】８６９寒天プレート上にそれぞれ１×１０８ＣＦＵ／ｍｌ（左）または１×１０９ＣＦＵ／ｍｌ（右）を含むＢ．ベレゼンシスＲＴＩ３０１胞子溶液２０μｌの成長を示す。
【図８Ｄ】８６９＋１％ＦＲＡＣＴＵＲＥ寒天プレート上のフザリウム・グラミネアラムの成長を示す。
【図８Ｅ】それぞれ１×１０８ＣＦＵ／ｍｌ（左）または１×１０９ＣＦＵ／ｍｌ（右）を含有するＲＴＩ３０１胞子溶液２０μｌの存在下での８６９＋１％ＦＲＡＣＴＵＲＥ寒天プレート上のフザリウム・グラミネアラムの成長を示す。
【図８Ｆ】８６９＋１％ＦＲＡＣＴＵＲＥ寒天プレート上にそれぞれ１×１０８ＣＦＵ／ｍｌ（左）または１×１０９ＣＦＵ／ｍｌ（右）を含むＢ．ベレゼンシスＲＴＩ３０１胞子溶液２０μｌの成長を示す。これらの図は、本発明の１つ以上の実施形態によるＦＲＡＣＴＵＲＥの存在下および非存在下でのＢ．ベレゼンシスＲＴＩ３０１によるフザリウム・グラミネアラムの防除を示すプレートアッセイの画像を示す。
【図９Ａ】８６９寒天プレート上のフザリウム・オキシスポルムｆｃキューベンセ（Ｆｕｓａｒｉｕｍ  ｏｘｙｓｐｏｒｕｍ  ｆｃ．  Ｃｕｂｅｎｓｅ）の成長を示す。
【図９Ｂ】それぞれ１×１０８ＣＦＵ／ｍｌ（左）または１×１０９ＣＦＵ／ｍｌ（右）を含有するＲＴＩ３０１胞子溶液２０μｌの存在下での８６９寒天プレート上のフザリウム・オキシスポルムｆｃキューベンセの成長を示す。
【図９Ｃ】８６９寒天プレート上にそれぞれ１×１０８ＣＦＵ／ｍｌ（左）または１×１０９ＣＦＵ／ｍｌ（右）を含むＢ．ベレゼンシスＲＴＩ３０１胞子溶液２０μｌの成長を示す。
【図９Ｄ】８６９＋１％ＦＲＡＣＴＵＲＥ寒天プレート上のフザリウム・オキシスポルムｆｃキューベンセの成長を示す。
【図９Ｅ】それぞれ１×１０８ＣＦＵ／ｍｌ（左）または１×１０９ＣＦＵ／ｍｌ（右）を含有するＲＴＩ３０１胞子溶液２０μｌの存在下での８６９＋１％ＦＲＡＣＴＵＲＥ寒天プレート上のフザリウム・オキシスポルムｆｃキューベンセの成長を示す。
【図９Ｆ】８６９＋１％ＦＲＡＣＴＵＲＥ寒天プレート上にそれぞれ１×１０８ＣＦＵ／ｍｌ（左）または１×１０９ＣＦＵ／ｍｌ（右）を含むＢ．ベレゼンシスＲＴＩ３０１胞子溶液２０μｌの成長を示す。これらの図は、本発明の１つ以上の実施形態によるＦＲＡＣＴＵＲＥの存在下および非存在下でのＢ．ベレゼンシスＲＴＩ３０１によるフザリウム・オキシスポルムｆｃキューベンセの防除を示すプレートアッセイの画像を示す。
【図１０】本発明の１つ以上の実施形態によるバチルス・ベレゼンシスおよびバチルス・ベレゼンシスＲＴＩ３０１単離物により産生された新しく同定された（太字のタイプで示される）フェンギシンおよびデヒドロキシフェンギシン型の分子を含む微生物種により産生された以前報告されたフェンギシンおよびデヒドロキシフェンギシン型環状リポペプチドの両方を示す概略図である。
【図１１】本発明の１つ以上の実施形態による酸沈殿後のＲＴＩ３０１使用済み発酵ブロス（ＳＦＢ）から回収されたリポペプチドのパーセンテージを示すグラフである。用語「３０１−ＡＰ−ペレット」および「３０１−ＡＰ−上清」は、ＳＦＢの酸沈殿＋遠心分離後に得られた再懸濁ペレットおよび上清をそれぞれ意味する。パーセンテージを、ＲＴＩ３０１使用済み発酵ブロス（３０１−ＳＦＢ）由来の各リポペプチドの積分イオン存在量に基づいて計算し、比較した。
【発明を実施するための形態】
【００２３】
特許請求の範囲を含む本出願で使用される場合、用語「ａ」、「ａｎ」および「ｔｈｅ」は、「１つ以上」を指す。したがって、例えば、「植物（ａ  ｐｌａｎｔ）」への言及は、文脈が明らかに反対でない限り、複数の植物（ａ  ｐｌｕｒａｌｉｔｙ  ｏｆ  ｐｌａｎｔｓ）を含む。
【００２４】
明細書および特許請求の範囲を通じて、用語「含む（ｃｏｍｐｒｉｓｅ）」、「含む（ｃｏｍｐｒｉｓｅｓ）」、および「含む（ｃｏｍｐｒｉｓｅｉｎｇ）」は、文脈上別途必要な場合を除いて、非排他的な意味で使用される。同様に、「含む（ｉｎｃｌｕｄｅ）」という用語およびその文法上の変形は、リスト内の項目の列挙が、リストされた項目に置換または追加され得る他の同様の項目を除外しないような非限定を意図する。
【００２５】
明細書および特許請求の範囲では、用語「約」は、１つ以上の数値または数値範囲に関連して使用される場合、範囲内の全ての数値を含むそのような数値全てを指すと理解されるべきであり、設定された数値の上および下の境界を拡張することによってその範囲を変更する。終点による数値範囲の列挙は、その範囲内に包含される全ての数、例えば、全整数、その少数を含む（例えば、１〜５の記載は１、２、３、４および５、ならびに少数１．５、２．２５、３．７５、４．１などを含む）およびその範囲内の任意の範囲を含み得る。
【００２６】
本明細書および特許請求の範囲では、用語「代謝産物」および「化合物」は、ＲＴＩ３０１株または別のバチルス・ベレゼンシス株によって産生される抗菌活性を有する化合物に関連して使用される場合に互換的に使用される。 
【００２７】
本明細書および特許請求の範囲では、「細菌株の生物学的に純粋な培養物」という語句は、細菌株の生物学的に純粋な発酵培養物の胞子、細菌株の生物学的に純粋な発酵培養物の栄養細胞、細菌株の生物学的に純粋な発酵培養物の１つ以上の生成物、細菌株の生物学的に純粋な発酵培養物の培養固体、細菌株の生物学的に純粋な発酵培養物の培養上清、細菌株の生物学的に純粋な発酵培養物の抽出物、および細菌株の生物学的に純粋な発酵培養物の１つ以上の代謝産物の１つまたは組み合わせを指す。
【００２８】
本発明の特定の実施形態では、植物成長に利益を与えるまたは感受性植物において病原体感染に対する保護の１つまたは両方のために、植物への適用のための、新しく同定されたバチルス・ベレゼンシス株の生物学的に純粋な培養物を含む組成物および方法が提供される。本発明の組成物および方法において、植物の成長利益は、改善された苗の活力、改善された根の発達、改善された植物成長、改善された植物の健康、増加した収量、改善された外観、植物病原体に対する改善された耐性、病原体感染の減少、またはそれらの組み合わせによって表される。
【００２９】
配列分析によるバチルス・ベレゼンシスとしての細菌分離株の同定
本明細書でＲＴＩ３０１と命名された植物関連細菌は、ロングアイランド、ＮＹのブドウ畑で成長したブドウの根圏土壌から単離され、続いて植物病原体の拮抗特性について試験された。より詳細には、単離された細菌株は、高度に保存された１６Ｓ  ｒＲＮＡおよびｒｐｏＢ遺伝子の配列分析（実施例１参照）を介してバチルス・ベレゼンシスの新しい株として同定された。新しい細菌分離株（「バチルス・ベレゼンシスＲＴＩ３０１」と命名）の１６Ｓ  ＲＮＡ配列は、バチルス・ベレゼンシス、バチルス・アミロリケファシエンス株ＮＳ６（ＫＦ１７７１７５）、バチルス・アミロリケファシエンス株ＦＺＢ４２（ＮＲ＿０７５００５）、およびバチルス・サブチリス亜種・サブチリスＤＳＭ１０株（ＮＲ＿０２７５５２）の３つの他の知られた株の１６Ｓ  ｒＲＮＡ配列と同一であると判明した。ＲＴＩ３０１のｒｐｏＢ遺伝子配列（配列番号２）は、バチルス・アミロリケファシエンス亜種プランタラムＴｒｉｇｏＣｏｒ１４４８（ＣＰ００７２４４）（９９％配列同一性；３塩基対の差異）；バチルス・アミロリケファシエンス亜種プランタラムＡＳ４３．３（ＣＰ００３８３８）（９９％配列同一性；７塩基対の差異）；バチルス・アミロリケファシエンスＣＣ１７８（ＣＰ００６８４５）（９９％配列同一性；８塩基対の差異）、およびバチルス・アミロリケファシエンスＦＺＢ４２（ＣＰ０００５６０）（９９％配列同一性；８塩基対の差異）の同じ遺伝子と配列類似性を有することも判明した。ＲＴＩ３０１株はバチルス・ベレゼンシスとして同定されたが、ＤＮＡレベルでのｒｐｏＢ遺伝子の配列の相違は、ＲＴＩ３０１がバチルス・ベレゼンシスの新しい株であることを示している。バチルス・ベレゼンシスＲＴＩ３０１株は、米国バージニア州マナッサスのアメリカンタイプカルチャーコレクション（ＡＴＣＣ）で特許手続きのための微生物寄託の国際的承認に関するブダペスト条約の条件の下、２０１４年４月１７日に寄託され、特許アクセッション番号ＰＴＡ−１２１１６５を有する。［この株は当初「バチルス・アミロリケファシエンスＲＴＩ３０１」という名称で寄託されたが、２０１７年８月１０日に「バチルス・ベレゼンシスＲＴＩ３０１」として再分類された。］
【００３０】
バチルス・ベレゼンシスＲＴＩ３０１株のゲノムのさらなる配列分析は、この株が、ランチビオティック生合成に関連する遺伝子を有しており、該生合成のためのホモログが、密接に関連する他のバチルス・ベレゼンシスＲＴＩ３０１には欠けていることを明らかにした（実施例２参照）。これを図１に示し、図１は、ＲＴＩ３０１株の下に示される、バチルス・ベレゼンシスＲＴＩ３０１ならびに２つの既知のバチルス・アミロリケファシエンス参照株、ＦＺＢ４２（中央）およびＴｒｉｇｏＣｏｒ１４４８（底）についての対応する領域に見出される独特のランチビオティック生合成クラスターのゲノム構成の概略図を示す。ＦＺＢ４２およびＴｒｉｇｏＣｏｒ１４４８株は、このクラスターに存在する遺伝子の多くを欠いており、存在する多くの遺伝子内には低い程度の配列同一性があることが図１からわかり得る。ＮＣＢＩにおける非重複（ｎｒ）ヌクレオチドデータベースに対するこのクラスターのＢＬＡＳＴｎ分析は、Ｂ．ベレゼンシス株に対する５’および３’隣接領域と高い相同性を示した（図１の高い％類似性に類似）。しかしながら、ランチペプチド生合成クラスターはＲＴＩ３０１に独特であり、ＮＣＢＩｎｒデータベース中の以前に配列決定されたＤＮＡと有意な相同性は観察されなかった。このデータは、新たに同定されたＲＴＩ３０１が独特のランチビオティック生合成経路を有することを示している。
【００３１】
種々の条件下での種々の植物におけるバチルス・ベレゼンシスＲＴＩ３０１株の成長促進および拮抗活性を測定するために実験を行った。実験結果は、図２〜１２および本明細書の実施例３〜１６に記載されている。実験は、バチルス・サブチリス株ＱＳＴ７１３を有効成分として含む市販のＳＥＲＥＮＡＤＥ（ＢＡＹＥＲ  ＣＲＯＰ  ＳＣＩＥＮＣＥ、ＩＮＣ）と比較して、植物成長に利益を与え、植物病原体に対する保護または防除を与えるバチルス・ベレゼンシスＲＴＩ３０１の能力を示す。実験結果は、市販の化学殺真菌剤／殺細菌剤に対する新しいＲＴＩ３０１株の利点の比較を提供する。いくつかの場合には、化学殺真菌剤／殺細菌剤の適用と、同様にバチルス・ベレゼンシスＲＴＩ３０１株のみの適用が実施された。実験結果はまたＢＬＡＤポリペプチドを有効成分として含有する植物抽出物であるＦＲＡＣＴＵＲＥ（Ｃｏｎｓｕｍｏ  ｅｍ  Ｖｅｒｄｅ（ＣＥＶ）、Ｂｉｏｔｅｃｎｏｌｏｇｉａ  ｄａｓ  Ｐｌａｎｔａｓ  Ｓ．Ａ．，Ｐｏｒｔｕｇａｌ）の拮抗特性を増強するための新しいＲＴＩ３０１株の利益の一例を提供する。
【００３２】
本発明の一実施形態では、植物成長への利益の付与、または感受性植物において病原体感染に対する保護の付与の１つまたは両方を植物に適用するための、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物を含む組成物が提供される。
【００３３】
別の実施形態では、植物成長に利益を与えることまたは感受性植物において病原体感染に対する保護を与えることの１つまたは両方のための方法が提供され、該方法は、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物の胞子を含む組成物を、植物成長に利益を与え、および／または感受性植物において病原体感染に対する保護を与えるのに適した量で、植物の葉、植物の樹皮、植物の果実、植物の花、植物の種子、植物の根、植物の切断片、植物の移植片、植物のカルス組織、植物の周囲の土壌または成長培地、植物の種子を播種する前の土壌または成長培地、または植物、植物切断片、植物移植片、植物カルス組織を植える前の土壌もしくは生育培地に送達することを含む。
【００３４】
小麦におけるＲＴＩ３０１分離物の増殖促進活性は実施例３に記載されている。発芽した小麦の種子を約２×１０７ＣＦＵ／ｍｌのＲＴＩ３０１株の懸濁液中で２日間接種し、続いてポットに植えた。１３日間の生育後の抽出された植物の写真を図２に示す。図２ＡはＲＴＩ３０１で接種された植物を示し、図２Ｂは対照植物を示す。小麦実生の乾燥重量を測定したところ、ＲＴＩ３０１処理植物の乾燥重量が非接種対照よりも８．１％増加した。さらに、バチルス・ベレゼンシスＲＴＩ３０１株の小麦における初期増殖についての有益な効果は、図３の画像に示されている。図３ＡはＲＴＩ３０１で接種された２８日齢の小麦植物を示し、図３Ｂは対照植物を示す。
【００３５】
プレートアッセイにおけるいくつかの主要植物病原体に対するバチルス・ベレゼンシスＲＴＩ３０１の拮抗特性は実施例４に記載されており、植物ホルモン産生、アセトインおよびインドール酢酸（ＩＡＡ）などの表現型形質ならびに株の栄養循環は実施例５に記載されている。
【００３６】
根圏および内寄生の有益な植物関連細菌は、耐病性および害虫耐性および寒冷性、塩分および干ばつストレスなどの環境ストレスに対する耐性の範囲の宿主植物に多数の利益を与えることが知られている。接種された植物成長促進細菌を有する植物は、例えばより良い根系の発達により、土壌からより多くの水および栄養を摂取し、植物はより健康に成長し、生物的および非生物的ストレスの影響を受けにくい。このように、本発明の微生物組成物は、単独で、または化学肥料、除草剤、農薬などの現在の作物管理投入物と組み合わせて作物生産性を最大にすることができる。植物の成長促進効果は、植物の成長を早くさせ、地上のバイオマスを増加させ、早期活力を向上させるために適用され得る特性である。初期の活力の改善の１つの利点は、植物がより競争力があり、競合しない雑草であることであり、労働および除草剤の適用を最小限に抑えることによって雑草管理の費用を直接削減することである。植物の成長促進効果はまた、水と栄養分の摂取に関与するより多くの細根を持つより深くより広い根を含む、根の発達の改善につながる。この特性は、農業資源のより良い利用と、灌漑需要および／または肥料適用に使用される水の削減を可能にする。根の発達および根の構造の変化は、窒素固定およびリン酸可溶化を含む植物の栄養摂取により植物を助ける有益な真菌および細菌を含む、他の土壌保有微生物との植物の相互作用に影響を及ぼす。これらの有益な微生物はまた、植物の病原体に対して競合し、植物の全体的な健康を増進し、化学殺真菌剤および農薬の必要性を減少させる。
【００３７】
さらに、多数の一般的な植物病原体による植物の自然感染または人工感染の影響を予防および／または改善するＢ．ベレゼンシスＲＴＩ３０１株の能力を決定するために、温室内野外試験で、様々な作物についての研究が行われた。結果は、実施例６〜１３および図４〜７に記載されている。さらなる研究は、抗真菌ポリペプチドを含有する生成物（実施例１４；図８〜９）と組み合わせた真菌病原体に対するＲＴＩ３０１の拮抗活性を記載し、ＲＴＩ３０１株によって産生された抗菌代謝産物は、実施例１５および１６ならびに図１０および１１においてそれぞれ同定され、単離される。  
【００３８】
実施例６は、植物病原体豆さび（ウロマイセス・アペンディキュラタス）および植物病原体ペッパー・ボトリチス病害（ボトリチス・シネレア）の効果を改善するＢ．ベレゼンシスＲＴＩ３０１株の能力を示す。第１組の実験では、バチルス・ベレゼンシスＲＴＩ３０１株の異なる製剤を、ウロマイセス・アペンディキュラタス（Ｕｒｏｍｙｃｅｓ  ａｐｐｅｎｄｉｃｕｌａｔｕｓ）およびボトリチス・シネレア（Ｂｏｔｒｙｔｉｓ  ｃｉｎｅｒｅａ）を防除するためのＲＴＩ３０１株の葉面適用について試験した。実験計画は、病原体による感染の９日後の病害防除のパーセントを以下のそれぞれについて評価するように設定した：水単独で希釈した使用済み発酵ブロスのＲＴＩ３０１胞子（「ＲＴＩ３０１＋１％  ＳＦＢ」）、水＋酵母抽出物で希釈した使用済み発酵ブロスのＲＴＩ３０１胞子（「ＲＴＩ３０１＋１％  ＳＦＢ＋酵母抽出物」）、ＢＲＡＶＯ  ＷＥＡＴＨＥＲ  ＳＴＩＫ（５００ｇ  ａ．ｉ．／ｈａクロロタロニル）、ＨＯＲＩＺＯＮ（５０ｇ  ａ．ｉ．／ｈａテブコナゾール）、およびＲＴＩ３０１と同じ胞子濃度でのＳＥＲＥＮＡＤＥ  ＯＰＴＩＭＵＭ。非処理対照（水のみ）は２８％の病害をもたらした。豆さびとペッパー・ボトリチス病害の実験結果も同様であった。豆さび実験の結果は表ＩＩＩに示されており、植物の葉でのＲＴＩ３０１の成長を助ける酵母抽出物の添加は、酵母抽出物を添加しないで適用したＲＴＩ３０１株と比較して、病害防除において約４０％の増加をもたらすことを示している。ＲＴＩ３０１＋１％ＳＦＢ＋酵母抽出物によって示される病害防除の量は、ＲＴＩ３０１製剤中のＳＦＢの量が１％と比較的低くても、同じ割合（すなわち、１×１０８ｃｆｕ／ｍｌ）で適用された場合にＳＥＲＥＮＡＤＥ  ＯＰＴＩＭＵＭについて観察されたものと同様であり、ＳＦＢは抗真菌活性を有する分泌代謝産物を含むことが期待され得る。ＲＴＩ３０１株による豆さびの病害防除のための同様の実験が実施例６に記載されており、その結果を表ＩＶ〜Ｖおよび図４〜５に示す。結果は、ＲＴＩ３０１胞子による豆植物の葉の処理後の豆さび（ウロマイセス・アペンディキュラタス）の比較可能防除を、同じ割合で適用した場合のＳＥＲＥＮＡＤＥ  ＯＰＴＩＭＵＭによる処理と比較して示す。  
【００３９】
多数の一般的な植物病原体に応じた植物の自然感染または人工感染の影響を予防および／または改善するＢ．ベレゼンシスＲＴＩ３０１株の能力を決定するために様々な作物についての野外試験において研究が行われた。結果は実施例７〜９に示される。実施例７および８は、それぞれ、キュウリに対する植物病原体うどんこ病およびトマトのキサントモナスの防除を示す。試験では、ＲＴＩ３０１をＳＥＲＥＮＡＤＥ  ＯＰＴＩＭＵＭと同じ割合で作物に適用した。適用は、作物に応じて適用の間えお５〜７日間隔にして１〜６回実施された。最初の適用のタイミングは、特定の作物に依存し、植え付け時、作物出芽後数週間、開花時、病害の出現時、または病害の出現を予期する前の範囲内であった。実施例７および表ＶＩの結果は、生物殺真菌剤単独と同じ割合で適用した場合のＳＥＲＥＮＡＤＥ  ＯＰＴＩＭＵＭと比較したＲＴＩ３０１によるキュウリのうどんこ病の比較可能防除を示す。
【００４０】
実施例８および表ＶＩＩの結果は、生物殺真菌剤単独と同じ割合で適用した場合のＳＥＲＥＮＡＤＥ  ＯＰＴＩＭＵＭと比較したＲＴＩ３０１によるトマトの細菌スポット（キサントモナス）の比較可能防除を示す。単独の生物殺真菌剤としてのＲＴＩ３０１は、水酸化銅およびクロロタロニルの組み合わせを使用したプログラムと同様の性能を示した。
【００４１】
実施例９および表ＶＩＩＩに示す結果は、生物殺真菌剤単独と同じ割合で適用した場合のＳＥＲＥＮＡＤＥ  ＯＰＴＩＭＵＭと比較した小麦頭痂皮、大豆さび、コーンさび、キュウリうどんこ病、およびトマトの細菌スポットのＲＴＩ３０１による改善または比較可能防除を示す。
【００４２】
実施例１０に記載の実験および表ＩＸに示す結果は、化学的活性剤、ＣｒｕｉｓｅｒＭａｘｘ（ＳＹＮＧＥＮＴＡ  ＣＲＯＰ  ＰＲＯＴＥＣＴＩＯＮ、ＩＮＣ）＋チオファネートメチル殺真菌剤（この組み合わせを本明細書では「ＣＨＥＭ対照」と呼ぶ）のみで処理された種子と比較した、化学活性剤との組み合わせたＲＴＩ３０１による大豆の突然死症候群の改善された防除を示す。
【００４３】
実施例１１は、植物病原体である茶色がかった灰色かび（Ｂｒｏｗｎｉｓｈ  Ｇｒｅｙ  Ｍｉｌｄｅｗ）（ボトリチス・シネレア）の効果を予防および／または改善するＢ．ベレゼンシスＲＴＩ３０１株の能力を決定するためのトマトの野外試験で行われた研究を示す。ＲＴＩ３０１株は、「ファーマープログラム」と呼ばれる化学的活性剤と、ＲＴＩ３０１よりも１０倍高い濃度のバチルス・サブチリス株ＱＳＴ７１３を有するＳＥＲＥＮＡＤＥ  ＭＡＸの適用の組み合わせの適用と比較した。トマト試験のそれぞれにおける非処理対照（「ＵＴ」）におけるボトリチス・シネレア病原体に感染した果実のパーセントの経時的な発達を図６のグラフに示す。表Ｘの結果は、Ｂ．ベレゼンシスＲＴＩ３０１およびファーマープログラムについてトマトの茶色がかった灰色かびの最良の防除が観察され、ＳＥＲＥＮＡＤＥ  ＭＡＸを用いた治療より優れていることを示している。
【００４４】
実施例１２は、植物病原体である茶色がかった灰色かび（Ｂｒｏｗｎｉｓｈ  Ｇｒｅｙ  Ｍｉｌｄｅｗ）（ボトリチス・シネレア）の効果を予防および／または改善するＢ．ベレゼンシスＲＴＩ３０１株の能力を決定するためのイチゴの野外試験で行われた研究を示す。ＲＴＩ３０１株は、「ファーマープログラム」と呼ばれる化学活性剤と、ＲＴＩ３０１株よりも１０倍高い濃度のバチルス・サブチリス株ＱＳＴ７１３を有するＳＥＲＥＮＡＤＥ  ＭＡＸの適用の組み合わせの適用と比較した。イチゴ試験のそれぞれにおける非処理対照（「ＵＴ」）におけるボトリチス・シネレア病原体に感染した果実のパーセントの経時的な発達を図７のグラフに示す。表ＸＩの結果は、ＲＴＩ３０１によって処理した場合の収量の数値的増加はわずかではあるが、３つの処理、Ｂ．ベレゼンシスＲＴＩ３０１、ＳＥＲＥＮＡＤＥ  ＭＡＸ、およびファーマープログラムの全てについて、非処理の対照よりもイチゴについての茶色がかった灰色かびの改善された防除が観察されたことを示す。
【００４５】
実施例１３は、Ｂ．ベレゼンシスＲＴＩ３０１株による植物種子の処理後の植物の成長および発達への影響を調べるためのコーンにおける野外試験を示す。実験は以下のように設定した。１）非処理の種子；２）「化学対照」とよばれるＭＡＸＩＭ、ＡＰＲＯＮ  ＸＬ、およびＰＯＮＣＨＯの組み合わせで処理した種子；ならびに３）化学対照で処理＋株ＲＴＩ３０１の５×１０＋５ｃｆｕ／種子で接種した種子。３つの野外試験が実施され、そのうちの１つは自然の疾病圧力を有し、１つは人為的にフザリウム・グラミネアラムを接種した土壌を有し、１つは人為的にリゾクトニアを接種した土壌を有した。注目すべきことに、リゾクトニアの試験では、ＲＴＩ３０１＋化学対照について化学対照単独より、１エーカーあたり４０．１ブッシェルの非常に大きな収量利益が観察された。要約すると、化学対照＋ＲＴＩ３０１による処理は、３つの試験の全てについて収量の増加をもたらし、リゾクトニアを接種した試験における収量の非常に大きな増加をもたらした（表ＸＩＩ参照）。
【００４６】
実施例１４は、バチルス・ベレゼンシスＲＴＩ３０１株が真菌の植物病原体を防除するためにＦＲＡＣＴＵＲＥとして販売されている製品の性能を向上させる能力を示すインビトロプレートアッセイを示す。ＦＲＡＣＴＵＲＥ製品は、植物抽出物であり、真菌細胞壁に損傷を与え、内部細胞膜を破壊することにより、感受性真菌病原体に作用する有効成分としてのポリペプチド（ＢＬＡＤポリペプチド）を含有する。アッセイのために、ＲＴＩ３０１細菌分離株を、１％ＦＲＡＣＴＵＲＥの存在下および非存在下で、寒天プレート上の病原体と並べて成長させた。植物病原体フザリウム・グラミネアラムおよびフザリウム・オキシスポルムｆｃキューベンセについてのそれぞれのアッセイの結果を図８Ａ〜８Ｆおよび図９Ａ〜９Ｆに示す。寒天に１％ＦＲＡＣＴＵＲＥを添加すると、両方の病原体の成長が減少したが、真菌の成長の完全な阻害は達成されなかった。寒天培地中の１％ＦＲＡＣＴＵＲＥの存在は、Ｂ．ベレゼンシスＲＴＩ３０１の成長を阻害しなかった。しかしながら、ＦＲＡＣＴＵＲＥと組み合わせたＢ．ベレゼンシスＲＴＩ３０１の存在は、フザリウム・グラミネアラムおよびフザリウム・オキシスポルムｆｃキューベンセの両方の真菌成長のさらなる阻害をもたらした。従って、Ｂ．ベレゼンシスＲＴＩ３０１は、ＦＲＡＣＴＵＲＥの性能を高めるために使用され得る。
【００４７】
実施例１５は、バチルス・ベレゼンシスＲＴＩ３０１株によって産生される環状リポペプチド、フェンギシンおよびデヒドロキシフェンギシンの研究、および驚くべきことにこれらの分子のいくつかの以前に報告されていないクラスの同定を示す。バチルス・ベレゼンシスＲＴＩ３０１は、以前に報告されたフェンギシンＡ、ＢおよびＣ化合物、ならびにデヒドロキシフェンギシンＡ、ＢおよびＣ化合物を産生することが判明した。驚くべきことに、これらの既知の化合物に加えて、ＲＴＩ３０１株は、環状ペプチド鎖の８位のＬ−イソロイシン（図１０でＸ３と称する）がＬ−メチオニンにより置換されているこれらの化合物の以前に同定されていない誘導体も産生することが判明した。フェンギシンおよびデヒドロキシフェンギシンの新しいクラスは、本明細書ではＭＡ、ＭＢおよびＭＣと称され、図１０のＸ３におけるＬ−イソロイシンが、Ｌ−メチオニンにより置換されているクラスＡ、ＢおよびＣの誘導体を指す。新たに同定された分子を図１０および表ＸＩＩＩに示す。ＲＴＩ３０１株は、以前に同定されていない追加のクラスのフェンギシンおよびデヒドロキシフェンギシンを産生することがさらに判明した。このクラスでは、フェンギシンＢおよびデヒドロキシフェンギシンＢのＬ−イソロイシン（図１０の位置Ｘ３）がＬ−ホモ−システイン（Ｈｃｙ）により置き換えられている。これらの以前に同定されていないフェンギシンおよびデヒドロキシフェンギシン代謝産物は、本明細書では、フェンギシンＨおよびデヒドロキシフェンギシンＨと呼ばれ、図１０および表ＸＩＩＩに示されている。また、ＲＴＩ３０１株は、以前に同定されていない追加のクラスのフェンギシンおよびデヒドロキシフェンギシン代謝産物を産生することがさらに判明した。このクラスでは、環状ペプチド骨格構造の４位のアミノ酸（図１０の位置Ｘ１）がＬ−イソロイシンにより置換されている。これらの以前に同定されていない代謝産物は、本明細書では、フェンギシンＩおよびデヒドロキシフェンギシンＩと呼ばれ、図１０および表ＸＩＩＩに示されている。
【００４８】
実施例１６は、Ｂ．ベレゼンシス株ＲＴＩ３０１使用済み発酵ブロスからの拮抗性リポペプチドの単離および単離されたリポペプチドが２つの共通の植物病原体に対する活性を保持することを示すｉｎ  ｖｉｔｒｏプレートアッセイを示す。ＲＴＩ３０１を培養し、培養上清の酸性沈殿物をＬＣＭＳで分析して、イツリン、サーファクチンおよびフェンギシンの相対存在量を比較した。図１５は、酸沈殿後のＲＴＩ３０１使用済み発酵ブロスから回収されたリポペプチドのパーセンテージを示すグラフである。結果は、リポペプチドの全量の８３％が酸沈殿によって回収されたことを示す。次に、ボトリチス・シネレアおよびフザリウム・グラミネアラムに対してＬＣＭＳによって分析した同じサンプルを用いて、プレートバイオアッセイを実施した。その結果は、酸沈殿したサンプルが、ボトリチス・シネレアおよびフザリウム・グラミネアラムの両方に対する出発使用済み発酵ブロスと同様のレベルの拮抗活性を有することを示す。 
【００４９】
一実施形態では、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含む組成物が提供され、植物成長への利益の付与、または感受性植物において病原体感染に対する保護の付与の１つまたは両方を植物に適用することができる。植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示される。
【００５０】
一実施形態では、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物を含む組成物が提供され、植物成長への利益の付与、または感受性植物において病原体感染に対する保護の付与の１つまたは両方を植物に適用することができる。植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示される。
【００５１】
本発明の組成物および方法は、限定されないが、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビまたはテンサイを含む広い範囲の植物に有益である。
【００５２】
１つ以上の実施形態では、植物は、大豆、豆、スナップ豆、小麦、綿、コーン、ペッパー、トマト、ジャガイモ、キャッサバ、ブドウ、イチゴ、バナナ、ピーナッツ、スカッシュ、カボチャ、ナス、およびキュウリを含み得る。
【００５３】
本発明の組成物および方法では、病原体感染は、例えば、限定されないが、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、ベンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせを含む広範な植物病原体によって引き起こされ得る。
【００５４】
いくつかの実施形態では、病原体感染は、以下の１つまたは組み合わせによって引き起こされ得る。大豆さび菌（ファコプソラ・パキリジ、ファコプソラ・メイボミエ）および前記植物は大豆を含む；ボトリチス・シネレア（ボトリチス病害）および前記植物はブドウを含む；ボトリチス・シネレア（ボトリチス病害）および前記植物はイチゴを含む；ボトリチス・シネレア（ボトリチス病害）および前記植物はトマトを含む；アルテルナリア属種（例えば、Ａ．ソラニ）および前記植物はトマトを含む；アルテルナリア属種（例えば、Ａ．ソラニ）および前記植物はジャガイモを含む；豆さび（ウロマイセス・アペンディキュラタス）および前記植物は一般的な豆を含む；ミクロスファエラ・ディフサ（大豆うどんこ病）および前記植物は大豆を含む；マイコスフェレラ・フィジエンシス（ブラック・シガトガ（Ｂｌａｃｋ  ｓｉｇａｔｏｇａ））またはフザリウム・オキシスポラムｆ属種キューベンセ（パナマ病）および前記植物はバナナを含む；キサントモナス属種またはキサントモナス・オリゼ・パソバー・オリゼおよび前記植物は米を含む；キサントモナス・アクソノポディスおよび前記植物はキャッサバを含む；キサントモナス・カンペストリスおよび前記植物はトマトを含む；ボトリチス・シネレア（ペッパー・ボトリチス病害）および前記植物はペッパーを含む；うどんこ病および前記植物はククルビットを含む；スクレロチニア・スクレロチオラム（白かび）および前記植物はスナップ豆を含む；スクレロチニア・スクレロチオラム（白かび）および前記植物はジャガイモを含む；スクレロチニア・ホメオカルパ（ドラースポット）および前記植物は芝草を含む；サザン白かびおよび前記植物はピーナツを含む；リーフ・スポット（セルコスポラ／セルコスポリディウム）および前記植物はピーナツを含む；フザリウム・グラミネアラム（小麦頭部腐敗病）および前記植物は小麦を含む；マイコスフェレラ・グラミノコラ（セプトリア・トリチシ・ブロッチ（Ｓｅｐｔｏｒｉａ  ｔｒｉｔｉｃｉ  ｂｌｏｔｃｈ））および前記植物は小麦を含む；スタゴノスポラ・ノドラム（グルメ・ブロッチ（ｇｌｕｍｅ  ｂｌｏｔｃｈ）およびセプトリア・ノドラム・ブロッチ（ｓｅｐｔｏｒｉａ  ｎｏｄｏｒｕｍ  ｂｌｏｔｃｈ））ならびに前記植物は小麦を含む；エルウィニア・アミロボラならびに前記植物は、リンゴ、ナシおよび他のナシ果実を含む；ベンチュリア・イネキュアリスならびに前記植物はリンゴ、ナシおよび他のナシ果実を含む；または、リゾクトニア・ソラニならびに前記植物は、小麦、米、芝草、大豆、コーン、マメ科植物および野菜作物を含む。
【００５５】
ＲＴＩ３０１株を含む組成物は、液体、油分散粒剤、粉剤、乾燥水和性粉末剤、展延性顆粒剤、または乾燥水和性顆粒剤の形態であり得る。
【００５６】
組成物は、植物成長に利益を与え、および／または感受性植物において病原体感染に対する保護を与えるのに適した量で適用される場合、植物の葉、植物の樹皮、植物の果実、植物の花、植物の種子、植物の根、植物の切断片、植物の移植片、植物のカルス組織、植物の周囲の土壌または成長培地、植物の種子を播種する前の土壌または成長培地、または植物、植物切断片、植物移植片、植物カルス組織を植える前の土壌もしくは生育培地に適用された場合に、植物成長に利益を与える。
【００５７】
ＲＴ３０１株を含む組成物はさらに、担体、界面活性剤、分散剤、または酵母抽出物の１つまたは組合せを含み得る。本明細書および特許請求の範囲では、用語「界面活性剤」および「アジュバント」は互換的に使用される。酵母抽出物は、約０．０１％〜０．２％ｗ／ｗの範囲の植物成長に利益を与える割合で送達され得る。
【００５８】
組成物は、植付用の基盤（ｍａｔｒｉｘ）の形態であり得る。植付用の基盤（ｍａｔｒｉｘ）は、鉢植え用の土の形態であり得る。
【００５９】
一実施形態では、植物成長に利益を与えることまたは感受性植物において病原体感染に対する保護を与えることの１つまたは両方のための組成物が提供され、該組成物は、植物成長に利益を与え、および／または感受性植物において病原体感染に対する保護を与えるのに適した量でＡＴＣＣ番号ＰＴＡ−１２１１６５として寄託されたバチルス・ベレゼンシスＲＴＩ３０１、またはその全ての同定特徴を有するその突然変異体の生物学的に純粋な培養物、ならびに、植物成長に利益を与え、および／または感受性植物において病原体感染に対する保護を与えるのに適した量で微生物学的、生物学的もしくは化学的殺虫剤、殺真菌剤、殺線虫剤、殺細菌剤、除草剤、植物抽出物、植物成長調整剤または肥料のうちの１つ以上の組み合わせの両方を含む。この実施形態では、バチルス・ベレゼンシスＲＴＩ３０１の生物学的に純粋な培養物、および微生物学的もしくは化学的殺虫剤、殺真菌剤、殺線虫剤、殺細菌剤、除草剤、植物抽出物、植物成長調整剤または肥料の１つまたは組合せが一緒に製剤化される。
【００６０】
一実施形態では、殺真菌剤は、ルピナス・アルブスからの抽出物を含み得る。一実施形態では、殺真菌剤は、ＢＬＡＤポリペプチドを含み得る。ＢＬＡＤポリペプチドは、真菌の細胞壁を損傷させ、内部細胞膜を破壊することによって感受性真菌病原体に作用する甘ルーピン豆（ルピナス・アルブス）由来の天然の種子貯蔵タンパク質の断片であり得る。組成物は、約２０％のＢＬＡＤポリペプチドを含み得る。
【００６１】
バチルス・ベレゼンシスＲＴＩ３０１を含む組成物において、組成物は液体の形態であり得、バチルス・ベレゼンシスＲＴＩ３０１は、約１．０×１０８ＣＦＵ／ｍｌ〜約１．０×１０１２ＣＦＵ／ｍｌの濃度で存在し得る。組成物は、粉剤、乾燥水和剤、展延性顆粒剤、または乾式粒剤の形態であり得、バチルス・ベレゼンシスＲＴＩ３０１は、約１．０×１０８ＣＦＵ／ｇ〜約１．０×１０１２ＣＦＵ／ｇの量で存在し得る。組成物は、油分散体の形態であり得、バチルス・ベレゼンシスＲＴＩ３０１は、約１．０×１０８ＣＦＵ／ｍｌ〜約１．０×１０１２ＣＦＵ／ｍｌの濃度で存在し得る。バチルス・ベレゼンシスＲＴＩ３０１は、胞子または栄養細胞の形態であり得る。
【００６２】
一実施形態では、植物成長に利益を与えることまたは感受性植物において病原体感染に対する保護を与えることの１つまたは両方のための方法が提供され、該方法は、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物の胞子を含む組成物を、植物成長に利益を与え、および／または感受性植物において病原体感染に対する保護を与えるのに適した量で、植物の葉、植物の樹皮、植物の果実、植物の花、植物の種子、植物の根、植物の切断片、植物の移植片、植物のカルス組織、植物の周囲の土壌または成長培地、植物の種子を播種する前の土壌または成長培地、または植物、植物切断片、植物移植片、植物カルス組織を植える前の土壌もしくは生育培地に送達することを含む。組成物は、植物の葉に送達され得る。
【００６３】
方法において、バチルス・ベレゼンシスＲＴＩ３０１を含む組成物は、担体、界面活性剤、分散剤、または酵母抽出物の１つまたは組合せをさらに含み得る。酵母抽出物は、約０．０１％〜０．２％ｗ／ｗの範囲の植物成長に利益を与える割合で送達され得る。
【００６４】
本発明の別の実施形態では、植物成長に利益を与えることまたは感受性植物において病原体感染に対する保護を与えることの１つまたは両方のための方法が提供され、該方法は、植物成長に利益を与え、および／または病原体感染に対する保護を与えるのに適した量でＡＴＣＣ番号ＰＴＡ−１２１１６５として寄託されたバチルス・ベレゼンシスＲＴＩ３０１、またはその全ての同定特徴を有するその突然変異体の生物学的に純粋な培養物の胞子、ならびに植物成長に利益を与え、および／または病原体感染に対する保護を与えるのに適した量で微生物学的、生物学的もしくは化学的殺虫剤、殺真菌剤、殺線虫剤、殺細菌剤、除草剤、植物抽出物、植物成長調整剤または肥料のうちの１つまたは組合せを含む組成物を、植物の葉、植物の樹皮、植物の果実、植物の花、植物の種子、植物の根、植物の切断片、植物の移植片、植物のカルス組織、植物の周囲の土壌または成長培地、植物の種子を播種する前の土壌または成長培地、または植物、植物切断片、植物移植片、植物カルス組織を植える前の土壌もしくは生育培地に送達することを含む。
【００６５】
一実施形態では、植物成長に利益を与えることまたは感受性植物において病原体感染に対する保護を与えることの１つまたは両方のための方法が提供され、該方法は、植物成長に利益を与え、および／または感受性植物において病原体感染に対する保護を与えるのに適した量でＡＴＣＣ番号ＰＴＡ−１２１１６５として寄託されたバチルス・ベレゼンシスＲＴＩ３０１、またはその全ての同定特徴を有するその突然変異体の生物学的に純粋な培養物の胞子を含む第１組成物、ならびに植物成長に利益を与え、および／または感受性植物において病原体感染に対する保護を与えるのに適した量で微生物学的、生物学的もしくは化学的殺虫剤、殺真菌剤、殺線虫剤、殺細菌剤、除草剤、植物抽出物、植物成長調整剤または肥料のうちの１つまたは組合せを含む第２組成物の組み合わせを、植物の葉、植物の樹皮、植物の果実、植物の花、植物の種子、植物の根、植物の切断片、植物の移植片、植物のカルス組織、植物の周囲の土壌または成長培地、植物の種子を播種する前の土壌または成長培地、または植物、植物切断片、植物移植片、植物カルス組織を植える前の土壌もしくは生育培地に送達することを含む。一実施形態では、第１および第２組成物は、植物の葉に送達され得る。
【００６６】
第１組成物は、担体、界面活性剤、分散剤、または酵母抽出物の１つまたは組合せをさらに含み得る。酵母抽出物は、約０．０１％〜０．２％ｗ／ｗの範囲の植物成長に利益を与える割合で送達され得る。
【００６７】
第２組成物の殺真菌剤は、ルピナス・アルブスからの抽出物を含み得る。第２組成物の殺真菌剤は、ＢＬＡＤポリペプチドを含み得る。ＢＬＡＤポリペプチドは、真菌の細胞壁を損傷させ、内部細胞膜を破壊することによって感受性真菌病原体に作用する甘ルーピン豆（ルピナス・アルブス）由来の天然の種子貯蔵タンパク質の断片であり得る。第２組成物の殺真菌剤は、約２０％のＢＬＡＤポリペプチドを含み得る。 
【００６８】
微生物学的、生物学的もしくは化学的殺虫剤、殺真菌剤、殺線虫剤、殺細菌剤、除草剤、植物抽出物、植物成長調整剤、または肥料と組み合わせてＲＴＩ３０１を送達するための本発明の組成物および方法において、植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示され得る。
【００６９】
一実施形態では、方法は、液体肥料を以下、植物の周囲の土壌もしくは成長培地、植物の種子を播種する前の土壌もしくは成長培地、または植物、植物切断片、植物移植片、もしくは植物カルス組織を植え付ける前の土壌もしくは成長培地に適用することを含むことができる。
【００７０】
微生物学的、生物学的もしくは化学的殺虫剤、殺真菌剤、殺線虫剤、殺細菌剤、除草剤、植物抽出物、植物成長調整剤または肥料と組み合わせてＲＴＩ３０１を送達する方法では、組成物は、液体、油分散粒剤、粉剤、乾燥水和性粉末剤、展延性顆粒剤または乾燥水和性顆粒剤の形態であり得る。バチルス・ベレゼンシスＲＴＩ３０１は、胞子または栄養細胞の形態であり得る。バチルス・ベレゼンシスＲＴＩ３０１は、約１．０×１０１０ＣＦＵ／ｈａ〜約１．０×１０１４ＣＦＵ／ｈａの植物成長に利益を与えるための割合で送達され得る。酵母抽出物は、約０．０１％〜０．２％ｗ／ｗの範囲の植物成長に利益を与える割合で送達され得る。
【００７１】
微生物学的、生物学的もしくは化学的殺虫剤、殺真菌剤、殺線虫剤、殺細菌剤、除草剤、植物抽出物、植物成長調整剤または肥料とともにＲＴＩ３０１を送達するための本発明の組成物および方法では、殺虫剤はビフェントリンを含み得る。１つ以上の実施形態では、殺線虫剤はカドサホスを含み得る。１つ以上の実施形態では、殺虫剤はビフェントリンおよびクロチアニジンを含み得る。１つ以上の実施形態では、殺虫剤は、ビフェントリンを含み得、組成物は液体として製剤化され得る。１つ以上の実施形態では、殺虫剤はビフェントリンおよびクロチアニジを含むことができ、組成物は液体として製剤化され得る。１つ以上の実施形態では、殺虫剤は、ビフェントリンまたはゼータ−シペルメトリンを含み得る。１つ以上の実施形態では、組成物は液体として製剤化され得、殺虫剤は、ビフェントリンまたはゼータ−シペルメトリンを含み得る。
【００７２】
殺虫剤はビフェントリンであってもよく、組成物製剤は、水和ケイ酸アルミニウム−マグネシウム、ならびにスクロースエステル、リグノスルホネート、アルキルポリグリコシド、ナフタレンスルホン酸ホルムアルデヒド縮合物およびリン酸エステルからなる群から選択される少なくとも１種の分散剤をさらに含み得る。ビフェントリン殺虫剤は、０．１ｇ／ｍｌ〜０．２ｇ／ｍｌの範囲の濃度で存在し得る。ビフェントリン殺虫剤は、約０．１７１５ｇ／ｍｌの濃度で存在し得る。ビフェントリン殺虫剤の適用割合は、約０．１グラムのビフェントリン／ヘクタール（ｇ  ａｉ／ｈａ）〜約１０００ｇ  ａｉ／ｈａの範囲、より好ましくは約１ｇ  ａｉ／ｈａ〜約１００ｇ  ａｉ／ｈａの範囲である。
【００７３】
実施形態では、ビフェントリン組成物は、ビフェントリン、水和ケイ酸アルミニウム−マグネシウム、ならびにスクロースエステル、リグノスルホネート、アルキルポリグリコシド、ナフタレンスルホン酸ホルムアルデヒド縮合物およびリン酸エステルから選択される少なくとも１種の分散剤、を含み得る。
【００７４】
ビフェントリンは、好ましくは、組成物中の全成分の総重量に基づいて、１．０重量％〜３５重量％、より詳細には１５重量％〜２５重量％の濃度で存在し得る。ビフェントリン殺虫剤組成物は、液体として肥料との混合物に適した方法で製剤化され得る。ビフェントリン殺虫剤組成物は、０．１ｇ／ｍｌ〜０．２ｇ／ｍｌの範囲の濃度で液体製剤中に存在し得る。ビフェントリン殺虫剤は、約０．１７１５ｇ／ｍｌの濃度で液体製剤中に存在し得る。「液体として肥料との混合物に適した方法で製剤化され得る」および「液体肥料と相溶性を有する製剤において」という用語は、明細書および特許請求の範囲全体にわたって交換可能に使用され、液体製剤中での植物への送達のための肥料との混合を可能にするために、製剤が水溶液中に溶解または分散またはエマルションにし得ること意味することが意図される。
【００７５】
分散剤または分散剤（複数）は、好ましくは、組成物中の全成分の総重量に基づいて、約０．０２重量％〜約２０重量％の総濃度で存在し得る。
【００７６】
いくつかの実施形態では、水和ケイ酸アルミニウム−マグネシウムは、モンモリロナイトおよびアタパルジャイトからなる群から選択され得る。
【００７７】
いくつかの実施形態では、リン酸エステルは、ノニルフェノールリン酸エステルおよびトリデシルアルコールエトキシル化リン酸カリウム塩から選択され得る。 
【００７８】
他の実施形態は、さらに、凍結防止剤、消泡剤および殺生物剤のうちの少なくとも１つを含み得る。
【００７９】
一実施形態では、植物成長に利益を与えるための組成物が提供され、該組成物は、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物、および殺虫剤を含む。殺虫剤は、ピレスロイド、ビフェントリン、テフルトリン、ゼータ−シペルメトリン、有機フォスフェート、クロレトキシフォス、クロルピリホス、テブピリムフォス、シフルトリン、フィプロール（ｆｉｐｒｏｌｅｓ）、フィプロニル、ニコチノイド、またはクロチアニジンの１つまたは組み合わせであり得る。殺虫剤はビフェントリンを含み得る。殺虫剤は、ビフェントリンを含み得、組成物は、液体肥料と相溶性を有する製剤中に存在し得る。組成物はさらに、水和ケイ酸アルミニウム−マグネシウムおよび少なくとも１つの分散剤を含み得る。ビフェントリン殺虫剤は、０．１ｇ／ｍｌ〜０．２ｇ／ｍｌの範囲の濃度で存在し得る。ビフェントリン殺虫剤は、約０．１７１５ｇ／ｍｌの濃度で存在し得る。
【００８０】
さらに、１つ以上の実施形態では、本発明の組成物および方法の適切な殺虫剤、除草剤、殺真菌剤、および殺線虫剤は、以下を含み得る： 
【００８１】
殺虫剤：Ａ０）アグリガタ（agrigata）、アル−ホスフィド、アンブリセイウス、アフェリヌス（apherinus）、アフィディウス、アフィドレテス、アルテミシニン、オートグラファ・カリフォルニカＮＰＶ、アゾシクロチン、バチルス・サブチリス（bacillus-subtilis）、バチルス・チューリンゲンシス・アイザワイ（bacillus-thur.-aizawai）、バチルス・チューリンゲンシス・クルスタキー（bacillus-thur.-kurstaki）、バチルス・チューリンゲンシス（bacillus-thuringiensis）、ボーベリア（beauveria）、ボーベリア・バシアーナ（beauveria-bassiana）、ベータシフルトリン、生物学的製剤、ビスルタップ、ブロフルトリネート、ブロモホス−ｅ、ブロモプロピレート、Ｂｔ遺伝子組換トウモロコシ、Ｂｔ遺伝子組換大豆、カプサイシン、カルタップ、セラストラス（celastrus）抽出物、クロルアントラニリプロール、クロルベンズロン、クロルエトキシフォス、クロルフルアズロン、クロルピリホス−ｅ、シニジアジン（cnidiadin）、クリオライト、シアノホス、シアントラニリプロール、シハロトリン、シヘキサチン、シペルメトリン、ダクヌサ、ＤＣＩＰ、ジクロロプロペン、ジコホル、ジグリファス、ジグリファス+ダクヌサ、ジメタカルブ、ジチオエーテル、酢酸ドデシル、エマメクチン、エンカルシア（encarsia）、ＥＰＮ、エレツモセルス（eretmocerus）、エチレン−ジブロミド、ユーカリプトール、脂肪酸、脂肪酸／塩、フェナザキン、フェノブカルブ（ＢＰＭＣ）、フェンピロキシメート、フルブロシトリネート（flubrocythrinate）、フルフェンジン、ホルメタネート、ホルモチオン、フラチオカルブ、ガンマ−シハロトリン、ニンニクジュース、グラニュロシス−ウイルス、ハルモニア（harmonia）、オオタバコガ（heliothis armigera）ＮＰＶ、不活性細菌、インドール−３−イル酪酸、ヨードメタン、鉄、イソカルボホス（isocarbofos）、イソフェンホス、イソフェンホス−ｍ、イソプロカルブ、イソチオエート（isothioate）、カオリン、リンダン、リウヤンマイシン（liuyangmycin）、マトリン、メホスホラン、メタアルデヒド、メタリジウム−アニソプリエ、メタミドホス、メトルカルブ（ＭＴＭＣ）、鉱物油、マイレックス、ｍ−イソチオシアネート、モノスルタップ、ミロテシウム・ベルカリア（myrothecium verrucaria）、ナレド、ハモグリミドリヒメコバチ（neochrysocharis formos）、ニコチン、ニコチノイド、油脂、オレイン酸、オメトエート、オリウス（orius）、オキシマトリン、ペシロマイセス、パラフィン油、パラチオン−ｅ、パスツリア、石油、フェロモン、リン酸、フォトラブダス、フォキシム、フィトセイウルス（phytoseiulus）、ピリミホス−ｅ、植物油、プルテラ・キシロステラ（plutella xylostella）ＧＶ、多角体病（polyhedrosis）ウイルス、ポリフェノール抽出物、オレイン酸カリウム、プロフェノホス、プロスレル（prosuler）、プロチオホス、ピラクロホス、ピレトリン、ピリダフェンチオン、ピリミジフェン、ピリプロキシフェン、キラヤ（quillay）抽出物、キノメチオネート、菜種油、ロテノン、サポニン、サポノジット（saponozit）、ナトリウム化合物、フルオロケイ酸ナトリウム、スターチ、ステイネルネマ（steinernema）、ストレプトマイセス、スルフルラミド、硫黄、テブピリムホス、テフルトリン、テメホス、テトラジホン、チオファノックス、チオメ���ン、トランスジェニクス（例えば、Ｃｒｙ３Ｂｂ１）、トリアザメート、トリコデルマ、トリコグランマ、トリフルムロン、ベルチシリウム、ベルトリン、殺虫剤の異性体（例えば、カッパ−ビフェントリン、カッパ−テフルトリン）、ジクロロメゾチアズ、ブロフラニリド、ピラジフルミドを含む様々な殺虫剤；Ａ１）アルジカルブ、アラニカルブ、ベンフラカルブ、カルバリル、カルボフラン、カルボスルファン、メチオカルブ、メソミル、オキサミル、ピリミカルブ、プロポクスルおよびチオジカルブを含むカルバメート類；Ａ２）アセフェート、アジンホス−エチル、アジンホス−メチル、クロルフェンビンホス、クロルピリホス、クロルピリホス−メチル、デメトン−Ｓ−メチル、ジアジノン、ジクロルボス／ＤＤＶＰ、ジクロトホス、ジメトエート、ジスルホトン、エチオン、フェニトロチオン、フェンチオン、イソキサチオン、マラチオン、メタミダホス、メチダチオン、メビンホス、モノクロトホス、オキシメトエート、オキシデメトン−メチル、パラチオン、パラチオン−メチル、フェントエート、ホレート、ホサロン、ホスメット、ホスファミドン、ピリミホス−メチル、キナルホス、テルブホス、テトラクロルビンホス、トリアゾホスおよびトリクロルホンを含むオルガノホスフェート類；Ａ３）エンドスルファン等のシクロジエンオルガノクロリド化合物類；Ａ４）エチプロール、フィプロニル、ピラフルプロールおよびピリプロールを含むフィプロール類；Ａ５）アセタミプリド、クロチアニジン、ジノテフラン、イミダクロプリド、ニテンピラム、チアクロプリドおよびチアメトキサムを含むネオニコチノイド類；Ａ６）スピノサドおよびスピネトラム等のスピノシン類；Ａ７）アバメクチン、エマメクチンベンゾエート、イベルメクチン、レピメクチンおよびミルベメクチンを含むメクチン類由来のクロリドチャネルアクチベーター；Ａ８）ヒドロプレン、キノプレン、メトプレン、フェノキシカルブおよびピリプロキシフェン等の若年性ホルモン模倣物；Ａ９）ピメトロジン、フロニカミドおよびピリフルキナゾン等の選択的同翅型摂食ブロッカー；Ａ１０）クロフェンテジン、ヘキシチアゾクスおよびエトキサゾール等のダニ成長阻害剤；Ａ１１）ジアフェンチウロン、フェンブタチン酸化物およびプロパルギット等のミトコンドリアＡＴＰシンターゼ阻害剤；クロルフェナピル等の酸化的リン酸化の脱共役剤；Ａ１２）ベンスルタップ、カルタップヒドロクロリド、チオシクラムおよびチオスルタップナトリウム等のニコチン性アセチルコリン受容体チャネルブロッカー；Ａ１３）ビストリフルロン、ジフルベンズロン、フルフェノクスロン、ヘキサフルムロン、ルフェヌロン、ノバルロンおよびテフルベンズロンを含むベンゾイル尿素類由来のキチン生合成のタイプ０の阻害剤；Ａ１４）ブプロフェジン等のキチン生合成のタイプ１の阻害剤；Ａ１５）シロマジン等の脱皮攪乱剤；Ａ１６）メトキシフェノジド、テブフェノジド、ハロフェノジドおよびクロマフェノジド等のエクジソン受容体アゴニスト；Ａ１７）アミトラズ等のオクトパミン受容体アゴニスト；Ａ１８）ミトコンドリア複合体電子輸送阻害剤であるピリダベン、テブフェンピラド、トルフェンピラド、フルフェネリム、シ���ノピラフェン、シフルメトフェン、ヒドラメチルノン、アセキノシルまたはフルアクリピリム；Ａ１９）インドキサカルブおよびメタフルミゾン等の電圧依存性ナトリウムチャネルブロッカー；Ａ２０）スピロジクロフェン、スピロメシフェンおよびスピロテトラマット等の脂質合成阻害剤；Ａ２１）フルベンジアミド、フタルアミド化合物（Ｒ）−３−クロル−Ｎ１−｛２−メチル−４−［１，２，２，２−テトラフルオロ−１−（トリフルオロメチル）エチル］フェニル｝−Ｎ２−（１−メチル−２−メチルスルホニルエチル）フタルアミドおよび（Ｓ）−３−クロル−Ｎ１−｛２−メチル−４−［１，２，２，２−テトラフルオロ−１−（トリフルオロメチル）エチル］フェニル｝−Ｎ２−（１−メチル−２−メチルスルホニルエチル）フタルアミド、クロラントラニリプロールおよびシアントラニリプロールを含むジアミド類由来のリアノジン受容体モジュレーター；Ａ２２）アザジラクチン、アミドフルメト、ビフェナゼート、フルエンスルホン、ピペロニルブトキシド、ピリダリル、スルホキサフロル等の作用機序の不明または不確かな化合物；または、Ａ２３）アクリナトリン、アレスリン、ビフェントリン、シフルトリン、ラムダ−シハロトリン、シペルメトリン、アルファ−シペルメトリン、ベータ−シペルメトリン、ゼータ−シペルメトリン、デルタメトリン、エスフェンバレレート、エトフェンプロックス、フェンプロパトリン、フェンバレレート、フルシトリネート、タウ−フルバリネート、ペルメトリン、シラフルオフェンおよびトラロメトリンを含むピレスロイド類由来のナトリウムチャネルモジュレーター。
【００８２】
殺真菌剤：Ｂ０）ベンゾビンジフルピル、アンチペロノスポリック（anitiperonosporic）、アメトクトラジン、アミスルブロム、銅塩（例えば、水酸化銅、酸塩化銅、硫酸銅、過硫酸銅）、ボスカリド、チフルザミド（thiflumazide）、フルチアニル、フララキシル、チアベンダゾール、ベノダニル、メプロニル、イソフェタミド、フェンフラム、ビキサフェン（bixafen）、フルキサピロキサド、ペンフルフェン、セダキサン、クモキシストロビン、エノキサストロビン、フルフェノキシストロビン、ピラオキシストロビン、ピラメトストロビン、トリクロピリカルブ（triclopyricarb）、フェナミンストロビン、メトミノストロビン、ピリベンカルブ、メプチルジノカップ（meptyldinocap）、酢酸フェンチン、塩化フェンチン、水酸化フェンチン、オキシテトラシクリン、クロゾリネート（chlozolinate）、クロロネブ、テクナゼン、エトリジアゾール、ヨードカルブ、プロチオカルブ、バチルス・サブチリス・シノニム、バチルス・アミロリクエファシエンス（例えば、ＱＳＴ  ７１３、ＦＺＢ２４、ＭＢＩ６００、Ｄ７４７株）、メラレウカ・アルテルニフォリア（Melaleuca alternifolia）抽出物、ルピナス・アルブス・ドーセ（Lupinus albus doce）抽出物、ＢＬＡＤポリペプチド、ピリソキサゾール（pyrisoxazole）、オキスポコナゾール、エタコナゾール（etaconazole）、フェンピラザミン、ナフチフィン、テルビナフィン、バリダマイシン、ピリモルフ、バリフェナレート、フタリド、プロベナゾール、イソチアニル、ラミナリン、レイノウトリア・サチャリネンシス（Reynoutria sachalinensis）抽出物、亜リン酸および塩、テクロフタラム（teclofthalam）、トリアゾキシド（triazoxide）、ピリオフェノン、有機油、炭酸水素カリウム、クロロタロニル、フルオロイミド；Ｂ１）ビテルタノール、ブロムコナゾール、シプロコナゾール、ジフェノコナゾール、ジニコナゾール、エニルコナゾール、エポキシコナゾール、フルキンコナゾール、フェンブコナゾール、フルシラゾール、フルトリアホール、ヘキサコナゾール、イミベンコナゾール、イプコナゾール、メトコナゾール、ミクロブタニル、ペンコナゾール、プロピコナゾール、プロチオコナゾール、シメコナゾール、トリアジメホン、トリアジメノール、テブコナゾール、テトラコナゾール、トリチコナゾール、プロクロラズ、ペフラゾエート、イマザリル、トリフルミゾール、シアゾファミド、ベノミル、カルベンダジム、チアベンダゾール、フベリダゾール、エタボキサム、エトリジアゾール、ヒメキサゾール、アザコナゾール、ジニコナゾール−Ｍ、オキスポコナゾール、パクロブトラゾール、ウニコナゾール、１−（４−クロロフェニル）−２−（［１，２，４］トリアゾール−１−イル）−シクロヘプタノールおよびイマザリルスルフェートを含むアゾール；Ｂ２）アゾキシストロビン、ジモキシストロビン、エネストロブリン、フルオキサストロビン、クレソキシム−メチル、メトミノストロビン、オリサストロビン、ピコキシストロビン、ピラクロストロビン、トリフロキシストロビン、エネストロブリン、メチル（２−クロロ−５−［１−（３−メチルベンジルオキシイミノ）エチル］ベンジル）カルバメート、メチル（２−クロロ−５−［１−（６−メチルピリジン−２−イルメトキシイミノ）エチル］ベンジル）カルバメート、メチル２−（オルト−（２，５−ジメチルフェニルオキシメチレン）−フェニル）−３−メトキシアクリレート、２−（２−（６−（３−クロロ−２−メチル−フェノキシ）−５−フルオロ−ピリミジン−４−イルオキシ）−フェニル）−２−メトキシイミノ−Ｎ−メチル−アセトアミドおよび３−メトキシ−２−（２−（Ｎ−（４−メトキシ−フェニル）−シクロプロパンカルボキシイミドイルスルファニルメチル）−フェニル）−アクリル酸メチルエステルを含むストロビルリン；Ｂ３）カルボキシン、ベナラキシル、ベナラキシル−Ｍ、フェンヘキサミド、フルトラニル、フラメトピル、メプロニル、メタラキシル、メフェノキサム、オフレース、オキサジキシル、オキシカルボキシン、ペンチオピラド、イソピラザム、チフルザミド、チアジニル、３，４−ジクロロ−Ｎ−（２−シアノフェニル）イソチアゾール−５−カルボキサミド、ジメトモルフ、フルモルフ、フルメトベル、フルオピコリド（ピコベンズアミド）、ゾキサミド、カルプロパミド、ジクロシメット、マンジプロパミド、Ｎ−（２−（４−［３−（４−クロロフェニル）プロパ−２−インイルオキシ］−３−メトキシフェニル）エチル）−２−メタンスルホニル−アミノ−３−メチルブチルアミド、Ｎ−（２−（４−［３−（４−クロロフェニル）プロパ−２−インイルオキシ］−３−メトキシ−フェニル）エチル）−２−エタンスルホニルアミノ−３−メチルブチルアミド、メチル３−（４−クロロフェニル）−３−（２−イソプロポキシカルボニル−アミノ−３−メチル−ブチリルアミノ）プロピオネート、Ｎ−（４’−ブロモビフェニル−２−イル）−４−ジフルオロメチル−メチルチアゾール−δ−カルボキサミド、Ｎ−（４’−トリフルオロメチル−ビフェニル−２−イル）−４−ジフルオロメチル−２−メチルチアゾール−５−カルボキサミド、Ｎ−（４’−クロロ−３’−フルオロビフェニル−２−イル）−４−ジフルオロメチル−２−メチル−チアゾール−５−カルボキサミド、Ｎ−（３，４’−ジクロロ−４−フルオロビフェニル−２−イル）−３−ジフルオロ−メチル−１−メチルピラゾール−４−カルボキサミド、Ｎ−（３’，４’−ジクロロ−５−フルオロビフェニル−２−イル）−３−ジフルオロメチル−１−メチルピラゾール−４−カルボキサミド、Ｎ−（２−シアノ−フェニル）−３，４−ジクロロイソチアゾール−５−カルボキサミド、２−アミノ−４−メチル−チアゾール−５−カルボキシアニリド、２−クロロ−Ｎ−（１，１，３−トリメチル−インダン−４−イル）−ニコチンアミド、Ｎ−（２−（１，３−ジメチルブチル）−フェニル）−１，３−ジメチル−５−フルオロ−１Ｈ−ピラゾール−４−カルボキサミド、Ｎ−（４’−クロロ−３’，５−ジフルオロ−ビフェニル−２−イル）−３−ジフルオロメチル−１−メチル−１Ｈ−ピラゾール−４−カルボキサミド、Ｎ−（４’−クロロ−３’，５−ジフルオロ−ビフェニル−２−イル）−３−トリフルオロメチル−１−メチル−１Ｈ−ピラゾール−４−カルボキサミド、Ｎ−（３’，４’−ジクロロ−５−フルオロ−ビフェニル−２−イル）−３−トリフルオロメチル−１−メチル−１Ｈ−ピラゾール−４−カルボキサミド���Ｎ−（３’，５−ジフルオロ−４’−メチル−ビフェニル−２−イル）−３−ジフルオロメチル−１−メチル−１Ｈ−ピラゾール−４−カルボキサミド、Ｎ−（３’，５−ジフルオロ−４’−メチル−ビフェニル−２−イル）−３−トリフルオロメチル−１−メチル−１Ｈ−ピラゾール−４−カルボキサミド、Ｎ−（シス−２−ビシクロプロピル−２−イル−フェニル）−３−ジフルオロメチル−１−メチル−１Ｈ−ピラゾール−４−カルボキサミド、Ｎ−（トランス−２−ビシクロプロピル−２−イル−フェニル）−３−ジフルオロ−メチル−１−メチル−１Ｈ−ピラゾール−４−カルボキサミド、フルオピラム、Ｎ−（３−エチル−３，５−５−トリメチル−シクロヘキシル）−３−ホルミルアミノ−２−ヒドロキシ−ベンズアミド、オキシテトラサイクリン、シルチオファム、Ｎ−（６−メトキシ−ピリジン−３−イル）シクロプロパンカルボキサミド、２−ヨード−Ｎ−フェニル−ベンズアミド、Ｎ−（２−ビシクロ−プロピル−２−イル−フェニル）−３−ジフルオロメチル−１−メチルピラゾール−４−イルカルボキサミド、Ｎ−（３’，４’，５’−トリフルオロビフェニル−２−イル）−１，３−ジメチルピラゾール−４−イルカルボキサミド、Ｎ−（３’，４’，５’−トリフルオロビフェニル−２−イル）−１，３−ジメチル−５−フルオロピラゾール−４−イルカルボキサミド、Ｎ−（３’，４’，５’−トリフルオロビフェニル−２−イル）−５−クロロ−１，３−ジメチル−ピラゾール−４−イルカルボキサミド、Ｎ−（３’，４’，５’−トリフルオロビフェニル−２−イル）−３−フルオロメチル−１−メチルピラゾール−４−イルカルボキサミド、Ｎ−（３’，４’，５’−トリフルオロビフェニル−２−イル）−３−（クロロフルオロメチル）−１−メチルピラゾール−４−イルカルボキサミド、Ｎ−（３’，４’，５’−トリフルオロビフェニル−２−イル）−３−ジフルオロメチル−１−メチルピラゾール−４−イルカルボキサミド、Ｎ−（３’，４’，５’−トリフルオロビフェニル−２−イル）−３−ジフルオロメチル−５−フルオロ−１−メチルピラゾール−４−イルカルボキサミド、
Ｎ−（３’，４’，５’−トリフルオロビフェニル−２−イル）−５−クロロ−３−ジフルオロメチル−１−メチルピラゾール−４−イルカルボキサミド、Ｎ−（３’，４’，５’−トリフルオロビフェニル−２−イル）−３−（クロロジフルオロメチル）−１−メチルピラゾール−４−イルカルボキサミド、Ｎ−（３’，４’，５’−トリフルオロビフェニル−２−イル）−１−メチル−３−トリフルオロメチルピラゾール−４−イルカルボキサミド、Ｎ−（３’，４’，５’−トリフルオロビフェニル−２−イル）−５−フルオロ−１−メチル−３−トリフルオロメチルピラゾール−４−イルカルボキサミド、Ｎ−（３’，４’，５’−トリフルオロビフェニル−２−イル）−５−クロロ−１−メチル−３−トリフルオロメチルピラゾール−４−イルカルボキサミド、Ｎ−（２’，４’，５’−トリフルオロビフェニル−２−イル）−１，３−ジメチルピラゾール−４−イルカルボキサミド、Ｎ−（２’，４’，５’−トリフルオロビフェニル−２−イル）−１，３−ジメチル−５−フルオロピラゾール−４−イルカルボキサミド、Ｎ−（２’，４’，５’−トリフルオロビフェニル−２−イル）−５−クロロ−１，３−ジメチルピラゾール−４−イルカルボキサミド、Ｎ−（２’，４’，５’−トリフルオロビフェニル−２−イル）−３−フルオロメチル−１−メチルピラゾール−４−イルカルボキサミド、Ｎ−（２’，４’，５’−トリフルオロビフェニル−２−イル）−３−（クロロフルオロメチル）−１−メチルピラゾール−４−イルカルボキサミド、Ｎ−（２’，４’，５’−トリフルオロビフェニル−２−イル）−３−ジフルオロメチル−１−メチルピラゾール−４−イルカルボキサミド、Ｎ−（２’，４’，５’−トリフルオロビフェニル−２−イル）−３−ジフルオロメチル−５−フルオロ−１−メチルピラゾール−４−イルカルボキサミド、Ｎ−（２’，４’，５’−トリフルオロビフェニル−２−イル）−５−クロロ−３−ジフルオロメチル−１−メチルピラゾール−４−イルカルボキサミド、Ｎ−（２’，４’，５’−トリフルオロビフェニル−２−イル）−３−（クロロジフルオロメチル）−１−メチルピラゾール−４−イルカルボキサミド、Ｎ−（２’，４’，５’−トリフルオロビフェニル−２−イル）−１−メチル−３−トリフルオロメチルピラゾール−４−イルカルボキサミド、Ｎ−（２’，４’，５’−トリフルオロビフェニル−２−イル）−５−フルオロ−１−メチル−３−トリフルオロメチルピラゾール−４−イルカルボキサミド、Ｎ−（２’，４’，５’−トリフルオロビフェニル−２−イル）−５−クロロ−１−メチル−３−トリフルオロメチルピラゾール−４−イルカルボキサミド、Ｎ−（３’，４’−ジクロロ−３−フルオロビフェニル−２−イル）−１−メチル−３−トリフルオロメチル−１Ｈ−ピラゾール−４−カルボキサミド、Ｎ−（３’，４’−ジクロロ−３−フルオロビフェニル−２−イル）−１−メチル−３−ジフルオロメチル−１Ｈ−ピラゾール−４−カルボキサミド、Ｎ−（３’，４’−ジフルオロ−３−フルオロビフェニル−２−イル）−１−メチル−３−トリフルオロメチル−１Ｈ−ピラゾール−４−カルボキサミド、Ｎ−（３’，４’−ジフルオロ−３−フルオロビフェニル−２−イル）−１−メチル−Ｓ−ジフルオロメチル−１Ｈ−ピラゾール−４−カルボキサミド、Ｎ−（３’−クロロ−４’−フルオロ−３−フルオロビフェニル−２−イル）−１−メチル−３−ジフルオロメチル−１Ｈ−ピラゾール−４−カルボキサミド、Ｎ−（３’，４’−ジクロロ−４−フルオロビフェニル−２−イル）−１−メチル−３−トリフルオロメチル−１Ｈ−ピラゾール−４−カルボキサミド、Ｎ−（３’，４’−ジフルオロ−４−フルオロビフェニル−２−イル）−１−メチル−Ｓ−トリフルオロメチル−１Ｈ−ピラゾール−４−カルボキサミド、Ｎ−（３’，４’−ジクロロ−４−フルオロビフェニル−２−イル）−１−メチル−３−ジフルオロメチル−１Ｈ−ピラゾール−４−カルボキサミド、Ｎ−（３’，４’−ジフルオロ−４−フルオロビフェニル−２−イル）−１−メチル−３−ジフルオロメチル−１Ｈ−ピラゾール−４−カルボキサミド、Ｎ−（３’−クロロ−４’−フルオロ−４−フルオロビフェニル−２−イル）−１−メチル−Ｓ−ジフルオロメチル−１Ｈ−ピラゾール−４−カルボキサミド、Ｎ−（３’，４’−ジクロロ−５−フルオロビフェニル−２−イル）−１−メチル−３−トリフルオロメチル−１Ｈ−ピラゾール−４−カルボキサミド、Ｎ−（３’，４’−ジフルオロ−５−フルオロビフェニル−２−イル）−１−メチル−３−トリフルオロメチル−１Ｈ−ピラゾール−４−カルボキサミド、Ｎ−（３’，４’−ジクロロ−５−フルオロビフェニル−２−イル）−１−メチル−Ｓ−ジフルオロメチル−１Ｈ−ピラゾール−４−カルボキサミド、Ｎ−（３’，４−ジフルオロ−５−フルオロビフェニル−２−イル）−１−メチル−３−ジフルオロメチル−１Ｈ−ピラゾール−４−カルボキサミド、Ｎ−（３’，４’−ジクロロ−５−フルオロビフェニル−２−イル）−１，３−ジメチル−１Ｈ−ピラゾール−４−カルボキサミド、Ｎ−（３’−クロロ−４’−フルオロ−５−フルオロビフェニル−２−イル）−１−メチル−３−ジフルオロメチル−１Ｈ−ピラゾール−４−カルボキサミド、Ｎ−（４’−フルオロ−４−フルオロビフェニル−２−イル）−１−メチル−３−トリフルオロメチル−１Ｈ−ピラゾール−４−カルボキサミド、Ｎ−（４’−フルオロ−５−フルオロビフェニル−２−イル）−１−メチル−３−トリフルオロメチル−１Ｈ−ピラゾール−４−カルボキサミド、Ｎ−（４’−クロロ−５−フルオロビフェニル−２−イル）−１−メチル−３−トリフルオロメチル−１Ｈ−ピラゾール−４−カルボキサミド、Ｎ−（４’−メチル−５−フルオロビフェニル−２−イル）−１−メチル−３−トリフルオロメチル−１Ｈ−ピラゾール−４−カルボキサミド、Ｎ−（４’−フルオロ−５−フルオロビフェニル−２−イル）−１，３−ジメチル−１Ｈ−ピラゾール−４−カルボキサミド、Ｎ−（４’−クロロ−５−フルオロビフェニル−２−イル）−１，３−ジメチル−１Ｈ−ピラゾール−４−カルボキサミド、Ｎ−（４’−メチル−５−フルオロビフェニル−２−イル）−１，３−ジメチル−１Ｈ−ピラゾール−４−カルボキサミド、Ｎ−（４’−フルオロ−６−フルオロビフェニル−２−イル）−１−メチル−３−トリフルオロメチル−１Ｈ−ピラゾール−４−カルボキサミド、Ｎ−（４’−クロロ−６−フルオロビフェニル−２−イル）−１−メチル−３−トリフルオロメチル−１Ｈ−ピラゾール−４−カルボキサミド、Ｎ−［２−（１，１，２，３，３，３−ヘキサフルオロプロポキシ）−フェニル］−３−ジフルオロメチル−１−メチル−１Ｈ−ピラゾール−４−カルボキサミド、Ｎ−［４’−（トリフルオロメチルチオ）−ビフェニル−２−イル］−３−ジフルオロメチル−１−メチル−１Ｈ−ピラゾール−４−カルボキサミドおよびＮ−［４’−（トリフルオロメチルチオ）−ビフェニル−２−イル］−１−メチル−３−トリフルオロメチル−ｌ−メチル−１Ｈ−ピラゾール−４−カルボキサミドを含むカルボキサミド；Ｂ４）フルアジナム、ピリフェノックス、ブピリメート、シプロジニル、フェナリモル、フェリムゾン、メパニピリム、ヌアリモル、ピリメタニル、トリフォリン、フェンピクロニル、フルジオキソニル、アルジモルフ、ドデモルフ、フェンプロピモルフ、トリデモルフ、フェンプロピジン、イプロジオン、プロシミドン、ビンクロゾリン、ファモキサドン、フェンアミドン、オクチリノン、プロベン（ｐｒｏｂｅｎ）−アゾール、５−クロロ−７−（４−メチルピペリジン−１−イル）−６−（２，４，６−トリフルオロフェニル）−［１，２，４］トリアゾロ［１，５−ａ］ピリミジン、アニラジン、ジクロメジン、ピロキロン、プロキナジド、トリシクラゾール、２−ブトキシ−６−ヨード−３−プロピルクロメン−４−オン、アシベンゾラル−Ｓ−メチル、カプタホール、キャプタン、ダゾメット、ホルペット、フェノキサニル、キノキシフェン、Ｎ，Ｎ−ジメチル−３−（３−ブロモ−６−フルオロ−２−メチルインドール−１−スルホニル）−［１，２，４］トリアゾール−１−スルホンアミド、５−エチル−６−オクチル−［１，２，４］トリアゾロ［１，５−ａ］ピリミジン−２，７−ジアミン、２，３，５，６−テトラクロロ−４−メタンスルホニル−ピリジン、３，４，５−トリクロロピリジン−２，６−ジ−カルボニトリル、Ｎ−（１−（５−ブロモ−３−クロロ−ピリジン−２−イル）−エチル）−２，４−ジクロロニコチンアミド、Ｎ−（（５−ブロモ−３−クロロピリジン−２−イル）−メチル）−２，４−ジクロロ−ニコチンアミド、ジフルメトリム、ニトラピリン、ドデモルフアセテート、フルオロイミド、ブラストサイジン−Ｓ、キノメチオネート、デバカルブ、ジフェンゾクワット、ジフェンゾクワット−メチルスルフェート、オキソリン酸およびピペラリンを含む複素環式化合物；Ｂ５）マンコゼブ、マネブ、メタム、メタスルホカルブ、メチラム、フェルバム、プロピネブ、チラム、ジネブ、ジラム、ジエトフェンカルブ、イプロバリカルブ、ベンチアバリカルブ、プロパモカルブ、プロパモカルブヒドロクロリド、４−フルオロフェニル−Ｎ−（１−（１−（４−シアノフェニル）−エタンスルホニル）ブト−２−イル）カルバメート、メチル−３−（４−クロロ−フェニル）−３−（２−イソプロキシカルボニルアミノ−３−メチル−ブチリルアミノ）プロパノエートを含むカルバメート；または、Ｂ６）グアニジン、ドジン、ドジン遊離塩基、イミノクタジン、グアザチン、抗生物質：カスガマイシン、ストレプトマイシン、ポリオキシン、バリダマイシンＡ、ニトロフェニル誘導体：ビナパクリル、ジノカップ、ジノブトン、硫黄含有複素環式化合物：ジチアノン、イソプロチオラン、有機金属化合物：フェンチン塩、有機リン化合物：エジフェンホス、イプロベンホス、ホセチル、ホセチル−アルミニウム、亜リン酸およびその塩、ピラゾホス、トルクロホス−メチル、有機塩素化合物：ジクロフルアニド、フルスルファミド、ヘキサクロロ−ベンゼン、フタリド、ペンシクロン、キントゼン、チオファネート−メチル、トリルフルアニド、その他：シフルフェナミド、シモキサニル、ジメチリモール、エチリモール、フララキシル、メトラフェノンおよびスピロキサミン、グアザチン−アセテート、イミノクタジン−トリアセテート、イミノクタジン−トリス（アルベシレート）、カスガマイシンヒドロクロリド水和物、ジクロロフェン、ペンタクロロフェノールおよびその塩、Ｎ−（４−クロロ−２−ニトロ−フェニル）−Ｎ−エチル−４−メチル−ベンゼンスルホンアミド、ジクロラン、ニトロタール−イソプロピル、テクナゼン、ビフェニル、ブロノポール、ジフェニルアミン、ミルジオマイシン、オキシン銅、プロヘキサジオンカルシウム、Ｎ−（シクロプロピルメトキシイミノ−（６−ジフルオロメトキシ−２，３−ジフルオロ−フェニル）−メチル）−２−フェニルアセトアミド、Ｎ’−（４−（４−クロロ−３−トリフルオロメチル−フェノキシ）−２，５−ジメチル−フェニル）−Ｎ−エチル−Ｎ−メチルホルムアミジン、Ｎ’−（４−（４−フルオロ−３−トリフルオロメチル−フェノキシ）−２，５−ジメチル−フェニル）−Ｎ−エチル−Ｎ−メチルホルムアミジン、Ｎ’−（２−メチル−５−トリフルオロメチル−４−（３−トリメチルシラニル−プロポキシ）−フェニル）−Ｎ−エチル−Ｎ−メチルホルムアミジン、並びに、Ｎ’−（５−ジフルオロメチル−２−メチル−４−（３−トリメチルシラニル−プロポキシ）−フェニル）−Ｎ−エチル−Ｎ−メチルホルムアミジンを含む他の殺真菌剤。
【００８３】
除草剤：Ｃ１）アセチル−ＣｏＡカルボキシラーゼ阻害剤（ＡＣＣ）、例えば、アロキシジム、クレトジム、クロプロキシジム、シクロキシジム、セトキシジム、トラルコキシジム、ブトロキシジム、クレフォキシジムもしくはテプラロキシジム等のシクロヘキセノンオキシムエーテル；クロジナホップ−プロパルギル、シハロホップ−ブチル、ジクロホップ−メチル、フェノキサプロップ−エチル、フェノキサプロップ−Ｐ−エチル、フェンチアプロップエチル、フルアジホップ−ブチル、フルアジホップ−Ｐ−ブチル、ハロキシホップ−エトキシエチル、ハロキシホップ−メチル、ハロキシホップ−Ｐ−メチル、イソキサピリホップ、プロパキザホップ、キザロホップ−エチル、キザロホップ−Ｐ−エチル若しくはキザロホップ−テフリル等のフェノキシフェノキシプロピオン酸エステル；または、フランプロップ−メチルもしくはフランプロップ−イソプロピル等のアリールアミノプロピオン酸；Ｃ２）アセトラクターゼ合成酵素阻害剤（ＡＬＳ）、例えば、イマザピル、イマザキン、イマザメタベンズ−メチル（イマザメ（ｉｍａｚａｍｅ））、イマザモックス、イマザピックもしくはイマゼタピル等のイミダゾリノン；ピリチオバック酸、ピリチオバック−ナトリウム、ビスピリバック−ナトリウム、ＫＩＨ−６１２７もしくはピリベンゾキシム等のピリミジルエーテル；フロラスラム、フルメトスラムもしくはメトスラム等のスルホンアミド；または、アミドスルフロン、アジムスルフロン、ベンスルフロン−メチル、クロリムロン−エチル、クロルスルフロン、シノスルフロン、シクロスルファムロン、エタメトスルフロン−メチル、エトキシスルフロン、フラザスルフロン、ハロスルフロン−メチル、イマゾスルフロン、メトスルフロン−メチル、ニコスルフロン、プリミスルフロン−メチル、プロスルフロン、ピラゾスルフロン−エチル、リムスルフロン、スルホメツロン−メチル、チフェンスルフロン−メチル、トリアスルフロン、トリベヌロン−メチル、トリフルスルフロン−メチル、トリトスルフロン、スルホスルフロン、ホラムスルフロンもしくはヨードスルフロン等のスルホニル尿素；Ｃ３）アミド、例えば、アリドクロル（ＣＤＡＡ）、ベンゾイルプロップ−エチル、ブロモブチド、クロルチアミド、ジフェナミド、エトベンザニド、フルチアミド、ホサミンまたはモナリド；Ｃ４）オーキシン除草剤、例えば、クロピラリドもしくはピクロラム等のピリジンカルボン酸；または、２，４−Ｄもしくはベナゾリン；Ｃ５）オーキシン輸送阻害剤、例えば、ナプタラメまたはジフルフェンゾピル；Ｃ６）カロテノイド生合成阻害剤、例えば、ベンゾフェナップ、クロマゾン、ジフルフェニカン、フルオロクロリドン、フルリドン、ピラゾリネート、ピラゾキシフェン、イソキサフルトール、イソキサクロルトール、メソトリオン、スルコトリオン（クロルメスロン）、ケトスピラドックス、フルルタモン、ノルフルラゾンまたはアミトロール；Ｃ７）エノールピルビルシキミ酸−３−リン酸合成酵素阻害剤（ＥＰＳＰＳ）、例えば、グリホサートまたはスルホサート；Ｃ８）グルタミン合成酵素阻害剤、例えば、ビアラホスまたはグルホシネート−アンモニウム；Ｃ９）脂質生合成阻害剤、例えば、アニロホスもしくはメフェナセット等のアニリド；ジメテナミド、Ｓ−ジメテナミド、アセトクロール、アラクロール、ブタクロール、ブテナクロール、ジエタチル−エチル、ジメタクロール、メタザクロール、メトラクロール、Ｓ−メトラクロール、プレチラクロール、プロパクロール、プリナクロール、テルブクロール、テニルクロールもしくはキシラクロール等のクロロアセトアニリド；ブチレート、シクロエート、ジ−アレート、ジメピペレート、ＥＰＴＣ．エスプロカルブ、モリネート、ペブレート、プロスルホカルブ、チオベンカルブ（ベンチオカルブ）、トリ−アレートもしくはバーナレート等のチオ尿素；または、ベンフレセートもしくはパーフルイドン；Ｃ１０）有糸分裂阻害剤、例えば、アシュラム、カルベタミド、クロルプロファム、オルベンカルブ、プロピザミド、プロファムもしくはチオカルバジル等のカルバメート；ベネフィン、ブトラリン、ジニトラミン、エタルフルラリン、フルクロラリン、オリザリン、ペンジメタリン、プロジアミンもしくはトリフルラリン等のジニトロアニリン；ジチオピルもしくはチアゾピル等のピリジン；または、ブタミホス、クロルタール−ジメチル（ＤＣＰＡ）もしくはマレイン酸ヒドラジド；Ｃ１１）プロトポルフィリノーゲンＩＸオキシダーゼ阻害剤、例えば、アシフルオルフェン、アシフルオルフェン−ナトリウム、アクロニフェン、ビフェノックス、クロミトロフェン（ＣＮＰ）、エトキシフェン、フルオロジフェン、フルオログリコフェン−エチル、フォメサフェン、フリロキシフェン、ラクトフェン、ニトロフェン、ニトロフルオルフェンもしくはオキシフルオルフェン等のジフェニルエーテル；オキサジアルギルもしくはオキサジアゾン等のオキサジアゾール；アザフェニジン、ブタフェナシル、カルフェントラゾン、カルフェントラゾン−エチル、シニドン−エチル、フルミクロラックペンチル、フルミオキサジン、フルミプロピン、フルプロパシル、フルチアセット−メチル、スルフェントラゾンもしくはチジアジミン等の環状イミド；または、ＥＴ−７５１、ＪＶ  ４８５もしくはニピラクロフェン等のピラゾール；Ｃ１２）光合成阻害剤、例えば、プロパニル、ピリデートもしくはピリダフォル；ベンタゾン等のベンゾチアジアジノン；ジニトロフェノール、例えば、ブロモフェノキシム、ジノセブ、ジノセブ−アセテート、ジノテルブもしくはＤＮＯＣ；シペルクアット−クロリド、ジフェンゾクワット−メチルスルフェート、ジクワットもしくはパラコート−ジクロリド等のジピリジレン；クロルブロムロン、クロロトルロン、ジフェノクスロン、ジメフロン、ジウロン、エチジムロン、フェヌロン、フルオメツロン、イソプロチュロン、イソウロン、リヌロン、メタベンズチアズロン、メタゾール、メトベンズロン、メトキスロン、モノリニュロン、ネブロン、シデュロンもしくはテブチウロン等の尿素；ブロモキシニルもしくはイオキシニル等のフェノール；クロリダゾン；アメトリン、アトラジン、シアナジン、デスメイン、ジメタメトリン、ヘキサジノン、プロメトン、プロメトリン、プロパジン、シマジン、シメトリン、テルブメトン、テルブトリン、テルブチラジンもしくはトリエタジン等のトリアジン；メタミトロン等のトリア���ノン；ブロマシル、レナシルもしくはテルバシル等のウラシル；または、デスメジファムもしくはフェンメジファム等のビスカルバメート；Ｃ１３）相乗剤、例えば、トリジファン等のオキシラン；Ｃ１４）ＣＩＳ細胞壁合成阻害剤、例えば、イソキサベンまたはジクロベニル；Ｃ１６）様々な他の除草剤、例えば、ダラポン等のジクロロプロピオン酸；エトフメセート等のジヒドロベンゾフラン；クロルフェナック（フェナック）等のフェニル酢酸；または、アジプロトリン、バルバン、ベンスリド、ベンズチアズロン、ベンゾフルオール、ブミナホス、ブチダゾール、ブツロン、カフェンストロール、クロルブファム、クロルフェンプロップ−メチル、クロロクスロン、シンメチリン、クミルロン、シクルロン、シプラジン、シプラゾール、ジベンジルロン、ジプロペトリン、ダイムロン、エグリナジン−エチル、エンドタール、エチオジン、フルカバゾン、フルオルベントラニル、フルポキサム、イソカルバミド、イソプロパリン、カルブチレート、メフルイジド、モヌロン、ナプロップアミド、ナプロップアニリド、ニトラリン、オキサシクロメフォン、フェニソファム、ピペロホス、プロシアジン、プロフルアリン、ピリブチカルブ、セクブメトン、スルファレート（ＣＤＥＣ）、テルブカルブ、トリアジフラム、トリアゾフェナミドもしくはトリメツロン；または、それらの環境適合性の塩。
【００８４】
殺線虫剤またはバイオ殺線虫剤：ベノミル、クロエトカルブ、アルドキシカルブ、チルパート、ジアミダホス、フェナミホス、カズサホス、ジクロフェンチオン、エトプロホス、フェンスルホチオン、ホスチアゼート、ヘテロホス、イサミドホス（ｉｓａｍｉｄｏｆｏｆ）、イサゾホス、ホスホカルブ、チオナジン、イミシアホス、メカルホン、アセトプロール、ベンクロチアズ、クロロピクリン、ダゾメット、フルエンスルホン、１，３−ジクロロプロペン（ｔｅｌｏｎｅ）、ジメチルジスルフィド、メタムナトリウム、メタムカリウム、メタム塩（全てＭＩＴＣ生成）、臭化メチル、生物学的土壌改善物（例えば、マスタード種子、マスタード種子抽出物）、土壌の蒸気燻蒸、アリルイソチオシアネート（ＡＩＴＣ）、硫酸ジメチル、フルフアール（アルデヒド）。
【００８５】
本発明の適切な植物成長調節剤は、次のものを含む。植物成長調整剤：Ｄ１）クロフィブリン酸、２，３，５−トリヨード安息香酸等のアンチオーキシン；Ｄ２）４−ＣＰＡ、２，４−Ｄ、２，４−ＤＢ、２，４−ＤＥＰ、ジクロルプロップ、フェノプロップ、ＩＡＡ、ＩＢＡ、ナフタレンアセトアミド、α−ナフタレン酢酸、１−ナフトール、ナフトキシ酢酸、ナフテン酸カリウム、ナフテン酸ナトリウム、２，４，５−Ｔ等のオーキシン；Ｄ３）２ｉＰ、ベンジルアデニン、４−ヒドロキシフェンエチルアルコール、カイネチン、ゼアチン等のサイトカイニン；Ｄ４）カルシウムシアナミド、ジメチピン、エンドタール、エセフォン、メルホス、メトクスロン、ペンタクロロフェノール、チジアズロン、トリブホス等の枯れ葉剤；Ｄ５）アビグリシン、１−メチルシクロプロペン等のエチレン阻害剤；Ｄ６）ＡＣＣ、エタセラシル、エテホン、グリオキシム等のエチレン放出剤；Ｄ７）フェンリダゾン、マレイン酸ヒドラジド等のガメトシド；Ｄ８）ジベレリン、ジベレリン酸等のジベレリン；Ｄ９）アブシジン酸、アンシミドール、ブトラリン、カルバリル、クロルホニウム、クロルプロファム、ジケグラック、フルメトラリン、フルオリドアミド、ホサミン、グリホジン、イソピリモル、ジャスモン酸、マレイン酸ヒドラジド、メピコート、ピプロクタニル、プロヒドロジャスモン、プロファム、チアオジエアン（ｔｉａｏｊｉｅａｎ）、２，３，５−トリヨード安息香酸等の成長阻害剤；Ｄ１０）クロルフルレン、クロルフレノール、ジクロルフルレノール、フルレノール等のモルファクチン；Ｄ１１）クロルメコート、ダミノジド、フルルプリミドール、メフルイジド、パクロブトラゾール、テトシクラシス、ウニコナゾール等の成長抑制剤；Ｄ１２）ブラシノリド、ブラシノリド−エチル、ＤＣＰＴＡ、ホルクロルフェヌロン、ヒメキサゾール、プロスレル（ｐｒｏｓｕｌｅｒ）、トリアコンタノール等の成長刺激剤；Ｄ１３）バクメデシュ、ベンゾフルオール、ブミナホス、カルボン、コリンクロリド、シオブチド、クロフェンセット、シアナミド、シクラニリド、シクロヘキシミド、シプロスルファミド、エポコレオン、エチクロゼート、エチレン、フフェンチオウレア（ｆｕｐｈｅｎｔｈｉｏｕｒｅａ）、フララン（ｆｕｒａｌａｎｅ）、ヘプトパルギル、ホロスルフ、イナベンフィド、カレタザン、ヒ酸鉛、メタスルホカルブ、プロヘキサジオン、ピダノン、シントフェン、トリアペンテノール、トリネキサパック等の分類されていない植物成長調整剤。
【００８６】
肥料は液体肥料であり得る。「液体肥料」という用語は、窒素、リンおよびカリウムの様々な比率（例えば、１０％の窒素、３４％のリンおよび０％のカリウムなどであるが、これらに限定されない）および微量栄養素を含む流体または液体形態の肥料を指し、リンを多く含み、迅速かつ強力な根の成長を促進するスターター肥料として一般には知られている。 
【００８７】
本発明の化学製剤は、任意の適切な従来型の形態、例えば、乳剤（ＥＣ）、懸濁剤（ＳＣ）、サスポエマルジョン剤（ＳＥ）、カプセル懸濁剤（ＣＳ）、水分散性粒剤（ＷＧ）、乳化性顆粒剤（ＥＧ）、油中水型エマルジョン剤（ＥＯ）、水中油型エマルジョン剤（ＥＷ）、マイクロエマルジョン剤（ＭＥ）、油分散剤（ＯＤ）、油混和性フロアブル剤（ＯＦ）、油混和性液剤（ＯＬ）、可溶性濃縮剤（ＳＬ）、超低容量懸濁剤（ＳＵ）、超低容量液剤（ＵＬ）、分散性濃縮剤（ＤＣ）、水和剤（ＷＰ）または農業上許容されるアジュバントと組み合わせた技術的に可能な任意の製剤であり得る。１つの好ましい実施形態において、本開示の組成物は、乳剤、懸濁剤またはカプセル懸濁剤として供給される。
【００８８】
本発明の別の実施形態では、植物成長に利益を与え、および／または感受性植物において病原体感染に対する保護を与えるのに適した量で存在する、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物の胞子を含む組成物で被覆された植物種子が提供される。植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示され得る。
【００８９】
植物種子に被覆される組成物は、約１．０×１０２ＣＦＵ／種〜約１．０×１０９ＣＦＵ／種の量のバチルス・アミノロリファシエンス胞子を含むことができる。
【００９０】
植物種子は、限定されないが、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、または芝草（Ｔｕｒｆ  ｇｒａｓｓ）の種子を含み得る。
【００９１】
１つ以上の実施形態では、植物種子には、ドライビーン、コーン、小麦、大豆、キャノーラ、米、キュウリ、ペッパー、トマト、スカッシュ、綿、草、および芝草を含み得る。
【００９２】
被覆された植物種子によって処理された病原体感染は、例えば、限定されないが、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colletotrichum spp.）、またはこれらの組み合わせを含む植物病原体により引き起こされ得る。
【００９３】
植物種子に被覆される組成物は、植物成長に利益を与え、および／または感受性植物において病原体感染に対する保護を与えるのに適した量で存在する、微生物学的、生物学的もしくは化学的殺虫剤、殺真菌剤、殺線虫剤、殺細菌剤、または植物成長調整剤の１つまたは組み合わせをさらに含み得る。殺虫剤はビフェントリンを含み得る。殺線虫剤にはカドサホスを含み得る。殺虫剤はビフェントリンおよびクロチアニジンを含み得る。
【００９４】
本発明の別の実施形態では、植物成長に利益を与えることまたは感受性植物において病原体感染に対する保護を与えることの１つまたは両方のための方法が提供され、方法は、植物の種子を植え付けること、または植物性切断片／組織を適切な成長培地中で再生することを含み、ここで、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物を含む組成物で、種子が被覆されているまたは植物性切断片／組織が接種され、種子または植物性切断片／組織から植物に利益が与えられおよび／または病原体感染に対する保護が与えられる。植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示され得る。
【００９５】
一実施形態では、方法は、液体肥料を以下、植物の周囲の土壌もしくは成長培地、植物の種子を播種する前の土壌もしくは成長培地、または植物、植物切断片、植物移植片、もしくは植物カルス組織を植え付ける前の土壌もしくは成長培地に適用することを含むことができる。
【００９６】
一実施形態では、処理に対する耐性の蓄積を最小限に抑えながら、感受性植物において病原体感染に対する保護を与えるまたは病原体感染を低減することによって、植物成長に利益を与える方法が提供される。方法は、第１組成物および第２組成物を時間間隔を変更しながら別々の適用において感受性植物に送達することを含み、第１および第２組成物のそれぞれは、植物における病原体感染に対する保護を与えるまたは病原体感染を減少させるのに適した量で送達される。第１組成物は、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物を含む。第２組成物は、殺真菌特性または殺菌特性を有する１つ以上の化学活性剤を含む。方法では、第１および第２組成物は、時間間隔を変えながら、植物の葉、植物の樹皮、植物の果実、植物の花、植物の種子、植物の根、植物の切断片、植物の移植片、植物のカルス組織、または植物の周囲の土壌または成長培地の１つまたは組み合わせに送達される。方法では、病原体感染に対する保護を与えおよび／または病原体感染を軽減するために必要な化学活性剤（複数可）の総量が低減され、処理に対する耐性の蓄積が最小限に抑えられる。植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示され得る。
【００９７】
第１組成物は、担体、界面活性剤、分散剤、または酵母抽出物の１つまたは組合せをさらに含み得る。酵母抽出物は、約０．０１％〜０．２％ｗ／ｗの範囲の植物成長に利益を与える割合で送達され得る。
【００９８】
感受性植物において病原体感染に対する保護を与えまたは病原体感染を減少させる一方で、処理に対する耐性の蓄積を最小化することによって植物成長に利益を与える方法では、変化する時間間隔は、１日から１０日の間隔の範囲であり、５から７日間の間隔の範囲でもよい。最初の適用のタイミングは、特定の作物に依存し得、植え付け時、作物出芽後数週間、開花時、病害の出現時、または病害の出現を予期する前の範囲内であり得る。第１および第２組成物のそれぞれは、植物の葉、植物の果実、または植物の花に送達され得る。植物において病原体感染に保護を与えるかまたは病原体感染を低減するのに適した送達量は、約１．０×１０１０ＣＦＵ／ｈａ〜約１．０×１０１４ＣＦＵ／ｈａのバチルス・ベレゼンシスＲＴＩ３０１であり得る。植物において病原体感染に保護を与えるまたは病原体感染を低減するのに適した送達量は、約１．０×１０１０ＣＦＵ／ｈａ〜約１．０×１０１４ＣＦＵ／ｈａのバチルス・ベレゼンシスＲＴＩ３０１および約０．０１％〜０．２％ｗ／ｗの酵母抽出物であり得る。
【００９９】
感受性植物に別々の適用および時間間隔変えながら送達するための１つ以上の化学活性剤は、例えば、限定されるものではないが、ストロビルリン、トリアゾール、フルトリアフォール、テブコナゾール、プロチアコナゾール、エポキシコナゾール（ｅｘｐｏｘｙｃｏｎａｚｏｌｅ）、フルオピラム、クロロタロニル、チオファネート−メチル、水酸化銅系殺真菌剤、ＥＤＢＣ系殺真菌剤、マンコゼブ、サクシナーゼデヒドロゲナーゼ（ＳＤＨＩ）殺真菌剤、ビキサフェン、イプロジオン、ジメトモルフ、またはバリフェナレートの１つまたは組み合わせを含み得る。
【０１００】
別々の適用および時間間隔を変えながら感受性植物に送達するための１つ以上の化学活性剤は、フルオピラム＋テブコナゾールを含み、ＲＴＩ３０１を含む第１組成物の送達は、クロロタロニル殺真菌剤の送達に変わり得る。植物はククルビットであり得、病原体感染はうどんこ病によって引き起こされ得る。
【０１０１】
別々の適用および時間間隔を変えながら感受性植物に送達するための１つ以上の化学活性剤は、チオファネートメチル殺真菌剤を含み、ＲＴＩ３０１を含む第１組成物の送達は、プロチオコナゾール殺真菌剤の送達に変わり得る。
【０１０２】
別々の適用および時間間隔を変えながら感受性植物に送達するための１つ以上の化学活性剤は、水酸化銅殺真菌剤を含み、ＲＴＩ３０１を含む第１組成物の送達は、クロロタロニル殺真菌剤の送達に変わり得る。
【０１０３】
一実施形態では、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物を含む第１組成物；微生物学的、生物学的もしくは化学的殺虫剤、殺真菌剤、殺線虫剤、殺細菌剤、除草剤、植物抽出物、植物成長調整剤または肥料の１つまたは組合せを含む第２組成物を含み、ここで、第１および第２組成物は別々に包装され、各組成物は、植物成長への利益の付与または感受性植物において病原体感染に対する保護の付与の１つまたは両方に適した量であり、植物成長への利益を与えるのに適した量であり、第１および第２組成物の組み合わせを、植物の葉、植物の樹皮、植物の果実、植物の花、植物の種子、植物の根、植物の切断片、植物の移植片、植物のカルス組織、植物の周囲の土壌もしくは成長培地、植物の種子を播種する前の土壌もしくは成長培地もしくは植物、植物切断片、植物移植片、植物カルス組織を植え付ける前の土壌または成長培地に送達するための指示書を含む製品が提供される。
【０１０４】
製品では、殺虫剤は、ピレスロイド、ビフェントリン、テフルトリン、ゼータ−シペルメトリン、有機フォスフェート、クロレトキシフォス、クロルピリホス、テブピリムフォス、シフルトリン、フィプロール（ｆｉｐｒｏｌｅ）、フィプロニル、ニコチノイド、またはクロチアニジンの１つまたは組み合わせであり得る。
【０１０５】
製品では、第１組成物は、担体、界面活性剤、分散剤、または酵母抽出物の１つまたは組合せをさらに含み得る。
【０１０６】
製品では、第１および第２組成物は、液体、粉剤、展延性顆粒剤、乾燥水和性粉末剤または乾燥水和性顆粒剤の形態であり得る。一実施形態では、第１組成物は液体の形態であり、バチルス・ベレゼンシスＲＴＩ３０１は、約１．０×１０８ＣＦＵ／ｍｌ〜約１．０×１０１２ＣＦＵ／ｍｌの濃度で存在する。一実施形態では、第１組成物は粉剤、乾燥水和性粉末剤、展延性顆粒剤または乾燥水和性顆粒剤の形態であり、バチルス・ベレゼンシスＲＴＩ３０１は、約１．０×１０８ＣＦＵ／ｇ〜約１．０×１０１２ＣＦＵ／ｇの量で存在する。一実施形態では、第１組成物は油分散体の形態であり、バチルス・ベレゼンシスＲＴＩ３０１は、約１．０×１０８ＣＦＵ／ｍｌ〜約１．０×１０１２ＣＦＵ／ｍｌの濃度で存在する。
【０１０７】
本発明の一実施形態では、組成物が提供され、該組成物は、植物成長に利益または感受性植物において病原体感染に対する保護の１つまたは両方を与えるのに適切な量で単離されたフェンギシン−ＭＡ化合物、単離されたフェンギシンＭＢ化合物、単離されたフェンギシンＭＣ化合物、単離されたデヒドロキシフェンギシンＭＡ化合物、単離されたデヒドロキシフェンギシンＭＢ化合物、単離されたデヒドロキシフェンギシンＭＣ化合物、単離されたフェンギシンＨ化合物、単離されたデヒドロキシフェンギシンＨ化合物、単離されたフェンギシンＩ化合物、および単離されたデヒドロキシフェンギシンＩ化合物のうちの少なくとも１つを含み、該フェンギシンおよびデヒドロキシフェンギジン化合物は、以下の式を有する。
【化２】
2018502111.tif 000002
【０１０８】
式中、ＲはＯＨであり、ｎは８から２０までの範囲であり、ＦＡは直鎖状、イソ、またはアンテイソであり、ならびにフェンギシンＭＡについてＸ１はＡｌａであり、Ｘ２はＴｈｒであり、およびＸ３はＭｅｔであり；フェンギシンＭＢについてＸ１はＶａｌであり、Ｘ２はＴｈｒであり、およびＸ３はＭｅｔであり；フェンギシンＭＣについてＸ１はＡｂａであり、Ｘ２はＴｈｒであり、およびＸ３はＭｅｔであり；フェンギシンＨについてＸ１はＶａｌであり、Ｘ２はＴｈｒであり、およびＸ３はＨｃｙであり；ならびにフェンギシンＩについてＸ１はＩｌｅであり、Ｘ２はＴｈｒであり、およびＸ３はＩｌｅであり；ならびに、
式中、ＲはＨであり、ｎは８から２０までの範囲であり、ＦＡは直鎖状、イソ、またはアンテイソであり、ならびにデヒドロキシフェンギシンＭＡについてＸ１はＡｌａであり、Ｘ２はＴｈｒであり、およびＸ３はＭｅｔであり；デヒドロキシフェンギシンＭＢについてＸ１はＶａｌであり、Ｘ２はＴｈｒであり、およびＸ３はＭｅｔであり；デヒドロキシフェンギシンＭＣについてＸ１はＡｂａであり、Ｘ２はＴｈｒであり、およびＸ３はＭｅｔであり；デヒドロキシフェンギシンＨについてＸ１はＶａｌであり、Ｘ２はＴｈｒであり、およびＸ３はＨｃｙであり；ならびにデヒドロキシフェンギシンＩについてＸ１はＩｌｅであり、Ｘ２はＴｈｒであり、およびＸ３はＩｌｅである。
【０１０９】
別の実施形態では、本組成物は、植物上の成長利益または感受性植物において病原体感染に対する保護の１つまたは両方を与えるのに適した量で、表ＸＩＩＩに示される追加の単離されたフェンギシン様およびデヒドロキシフェンギシン様化合物の１つまたは組合せをさらに含む。
【０１１０】
植物上の成長利益および／または付与された保護は、改善された苗の活力、改善された根の発達、改善された植物成長、改善された植物健康、増加した収量、改善された外観、植物病原体に対する改善された耐性、病原体感染の減少、またはそれらの組み合わせにより示され得る。
【０１１１】
フェンギシン−ＭＡ、−ＭＢ、−ＭＣ、−Ｈ、および−Ｉ化合物およびでヒドロキシフェンギシン−ＭＡ、−ＭＢ、−ＭＣ、−Ｈ、および−Ｉ化合物、ならびに追加のフェンギシン様およびデヒドロキシフェンギシン様化合物の１つまたは組合せは、例えば、限定されないが、８６９もしくはＭ２培地で３から６日間株を培養することを含む、本明細書の実施例に記載のこれらの条件のような、当業者にとってよく知られた適切な条件の下で、ＲＴＩ３０１バチルス・ベレゼンシス株、またはフェンギシン−ＭＡ、−ＭＢ、−ＭＣ、−Ｈ、および−Ｉ化合物ならびにデヒドロキシフェンギシン−ＭＡ、−ＭＢ、−ＭＣ、−Ｈ、および−Ｉ化合物を産生する別のバチルス・ベレゼンシス株を最初に培養することにより単離され得る。バチルス・ベレゼンシス培養上清中に存在するフェンギシン様およびデヒドロキシフェンギシン様環状リポペプチドは、当業者に既知の方法を用いてさらに単離され得る。例えば、バチルス・ベレゼンシス培養上清は、実施例１６で本明細書に記載されるようにｐＨ２に酸性化され得、またはＣａＣｌ２で処理され得（Ａｊｅｓｈ，  Ｋ  ｅｔ  ａｌ．，  ２０１３，  “Ｐｕｒｉｆｉｃａｔｉｏｎ  ａｎｄ  ｃｈａｒａｃｔｅｒｉｚａｔｉｏｎ  ｏｆ  ａｎｔｉｆｕｎｇａｌ  ｌｉｐｏｐｅｐｔｉｄｅ  ｆｒｏｍ  ａ  ｓｏｉｌ  ｉｓｏｌａｔｅｄ  ｓｔｒａｉｎ  ｏｆ  Ｂａｃｉｌｌｕｓ  ｃｅｒｅｕｓ．”  Ｉｎ：  Ｗｏｒｌｄｗｉｄｅ  ｒｅｓｅａｒｃｈ  ｅｆｆｏｒｔｓ  ｉｎ  ｔｈｅ  ｆｉｇｈｔｉｎｇ  ａｇａｉｎｓｔ  ｍｉｃｒｏｂｉａｌ  ｐａｔｈｏｇｅｎｓ：  ｆｒｏｍ  ｂａｓｉｃ  ｒｅｓｅａｒｃｈ  ｔｏ  ｔｅｃｈｎｏｌｏｇｉｃａｌ  ｄｅｖｅｌｏｐｍｅｎｔｓ．  Ａ．  Ｍｅｎｄｅｚ−Ｖｉｌａｓ  （ｅｄｉｔｏｒ）．  ｐｐ：  ２２７−２３１）、またはＮＨ４ＳＯ４で処理され得（Ｋｉｍ，  ＳＨ  ｅｔ  ａｌ．，  ２０００，  Ｂｉｏｔｅｃｈｎｏｌ  Ａｐｐｌ  Ｂｉｏｃｈｅｍ．  ３１  （Ｐｔ  ３）：２４９−２５３）、これらの処理を、例えば、限定されないが、直接液体分配、膜限外ろ過、および発泡分別（Ｂａｋｅｒ，  ＳＣ  ｅｔ  ａｌ．，  ２０１０，    Ａｄｖ  Ｅｘｐ  Ｍｅｄ  Ｂｉｏｌ．  ６７２：２８１−２８８）を含む相分離の様々な形態のような有機物抽出工程（Ｋｉｍ，  ＰＩ  ｅｔ  ａｌ．，  ２００４，  Ｊ  Ａｐｐｌ  Ｍｉｃｒｏｂｉｏｌ．  ９７（５）：  ９４２−９４９）と組み合わせて、または組み合わせずに処理され得る。
【０１１２】
一実施形態では、表ＸＩＩＩに示されるフェンギシン−ＭＡ、−ＭＢ、−ＭＣ、−Ｈおよび−Ｉ化合物ならびにデヒドロキシフェンギシン−ＭＡ、−ＭＢ、−ＭＣ、−Ｈ、および−Ｉ化合物ならびに追加のフェンギシン様およびデヒドロキシフェンギシン様化合物の１つまたは組み合わせは、これらの化合物を産生し得るバチルス・ベレゼンシス株の生物学的に純粋な培養物から単離され得る。
【０１１３】
一実施形態では、表ＸＩＩＩに示されるフェンギシン−ＭＡ、−ＭＢ、−ＭＣ、−Ｈおよび−Ｉ化合物ならびにデヒドロキシフェンギシン−ＭＡ、−ＭＢ、−ＭＣ、−Ｈ、および−Ｉ化合物ならびに追加のフェンギシン様およびデヒドロキシフェンギシン様化合物の１つまたは組み合わせは、ＡＴＣＣ番号ＰＴＡ−１２１１６５で寄託されたバチルス・ベレゼンシスＲＴＩ３０１の生物学的に純粋な培養物から単離され得る。
【０１１４】
一実施形態では、バチルス・ベレゼンシス株の生物学的に純粋な培養物の抽出物が提供され、該抽出物は、表ＸＩＩＩに示されるフェンギシン−ＭＡ、−ＭＢ、−ＭＣ、−Ｈおよび−Ｉ化合物ならびにデヒドロキシフェンギシン−ＭＡ、−ＭＢ、−ＭＣ、−Ｈ、および−Ｉ化合物ならびに追加のフェンギシン様およびデヒドロキシフェンギシン様化合物の１つまたは組み合わせを含む。
【０１１５】
一実施形態では、ＡＴＣＣ番号ＰＴＡ−１２１１６５として寄託されているバチルス・ベレゼンシスＲＴＩ３０１の生物学的に純粋な培養物の抽出物が提供され、該抽出物は、表ＸＩＩＩに示されるフェンギシン−ＭＡ、−ＭＢ、−ＭＣ、−Ｈおよび−Ｉ化合物ならびにデヒドロキシフェンギシン−ＭＡ、−ＭＢ、−ＭＣ、−Ｈ、および−Ｉ化合物ならびに追加のフェンギシン様およびデヒドロキシフェンギシン様化合物の１つまたは組み合わせを含む。
【０１１６】
フェンギシン−ＭＡ、−ＭＢ、−ＭＣ、−Ｈおよび−Ｉ化合物ならびにデヒドロキシフェンギシン−ＭＡ、−ＭＢ、−ＭＣ、−Ｈおよび−Ｉ化合物のうちの少なくとも１つならびに任意で追加の単離されたフェンギシン様およびデヒドロキシフェンギシン様化合物の１つまたは組み合わせを含む組成物は、植物成長に利益を与え、および／または感受性植物において病原体感染に対する保護を与えるのに適切な量で存在する、微生物学的、生物学的、もしくは化学的殺虫剤、殺真菌剤、殺線虫剤、殺細菌剤、除草剤、植物抽出物、植物成長調整剤、または肥料の１つもしくは組み合わせをさらに含み得る。
【０１１７】
殺真菌剤は、ルピナス・アルブス（Ｌｕｐｉｎｕｓ  ａｌｂｕｓ）からの抽出物を含み得る。殺真菌剤は、ＢＬＡＤポリペプチドを含み得る。ＢＬＡＤポリペプチドは、真菌の細胞壁を損傷させ、内部細胞膜を破壊することによって感受性真菌病原体に作用する甘ルーピン豆（ルピナス・アルブス）由来の天然の種子貯蔵タンパク質の断片であり得る。殺真菌剤は、約２０％のＢＬＡＤポリペプチドを含み得る。
【０１１８】
フェンギシン−ＭＡ、−ＭＢ、−ＭＣ、−Ｈおよび−Ｉ化合物ならびにデヒドロキシフェンギシン−ＭＡ、−ＭＢ、−ＭＣ、−Ｈおよび−Ｉ化合物のうちの少なくとも１つを含む組成物は、液体、油分散粒剤、粉剤、展延性顆粒剤、または乾燥水和性顆粒剤の形態であり得る。
【０１１９】
一実施形態では、植物成長に利益を与え、および／または植物病原体感染に対する保護を与えるために、単離されたフェンギシン−ＭＡ、−ＭＢ、−ＭＣ、−Ｈおよび−Ｉ化合物ならびにデヒドロキシフェンギシン−ＭＡ、−ＭＢ、−ＭＣ、−Ｈおよび−Ｉ化合物ならびに追加の単離されたフェンギシン様およびデヒドロキシフェンギシン様化合物の１つもしくは組み合わせを含む、有効量の抽出物または組成物を植物もしくは果実、または根もしくは植物の根の周囲の土壌に適用することを含み、植物成長に利益を与え、および／または植物病原体感染に対する保護を与えるための方法が提供される。植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示され得る。
【０１２０】
単離されたフェンギシン−ＭＡ、−ＭＢ、−ＭＣ、−Ｈおよび−Ｉ化合物ならびにデヒドロキシフェンギシン−ＭＡ、−ＭＢ、−ＭＣ、−Ｈおよび−Ｉ化合物ならびに追加の単離されたフェンギシン様およびデヒドロキシフェンギシン様化合物の１つもしくは組み合わせを含む、有効量の抽出物または組成物を適用する方法において、植物は、例えば、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビまたはテンサイをを含み得る。
【０１２１】
単離されたフェンギシン−ＭＡ、−ＭＢ、−ＭＣ、−Ｈおよび−Ｉ化合物ならびにデヒドロキシフェンギシン−ＭＡ、−ＭＢ、−ＭＣ、−Ｈおよび−Ｉ化合物ならびに追加の単離されたフェンギシン様およびデヒドロキシフェンギシン様化合物の１つもしくは組み合わせを含む、有効量の抽出物または組成物を適用する方法において、病原体感染は、例えば、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、ベンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせを含む植物病原体によって引き起こされ得る。
【実施例】
【０１２２】
以下に示す実施例は、本開示の主題の代表的な実施態様を実施するための当業者への指針を提供するために含まれている。本発明および当業者の全般的なレベルに照らして、当業者は、以下の実施例が例示的なものに過ぎず、本開示の主題の範囲から逸脱することなく、多くの変更、修正、および変更を採用することができることを理解し得る。
【０１２３】
実施例１
配列分析によるバチルス・アミロリケファシエンスとしての細菌分離株の同定
本明細書においてＲＴＩ３０１と命名された植物関連細菌株は、ロングアイランド、ＮＹのブドウ畑で成長したメルローブドウの根圏土壌から単離された。ＲＴＩ３０１株の１６Ｓ  ｒＲＮＡおよびｒｐｏＢ遺伝子を配列決定し、続いてＢＬＡＳＴを用いてＮＣＢＩおよびＲＤＰデータベース中の他の既知の細菌株と比較した。ＲＴＩ３０１（配列番号１）の１６Ｓ  ＲＮＡ部分配列は、バチルス・アミロリケファシエンス株ＮＳ６（ＫＦ１７７１７５）、バチルス・アミロリケファシエンス株ＦＺＢ４２（ＮＲ＿０７５００５）、およびバチルス・サブチリス亜種サブチリス株ＤＳＭ１０（ＮＲ＿０２７５５２）の１６Ｓ  ｒＲＮＡ遺伝子配列と同一であることが判明した。ＲＴＩ３０１のｒｐｏＢ遺伝子配列（配列番号２）は、バチルス・アミロリケファシエンス亜種プランタラムＴｒｉｇｏＣｏｒ１４４８（ＣＰ００７２４４）（９９％配列同一性；３塩基対の差異）；バチルス・アミロリケファシエンス亜種プランタラムＡＳ４３．３（ＣＰ００３８３８）（９９％配列同一性；７塩基対の差異）；バチルス・アミロリケファシエンスＣＣ１７８（ＣＰ００６８４５）（９９％配列同一性；８塩基対の差異）、およびバチルス・アミロリケファシエンスＦＺＢ４２（ＣＰ０００５６０）（９９％配列同一性；８塩基対の差異）の同じ遺伝子と配列類似性を有することも判明した。ＲＴＩ３０１株は、バチルス・アミロリケファシエンスとして同定された。ＤＮＡレベルでのｒｐｏＢ遺伝子の配列の相違は、ＲＴＩ３０１がバチルス・アミロリケファシエンスの新しい株であることを示している。バチルス・アミロリケファシエンスＲＴＩ３０１株は、米国バージニア州マナッサスのアメリカンタイプカルチャーコレクション（ＡＴＣＣ）で特許手続きのための微生物寄託の国際的承認に関するブダペスト条約の条件の下、２０１４年４月１７日に寄託され、特許アクセッション番号ＰＴＡ−１２１１６５を有する。
【０１２４】
実施例２
バチルス・ベレゼンシスＲＴＩ３０１株におけるランチビオティック生合成に関連する遺伝子
バチルス・ベレゼンシスＲＴＩ３０１株のゲノムのさらなる配列分析は、この株が、他の密接に関連するバチルス・ベレゼンシスにおいてホモログが存在しないランチビオティック生合成に関連する遺伝子を有することを明らかにした。図１は、バチルス・ベレゼンシスＲＴＩ３０１に見出されるランチビオティック生合成オペロンを囲みおよび有するゲノム組織の概略図を示す。図１において、矢印の一番上の組は、指示された転写の相対的な方向を有するＲＴＩ３０１株のタンパク質コード領域を表す。比較のために、２つの密接に関連するバチルス・ベレゼンシス参照株、ＦＺＢ４２（中）およびＴｒｉｇｏＣｏｒ１４４８（下）の対応する領域をＲＴＩ３０１株の下に示す。ＲＴＩ３０１株におけるランチビオティック合成オペロンの遺伝子は、ＲＡＳＴを用いて最初に同定され、次いでそれらの同一性はＢＬＡＳＴｐを用いて洗練させた。２つの参照株と比較した場合のＲＴＩ３０１株の遺伝子によってコードされるタンパク質のアミノ酸同一性の程度は、代表的な矢印の陰影の程度および矢印内に示される同一性パーセントの両方によって示される。ランチビオティック合成オペロンを取り囲む領域の３つの異なる株からの遺伝子に高程度の配列同一性があるが、ランチビオティック合成オペロン内では低程度の配列同一性しか示さない（すなわち、ランチビオティック合成オペロン内では４０％未満であるが、周囲領域では９９％より大きい）ことが図１から理解され得る。このクラスターのＢＬＡＳＴｎ分析を、ＮＣＢＩの非重複（ｎｒ）ヌクレオチドデータベースに対して行い、分析はＢ．ベレゼンシス株に対する５’および３’隣接領域において高程度の相同性を示した（図１の高％類似性に類似）。しかしながら、ランチペプチド生合成クラスターはＲＴＩ３０１に独特であり、ＮＣＢＩｎｒデータベース中の以前に配列決定されたＤＮＡと有意な相同性は観察されなかった。従って、このランチビオティック合成オペロンはバチルス・ベレゼンシス株ＲＴＩ３０１の独特の特徴である。
【０１２５】
実施例３
小麦のバチルス・ベレゼンシスＲＴＩ３０１単離株の成長効果
小麦の初期の植物成長および活力に及ぼす細菌分離株の適用の効果を決定した。実験は、表面滅菌した発芽小麦種子を２日間、約２×１０７ＣＦＵ／ｍｌの細菌懸濁液中、室温、暗所、通気下で曝露しながら接種することによって行った（対照も細菌なしで行った）。続いて、接種された種子および対照種子を、砂で満たされた６インチのポットに植え付けた。１ポット当たり１０個の種子と１つの処理当たり１つのポットを植え、必要に応じて水と修飾Ｈｏａｇｌａｎｄの溶液とを交互に摂取させた。ポットを約２１℃で実験室ウインドウ内でインキュベートし、自然の明／暗サイクルを１３日間与え、その時点で植物を回収し、パラメーターを測定した。乾燥重量は、非接種対照に対して８．１％の乾燥重量の増加である、バチルス・ベレゼンシスＲＴＩ３０１株で接種した植物について３６．１ｍｇに等しい全平均乾燥植物重量対非接種対照について３３．３８ｍｇに等しい重量をもたらす、９植物あたりの全重量として決定された。１３日間の生育後の抽出された植物の写真を図２に示す。図２ＡはＲＴＩ３０１で接種された植物を示し、図２Ｂは対照植物を示す。
【０１２６】
さらに、バチルス・ベレゼンシスＲＴＩ３０１株が小麦の初期成長に有益な効果を示す別の実験を行った。実験は、表面滅菌した発芽小麦種子を２日間、１０＋８ＣＦＵ／ｍｌの細菌懸濁液中、室温で振盪しながら接種することにより行った。続いて、接種した種子をＰＲＯＭＩＸ  ＢＸを充填した上限ｐＨ６．５の１ガロンのポットに植えた。各処理について、９つのポットを２．５ｃｍの深さに植えられた１２種子で接種した。ポットを２２℃で１４／１０時間の明暗サイクルで温室内でインキュベートし、必要に応じて週に２回給水した。２８日間の生育後の抽出された植物の写真を図３に示す。図３ＡはＲＴＩ３０１で接種された植物を示し、図３Ｂは対照植物を示す。
【０１２７】
実施例４
バチルス・ベレゼンシスＲＴＩ３０１単離物の抗微生物特性
ＲＴＩ３０１単離物の主要な植物病原体に対するアンタゴニスト能力をプレートアッセイで測定した。植物真菌病原体に対する拮抗活性の評価のためのプレートアッセイは、４ｃｍの距離で８６９寒天プレート上に細菌分離株および病原性真菌を並べて培養することによって実施した。プレートを室温でインキュベートし、増殖阻害、ニッチ占領または効果なしなどの成長挙動について、２週間まで定期的に点検した。細菌性病原体に対する拮抗特性をスクリーニングする場合、病原体は最初に８６９寒天プレート上に菌叢として広げられた。続いて、単離物のそれぞれの培養物の２０μｌアリコートをプレート上にスポットした。プレートを室温でインキュベートし、ＲＴＩ３０１が適用された位置の周りの菌叢の阻害ゾーンについて２週間まで定期的にチェックした。拮抗活性の概要を以下の表Ｉに示す。ＲＴＩ３０１株は、広範囲の植物病原性微生物に対して拮抗活性を示した。
【表１】
2018502111.tif 000003
【０１２８】
実施例５
バチルス・ベレゼンシスＲＴＩ３０１単離物の表現型形質
植物成長上の正の効果およびアンタゴニスト特性に加えて、バチルス・ベレゼンシスＲＴＩ３０１株について種々の表現型形質も測定し、データを以下の表ＩＩに示す。アッセイは、表ＩＩの下のテキストに記載の手順に従って行った。
【表２】
2018502111.tif 000004
【０１２９】
酸およびアセトイン試験。豊富な８６９培地中のスターター培養物２０μｌを１ｍｌのメチルレッド（Ｍｅｔｈｙ  Ｒｅｄ）−Ｖｏｇｅｓ  Ｐｒｏｓｋａｕｅｒ培地（Ｓｉｇｍａ  Ａｌｄｒｉｃｈ  ３９４８４）に移した。培養物を３０℃、２００ｒｐｍで２日間インキュベートした。０．５ｍｌの培養物を移し、５０μｌの０．２ｇ／ｌのメチルレッドを添加した。赤色は酸生成を示した。残りの０．５ｍｌの培養物を０．３ｍｌの５％アルファ−ナフトール（Ｓｉｇｍａ  Ａｌｄｒｉｃｈ  Ｎ１０００）、次いで０．１ｍｌの４０％ＫＯＨと混合した。インキュベーションの３０分後にサンプルを解釈した。赤色の発色はアセトイン生成を示した。酸およびアセトイン試験の両方について、非接種培地を陰性対照として使用した（Ｓｏｋｏｌ  ｅｔ  ａｌ．，  １９７９，  Ｊｏｕｒｎａｌ  ｏｆ  Ｃｌｉｎｉｃａｌ  Ｍｉｃｒｏｂｉｏｌｏｇｙ．  ９：  ５３８−５４０）。
【０１３０】
インドール−３−酢酸。豊富な８６９培地中のスターター培養物２０μｌを、０．５ｇ／ｌトリプトファン（Ｓｉｇｍａ  Ａｌｄｒｉｃｈ  Ｔ０２５４）を補充した１ｍｌ  １／１０  ８６９培地に移した。培養物を３０℃、２００ｒｐｍで４〜５日間暗所でインキュベートした。サンプルを遠心分離し、０．１ｍｌの上清を０．２ｍｌのＳａｌｋｏｗｓｋｉ試薬（３５％過塩素酸、１０ｍＭ  ＦｅＣｌ３）と混合した。暗所で３０分間インキュベートした後、ピンク色を呈するサンプルはＩＡＡ合成について陽性と記録された。陽性比較として、ＩＡＡ（Ｓｉｇｍａ  Ａｌｄｒｉｃｈ  Ｉ５１４８）の希釈液を用い、非接種培地を陰性対照として用いた（Ｔａｇｈａｖｉ，  ｅｔ  ａｌ．，  ２００９，  Ａｐｐｌｉｅｄ  ａｎｄ  Ｅｎｖｉｒｏｎｍｅｎｔａｌ  Ｍｉｃｒｏｂｉｏｌｏｇｙ  ７５：  ７４８−７５７）。
【０１３１】
リン酸塩可溶化試験。細菌を、オートクレーブした、１０ｇのグルコース、５ｇの三リン酸カルシウム、０．２ｇの塩化カリウム、０．５ｇの硫酸アンモニウム、０．２ｇの塩化ナトリウム、０．１ｇの硫酸マグネシウム七水和物、０．５ｇの酵母抽出物、２ｍｇの硫酸マンガン、２ｍｇの硫酸鉄および寒天１５ｇ／リットル、ｐＨ７からなるＰｉｋｏｖｓｋａｙａ（ＰＶＫ）寒天培地上に接種した。透明化の領域は、リン酸可溶化細菌の指標であった（Ｓｈａｒｍａ  ｅｔ  ａｌ．，  ２０１１，  Ｊｏｕｒｎａｌ  ｏｆ  Ｍｉｃｒｏｂｉｏｌｏｇｙ  ａｎｄ  Ｂｉｏｔｅｃｈｎｏｌｏｇｙ  Ｒｅｓｅａｒｃｈ  １：  ９０−９５）。
【０１３２】
キチナーゼ活性。１０％湿重量のコロイド状キチンを変性ＰＶＫ寒天培地（オートクレーブした１０ｇのグルコース、０．２ｇの塩化カリウム、０．５ｇの硫酸アンモニウム、０．２ｇの塩化ナトリウム、０．１ｇの硫酸マグネシウム七水和物、０．５ｇの酵母抽出物、２ｍｇの硫酸マンガン、２ｍｇの硫酸鉄および寒天１５ｇ／リットル、ｐＨ７）に加えた。これらのキチンプレート上に細菌を接種した；透明な領域はキチナーゼ活性を示した（Ｎ．  Ｋ．  Ｓ．  Ｍｕｒｔｈｙ  ＆  Ｂｌｅａｋｌｅｙ．，  ２０１２．  “Ｓｉｍｐｌｉｆｉｅｄ  Ｍｅｔｈｏｄ  ｏｆ  Ｐｒｅｐａｒｉｎｇ  Ｃｏｌｌｏｉｄａｌ  Ｃｈｉｔｉｎ  Ｕｓｅｄ  ｆｏｒ  Ｓｃｒｅｅｎｉｎｇ  ｏｆ  Ｃｈｉｔｉｎａｓｅ  Ｐｒｏｄｕｃｉｎｇ  Ｍｉｃｒｏｏｒｇａｎｉｓｍｓ”．  Ｔｈｅ  Ｉｎｔｅｒｎｅｔ  Ｊｏｕｒｎａｌ  ｏｆ  Ｍｉｃｒｏｂｉｏｌｏｇｙ．  １０（２））。
【０１３３】
プロテアーゼ活性。細菌を、１０％ミルクを補充した８６９寒天培地に接種した。透明領域は、プロテアーゼ活性を示唆するタンパク質を分解する能力を示した（Ｓｏｋｏｌ  ｅｔ  ａｌ．，  １９７９，  Ｊｏｕｒｎａｌ  ｏｆ  Ｃｌｉｎｉｃａｌ  Ｍｉｃｒｏｂｉｏｌｏｇｙ．  ９：  ５３８−５４０）。
【０１３４】
実施例６
ウロマイセス・アペンディキュラタスおよびボトリチス・シネレアのバチルス・ベレゼンシスＲＴＩ３０１拮抗活性
植物病原体豆さび（ウロマイセス・アペンディキュラタス）および植物病原体ボトリチス・シネレアの影響を予防および／または改善するバチルス・ベレゼンシスＲＴＩ３０１株の能力を決定するために、大豆に対して温室で研究を行った。
【０１３５】
第１組の実験では、バチルス・ベレゼンシスＲＴＩ３０１株の異なる製剤を、植物病原体ウロマイセス・アペンディキュラタス（Ｕｒｏｍｙｃｅｓ  ａｐｐｅｎｄｉｃｕｌａｔｕｓ）およびボトリチス・シネレアを防除するための葉面適用について試験した。実験デザインおよび製剤は以下の通りであった：
【０１３６】
製剤：
水中で約１００倍に希釈された使用済み発酵ブロス（ＳＦＢ）中のＢ．ベレゼンシスＲＴＩ３０１胞子を１×１０８ｃｆｕ／ｍｌの割合で葉に適用した。
【０１３７】
酵母抽出物を加えた水中で約１００倍に希釈された使用済み発酵ブロス（ＳＦＢ）中のＢ．ベレゼンシスＲＴＩ３０１胞子を１×１０８ｃｆｕ／ｍｌの割合および約０．２％の酵母抽出物で葉に適用した。
【０１３８】
ＳＥＲＥＮＡＤＥ  ＯＰＴＩＭＵＭ（ＢＡＹＥＲ  ＣＲＯＰ  ＳＣＩＥＮＣＥ、ＩＮＣ）製品を、１×１０８ｃｆｕ／ｍｌのＢ．サブチリス株ＱＳＴ７１３胞子の割合で適用した。
【０１３９】
ＨＯＲＩＺＯＮ（ＨＯＲＩＺＯＮ  ＡＧ−ＰＲＯＤＵＣＴＳ）製品を５０ｇ  ａ．ｉ．／ｈａ（テブコナゾール）の割合で適用した。
【０１４０】
ＢＲＡＶＯ  ＷＥＡＴＨＥＲ  ＳＴＩＫ（ＳＹＮＧＥＮＴＡ  ＣＲＯＰ  ＰＲＯＴＥＣＴＩＯＮ、ＩＮＣ）製品を５００ｇ  ａ．ｉ．／ｈａ（クロロタロニル）の割合で適用した。
【０１４１】
ＴＡＣＴＩＣ（Ｌｏｖｅｌａｎｄ  Ｐｒｏｄｕｃｔｓ、Ｉｎｃ）製品を０．１８７５％ｖ／ｖの濃度で上記の全ての製剤に含めた。
【０１４２】
処理の適用方法：
トラック噴霧器を使用して、圧力＝２７６ｋＰａ（４０ｐｓｉ）で単一オーバーヘッドノズル（ＴｅｅＪｅｔ  ＳＳ８００１Ｅフラットファン）を有する、上記に列挙した様々な処理を施した２１日齢の一般的な豆植物（２つの三葉体を有する）に接種した。ノズルの高さは、豆の植物の葉の上に３６ｃｍ（１４インチ）であった。適用量は２００Ｌ／ｈａであり、実験における反復回数は６回であった。処理植物は、処理を受けていない対照植物と共に１回接種した。
【０１４３】
感染率：
処理適用の１日後、試験植物を２００Ｋ分生子／ｍｌの接種率で豆さび（ウロマイセス・アペンディキュラタス）に感染させた。
【０１４４】
豆さび（ウロマイセス・アペンディキュラタス）での感染９日後、病害防除のパーセントを以下のそれぞれについて評価した：上記適用の割合による、水単独で１００倍に希釈した使用済み発酵ブロス中のＲＴＩ３０１胞子（「ＲＴＩ３０１＋１％ＳＦＢ」）、水＋酵母抽出物で１００倍に希釈した使用済み発酵ブロス中のＲＴＩ３０１胞子（「ＲＴＩ３０１＋１％ＳＦＢ＋酵母抽出物」）、ＢＲＡＶＯ  ＷＥＡＴＨＥＲ  ＳＴＩＫ、ＨＯＲＩＺＯＮ、およびＳＥＲＥＮＡＤＥ  ＯＰＴＩＭＵＭ。非処理対照（水のみ）は２８％の病害をもたらした。
【０１４５】
実験の結果を以下の表ＩＩＩに示す。結果は、ＲＴＩ３０１株について酵母抽出物を添加すると、酵母抽出物を添加しないで適用したＲＴＩ３０１株と比較して、病害防除が約４０％増加したことを示す。ＲＴＩ３０１＋１％ＳＦＢ＋酵母抽出物によって示される病害防除の量は、ＲＴＩ３０１製剤中のＳＦＢの含量は１％で比較的低かったが、同じ割合（すなわち、１×１０８ｃｆｕ／ｍｌ）で適用された場合にＳＥＲＥＮＡＤＥ  ＯＰＴＩＭＵＭについて観察されたものと同様であり、ＳＦＢは抗真菌活性を有する分泌化合物を含むことが期待され得る。
【０１４６】
ボトリチス・シネレア病原体（データ示さず）によって引き起こされたペッパー・ボトリチス病害のＲＴＩ３０１によって示された病気防除の量を測定するために、上に列挙したのと同じ製剤および実験デザインを用いて、同様の結果が観察された。
【表３】
2018502111.tif 000005
【０１４７】
以下の実験は、植物病原体ウロマイセス・アペンディキュラタスによって引き起こされるＲＴＩ３０１による豆さびの病害防除を示す。実験デザインおよび製剤は以下の通りであった：
【０１４８】
製剤：
酵母抽出物を加えた水中で約１００倍に希釈された使用済み発酵ブロス（ＳＦＢ）中のバチルス・ベレゼンシスＲＴＩ３０１胞子を１×１０８ｃｆｕ／ｍｌの割合および約０．２％の酵母抽出物で葉に適用した。
【０１４９】
ＳＥＲＥＮＡＤＥ  ＯＰＴＩＭＵＭ（ＢＡＹＥＲ  ＣＲＯＰ  ＳＣＩＥＮＣＥ、ＩＮＣ）製品を、１×１０８ｃｆｕ／ｍｌおよび４×１０８ｃｆｕ／ｍｌの胞子の割合で適用した。
【０１５０】
ＴＡＣＴＩＣ（Ｌｏｖｅｌａｎｄ  Ｐｒｏｄｕｃｔｓ、Ｉｎｃ）を、全ての製剤に０．１８７５％ｖ／ｖの濃度で適用した。
【０１５１】
ＨＯＲＩＺＯＮ（ＨＯＲＩＺＯＮ  ＡＧ−ＰＲＯＤＵＣＴＳ）を５０ｇ  ａ．ｉ．／ｈａ（テブコナゾール）の割合で適用した。
【０１５２】
クロロタロニルを５００ｇ．ｉ．／ｈａの割合で適用した。
【０１５３】
処理の適用方法：
トラック噴霧器を使用して、圧力＝２７６ｋＰａ（４０ｐｓｉ）で単一オーバーヘッドノズル（ＴｅｅＪｅｔ  ＳＳ８００１Ｅフラットファン）を有する、様々な処理を施した２１日齢の一般的な豆植物（２つの三葉体を有する）に接種した。ノズルの高さは、大豆植物の葉の上に３６ｃｍ（１４インチ）であった。適用量は２００Ｌ／ｈａであり、実験における反復回数は６回であった。処理植物は、処理を受けていない対照植物と共に１回接種した。
【０１５４】
感染率：
処理適用の１日後、試験植物を２００Ｋ分生子／ｍｌの接種率で豆さび（ウロマイセス・アペンディキュラタス）に感染させた。豆さび（ウロマイセス・アペンディキュラタス）の感染の１０日後に、疾病防除のパーセントを以下のそれぞれについて評価した：使用済み発酵ブロス（ＳＦＢ）中のＲＴＩ３０１胞子（１×１０８ｃｆｕ／ｍｌで適用）、ＳＥＲＥＮＡＤＥ  ＯＰＴＩＭＵＭ（１×１０８ｃｆｕ／ｍｌで適用）、およびＳＥＲＥＮＡＤＥ  ＯＰＴＩＭＵＭ（４×１０８ｃｆｕ／ｍｌで適用）、テブコナゾール（５０ｇ  ａ．ｉ．／ｈａで適用）、およびクロロタロニル（５００ｇ  ａ．ｉ．／ｈａで適用）。対照として含まれるＴＡＣＴＩＣ（０．１８７５％で適用）を全ての製剤に適用した。チェック対照は２３％の病害をもたらした。実験の結果を以下の表ＩＶおよび図４に示す。
【表４】
2018502111.tif 000006
【０１５５】
別の似たような実験では、病原体の接種割合を変化させながら、植物病原体豆さび（ウロマイセス・アペンディキュラタス）の影響を予防および／または改善するバチルス・ベレゼンシスＲＴＩ３０１株の能力を決定するために、豆植物に対して温室で研究を行った。使用した製剤および処理方法は、前の実験について記載したものと同じであった。
【０１５６】
感染率：
処理適用の１日後、試験植物を５０ｋ〜３００ｋ分生子／ｍｌの範囲の接種率で豆さび（ウロマイセス・アペンディキュラタス）に感染させた。豆さび（ウロマイセス・アペンディキュラタス）での感染１０日後、病害防除のパーセントを以下のそれぞれについて評価した：使用済み発酵ブロス（ＳＦＢ）中のＲＴＩ３０１胞子（１×１０８ｃｆｕ／ｍｌで適用）、およびＳＥＲＥＮＡＤＥ  ＯＰＴＩＭＵＭ（１×１０８および４×１０８ｃｆｕ／ｍｌで適用）およびＨＯＲＩＺＯＮ（テブコナゾール；  ５０ｇ  ａ．ｉ．／ｈａで適用）。対照として含まれるＴＡＣＴＩＣ（０．１８７５％で適用）を全ての製剤に適用した。チェック対照の病害パーセントは、５０ｋ＝６％、１００ｋ＝６％、１５０ｋ＝１５％、２００ｋ＝１５％および３００ｋ＝７％であった。実験の結果を以下の表Ｖおよび図５に示す。
【表５】
2018502111.tif 000007
【０１５７】
実施例７
フロリダの野外試験におけるクルクビット病害うどんこ病のバチルス・ベレゼンシスＲＴＩ３０１拮抗活性
キュウリの野外試験において、バチルス・ベレゼンシスＲＴＩ３０１株が、植物病原体クルクビット病害うどんこ病（Ｃｕｃｕｒｂｉｔ  Ｄｉｓｅａｓｅ  Ｐｏｗｄｅｒｙ  Ｍｉｌｄｅｗ）の影響を予防および／または改善する能力を調べるための研究が行われた。
【０１５８】
合計６回の適用は、適用の間に５〜７日間の間隔でそれぞれの製品に対して行われた。最初の適用のタイミングは、特定の作物に依存し、植え付け時、作物出芽後数週間、開花時、病害の出現時、または病害の出現を予期する直前の範囲内であった。
【０１５９】
製剤：
ＳＥＲＥＮＡＤＥ  ＯＰＴＩＭＵＭ（ＢＡＹＥＲ  ＣＲＯＰ  ＳＣＩＥＮＣＥ，  ＩＮＣ）を１４００ｇ／ｈａの割合で適用し、これは１．８×１０＋１３ＣＦＵ／ｈａに相当する。
【０１６０】
Ｂ．ベレゼンシスＲＴＩ３０１胞子は、酵母抽出物を添加した使用済み発酵ブロス（ＳＦＢ）中に存在し、葉への適用割合は、１４００ｇ／ｈａの適用割合および約０．０１％〜０．２％の酵母抽出物に基づくＳＥＲＥＮＡＤＥ  ＯＰＴＩＭＵＭに対して推奨される同じコロニー形成単位／ｈａ（ＣＦＵ／ｈａ）に対応した。
【０１６１】
ＴＡＣＴＩＣ（Ｌｏｖｅｌａｎｄ  Ｐｒｏｄｕｃｔｓ、Ｉｎｃ）を、０．１８７５％ｖ／ｖの濃度で適用し、全ての処理物に含有させた。
【０１６２】
ＬＵＮＡ  ＥＸＰＥＲＩＥＮＣＥ（ＢＡＹＥＲ  ＣＲＯＰ  ＳＣＩＥＮＣＥ、ＩＮＣ）を５００ｇ  ａ．ｉ．／ｈａ（フルオピラム＋テブコナゾール殺真菌剤）の割合で適用した。
【０１６３】
ＢＲＡＶＯ  ＷＥＡＴＨＥＲ  ＳＴＩＫ（ＳＹＮＧＥＮＴＡ  ＣＲＯＰ  ＰＲＯＴＥＣＴＩＯＮ、ＩＮＣ）を２２４０ｇ  ａ．ｉ．／ｈａ（クロロタロニル）の割合で適用した。
【０１６４】
実験デザインは以下の通りであった：非処理対照、ＲＴＩ３０１＋ＴＡＣＴＩＣ、ＳＥＲＥＮＡＤＥ  ＯＰＴＩＭＵＭ＋ＴＡＣＴＩＣ、およびＢＲＡＶＯ  ＷＥＡＴＨＥＲ  ＳＴＩＫ＋ＬＵＮＡ  ＥＸＰＥＲＩＥＮＣＥ＋ＴＡＣＴＩＣ。
【０１６５】
処理の適用方法：
上記のように６つの適用物が作製された。適用噴霧器は、１エーカーあたり３０ガロンを供給するように設定された。個々のプロットは、フラットファンノズル（８００４タイプ）を備えたＣＯ２バックパック噴霧器を用いて４ｍｐｈの対地速度で噴霧し、各ノズルは１８インチ離して配置した。  
【０１６６】
病害スコアリング：各処理について、植物の５枚の葉について、病害重症度の平均パーセントを評価した。各処理からの４つのプロットを、うどんこ病の作物応答および病害防除のために評価した。試験は、各適用の後、次の適用の直前に評価された。うどんこ病は自然に発生したものであった。 
【０１６７】
実験結果を以下の表ＶＩに示し、単独の生物殺真菌剤と同じ割合で、または処理プログラムの一部として適用した場合、キュウリにおけるうどんこ病の同様の防除をＳＥＲＥＮＡＤＥ  ＯＰＴＩＭＵＭと比較して示す。
【表６】
2018502111.tif 000008
【０１６８】
実施例８
野外試験におけるトマトの細菌スポットトマト病（キサントモナス）のバチルス・ベレゼンシスＲＴＩ３０１拮抗活性
トマトの野外試験において、バチルス・ベレゼンシスＲＴＩ３０１株が、植物病原体細菌スポットトマト病（キサントモナス）の影響を予防および／または改善する能力を調べるための研究が行われた。
【０１６９】
作物への合計４回の適用は、適用の間に５〜７日間の間隔で行われた。生物有効成分を化学有効成分と組み合わせたプログラム４の場合、第１および第３の適用は生物有効成分とともに行われ、第２および第４の適用は、化学有効成分とともに行われた。
【０１７０】
製剤：
ＳＥＲＥＮＡＤＥ  ＯＰＴＩＭＵＭを１４００ｇ／ｈａの割合で適用し、これは１．８×１０＋１３ＣＦＵ／ｈａに相当する。
【０１７１】
Ｂ．ベレゼンシスＲＴＩ３０１胞子は、酵母抽出物を添加した使用済み発酵ブロス（ＳＦＢ）中に存在し、葉への適用割合は、１４００ｇ／ｈａの適用割合および約０．０１％〜０．２％の酵母抽出物に基づくＳＥＲＥＮＡＤＥ  ＯＰＴＩＭＵＭに対して推奨される同じコロニー形成単位／ｈａに対応した。
【０１７２】
ＴＡＣＴＩＣ（Ｌｏｖｅｌａｎｄ  Ｐｒｏｄｕｃｔｓ、Ｉｎｃ）を０．１８７５％ｖ／ｖの濃度で適用した。
【０１７３】
Ｋｏｃｉｄｅ  ３０００（ＤＵＰＯＮＴ  ＵＳＡ）を１８５０ｇ  ａ．ｉ．／ｈａ（水酸化銅殺真菌剤）の割合で適用した。
【０１７４】
ＢＲＡＶＯ  ＷＥＡＴＨＥＲ  ＳＴＩＫ（ＳＹＮＧＥＮＴＡ  ＣＲＯＰ  ＰＲＯＴＥＣＴＩＯＮ、ＩＮＣ）を２２４０ｇ  ａ．ｉ．／ｈａ（クロロタロニル）の割合で適用した。
【０１７５】
実験デザインは以下の通りであった：非処理対照、ＲＴＩ３０１＋ＴＡＣＴＩＣ、ＳＥＲＥＮＡＤＥ  ＯＰＴＩＭＵＭ＋ＴＡＣＴＩＣ、ＥＲＥＮＡＤＥ  ＯＰＴＩＭＵＭ＋Ｋｏｃｉｄｅ  ３０００＋ＴＡＣＴＩＣ、およびＢＲＡＶＯ  ＷＥＡＴＨＥＲ  ＳＴＩＫ＋Ｋｏｃｉｄｅ  ３０００＋ＴＡＣＴＩＣ。
【０１７６】
処理の適用方法：
４つの別々の処理適用剤が、各適用の間に５〜７の間隔で作物に送達された。適用噴霧器は、１エーカーあたり４０ガロンを供給するように設定された。個々のプロットは、円錐ノズルを備えたＣＯ２バックパック噴霧器を用いて３ｍｐｈの対地速度で噴霧し、各ノズルは１２インチ離して配置した。化学薬品を供給するためのキャリアは、水を２．５リットルのボトルに混合したものであった。
【０１７７】
病害重症度は、キャノピーを評価することによって測定した。各処理について、植物の中央で病害重症度の平均パーセントを評価した。病害防除パーセンテージは、病害のある、非処理対照植物を１００％とすることに基づく。結果を表ＶＩＩに示す。処理剤は：非処理対照、ＲＴＩ３０１＋ＴＡＣＴＩＣ、ＳＥＲＥＮＡＤＥ  ＯＰＴＩＭＵＭ＋ＴＡＣＴＩＣ、ＳＥＲＥＮＡＤＥ  ＯＰＴＩＭＵＭ＋Ｋｏｃｉｄｅ  ３０００＋ＴＡＣＴＩＣ、およびＢＲＡＶＯ  ＷＥＡＴＨＥＲ  ＳＴＩＫ＋Ｋｏｃｉｄｅ  ３０００＋ＴＡＣＴＩＣ、を含み得る。
【０１７８】
実験の結果を以下の表ＶＩＩに示す。トマトにおける細菌スポットトマト病害（キサントモナス）は、ＲＴＩ３０１＋ＴＡＣＴＩＣ、ＳＥＲＥＮＡＤＥ  ＯＰＴＩＭＵＭ＋ＴＡＣＴＩＣ、およびＢｒａｖｏ  Ｗｅａｔｈｅｒ  Ｓｔｉｋ＋Ｋｏｃｉｄｅ  ３０００＋ＴＡＣＴＩＣでの処理により等しく防除された。
【表７】
2018502111.tif 000009
【０１７９】
実施例９
野外試験における植物病原体のバチルス・ベレゼンシスＲＴＩ３０１拮抗活性  
キサントモナス属によって引き起こされる植物病原体小麦頭部腐敗病、大豆さび、コーンさび、キュウリうどんこ病、およびトマトにおける細菌スポットの効果を予防および／または改善するために、ジョージア州の小麦、大豆、コーン、キュウリおよびトマトの野外試験で研究を行い、Ｂ．ベレゼンシスＲＴＩ３０１株の能力を決定した。
【０１８０】
適用は、ＳＥＲＥＮＡＤＥ  ＯＰＴＩＭＵＭについて１４００ｇ／ｈａの適用割合および１４００ｇ／ｈａ適用割合に基づいたＳＥＲＥＮＡＤＥ  ＯＰＴＩＭＵＭに推奨されるものと同じコロニー形成単位／ｈａに対応するＲＴＩ３０１についての適用割合を用いてＲＴＩ３０１およびＳＥＲＥＮＡＤＥ  ＯＰＴＩＭＵＭのそれぞれについて行った。
【０１８１】
１つ以上の処理適用剤が、各適用の間に５〜７日の間隔で作物に送達された。適用回数および最初の適用のタイミングは、特定の作物に依存し、植え付け時、作物出芽後数週間、開花時、病害の出現時、または病害の出現を予期する直前の範囲内であった。適用噴霧器は、１エーカーあたり２０〜３０ガロンを供給するように設定された（１８９ｌ／ｈａ）。個々のプロットは、ツインフラットファンノズル（８００３タイプまたは８００４タイプ）を備えたＣＯ２バックパック噴霧器を用いて３〜４ｍｐｈの対地速度で噴霧した。
【０１８２】
小麦頭部腐敗病について、作物の開花時に植物に対して１回の処理が適用された。処理の３日後に、植物を頭部疥癬病原体Ｇｉｂｂｅｒｅｌｌａ  ｚｅａｅ（フザリウム・グラミネアラムとしても知られる）に人工的に感染させた。病害の重症度は、頭部疥癬（小穂の漂白）によって影響を受ける小麦頭のパーセンテージを決定することによって測定した。病害重症度のパーセンテージ防除は、非処理対照植物の病害重症度パーセンテージを１００％とすることに基づく。結果を表ＶＩＩＩに示す。
【０１８３】
大豆さびについては、植物に対し６回の適用が行われた。最初の適用剤は、成長のＲ１段階で送達された。この試験には自然発生があった。病害重症度は、茎およびキャノピーを評価することによって測定した。特に、プロットごとに６つの２フィートセクションをサブサンプルとして評価し、全キャノピーからさびの症状を示した葉のパーセンテージを推定することによって重症度を判定した。病害重症度のパーセンテージ防除は、非処理対照植物の病害重症度パーセンテージを１００％とすることに基づく。結果を表ＶＩＩＩに示す。
【０１８４】
コーンさびについては、植物に対し６回の適用が行われた。この試験には自然発生があった。病害重症度は、キャノピーを評価することによって測定した。プロットごとに６つの２フィートセクションをサブサンプルとして評価し、全キャノピーからさびの症状を示した葉のパーセンテージを推定することによって重症度を判定した。病害の重症度は、１ｍ列当たりのヒット数として得点された。各処理からの４つのプロットを、コーンさびの作物応答および病害防除のために評価した。病害重症度のパーセンテージ防除は、非処理対照植物の病害重症度パーセンテージを１００％とすることに基づく。結果を表ＶＩＩＩに示す。
【０１８５】
キュウリうどんこ病については、作物出芽の約３週間後に植物に６回の処理を施した。各処理について、植物の５枚の葉について、病害重症度の平均パーセントを評価した。各処理からの４つのプロットを、うどんこ病の作物応答および病害防除のために評価した。試験は、各適用の後、次の適用の直前に評価された。うどんこ病は自然に発生したものであった。病害重症度のパーセンテージ防除は、非処理対照植物の病害重症度パーセンテージを１００％とすることに基づく。結果を表ＶＩＩＩに示す。
【０１８６】
トマト細菌スポットについては、植物に対し６回の適用が行われた。病害の重症度は、キャノピーを見て影響を受けた葉の割合を見積もることによって測定した。病害重症度のパーセンテージ防除は、非処理対照植物の病害重症度パーセンテージを１００％とすることに基づく。結果を表ＶＩＩＩに示す。
【表８】
2018502111.tif 000010
【０１８７】
ＲＴＩ３０１は、非処理対照のパーセントで測定したＳＥＲＥＮＡＤＥ  ＯＰＴＩＭＵＭよりも良好に小麦頭部腐敗病および大豆さびを防除した。ＲＴＩ３０１は、非処理対照のパーセントによって測定されたキュウリうどんこ病、コーンさび、およびトマトの細菌スポットの防除時のＳＥＲＥＮＡＤＥ  ＯＰＴＩＭＵＭに匹敵した。処理適用プログラムにおいて、ＲＴＩ３０１で陰性作物応答は認められなかった。
【０１８８】
実施例１０
大豆における突然死症候群のバチルス・ベレゼンシスＲＴＩ３０１拮抗活性
大豆中の突然死症候群の影響を予防および／または改善のためのＢ．ベレゼンシスＲＴＩ３０１株の能力を決定するために、大豆における実験を行った。実験は、ＲＴＩ３０１の胞子を用いて下記のように行った。実験のために、株を１４Ｌ発酵槽中で２ＸＳＧ中に胞子形成させた。胞子を収集し、洗浄し、１．０×１０１０ＣＦＵ／ｍＬの濃度でＨ２Ｏ中で濃縮した。  
【０１８９】
大豆における実験は以下のように設定した：１）種子は非処理であった；２）種子を、典型的な大豆種子処理である、ＣｒｕｉｓｅｒＭａｘｘ（チアメトキサム、フルジオキソニル＋メタラキシル−Ｍを含有する、殺虫剤＋殺真菌剤；（ＳＹＮＧＥＮＴＡ  ＣＲＯＰ  ＰＲＯＴＥＣＴＩＯＮ、ＩＮＣ）およびチオファン酸メチル殺真菌剤（ＣｒｕｉｓｅｒＭａｘｘとチオファン酸メチルの組み合わせは「化学対照」と呼ばれる）で処理した、ならびに３）種子を、化学対照＋５．０×１０＋５ｃｆｕ／種株のＲＴＩ３０１の接種で処理した。
【０１９０】
大豆突然死症候群の原因物質であるフザリウム・ビルグリフォルメ（Ｆｕｓａｒｉｕｍ  ｖｉｒｇｕｌｉｆｏｒｍｅ）を接種した土壌で、アイオワ州エイムズで野外試験を行った。Ｆ．ビルグリフォルメを加湿したオートクレーブした穀物種子上で生育させた。穀粒種子を菌糸成長体で覆った後、種子を風乾し、その後粉砕した。調製された粉砕接種材料は、より高い均一な感染率を確実にするために、所定の割合で大豆種子と共に植え付けられた。この病害はシーズンの早い段階で感染するが、シーズンの後半まで症状は現れない。１１９日後、大豆突然死症候群について、病害の発生率、病害重症度および病害指数を決定した。さらに、各処理について大豆の収量を測定した。
【０１９１】
表ＩＸの結果は、バチルス・ベレゼンシスＲＴＩ３０１を用いた大豆種子の接種が、様々なパラメーターによって測定されたように、病害防除、および大豆の全収量に対して正の影響を有し、化学対照単独で処理された種子と比較した場合、化学対照単独に対して大豆収量（エーカーあたり５５．２から５９．５ブッシェル）が７．８％増加したことを示す。
【表９】
2018502111.tif 000011
【０１９２】
大豆突然死症候群の原因物質であるフザリウム・ビルグリフォルメを土壌に接種した状態で、植え付け後１１９日目に大豆の病害発生率、病害重症度、病害指数および収量を測定した。
【０１９３】
実施例１１
イタリアの野外試験におけるトマトにおける茶色がかった灰色かび（ボトリチス・シネレア）のＢ．ベレゼンシスＲＴＩ３０１拮抗活性
研究は、植物病原体である茶色がかった灰色かび（ボトリチス・シネレア）の効果を予防および／または改善するＢ．ベレゼンシスＲＴＩ３０１株の能力を決定するためにトマトの野外試験で行われた。
【０１９４】
作物への合計４回の適用は、適用の間に７日間の間隔で行われた。
【０１９５】
製剤：
ＳＥＲＥＮＡＤＥ  ＭＡＸは、バチルス・サブチリス株ＱＳＴ７１３の２．０×１０＋１４ＣＦＵ／ｈａに相当する４０００ｇ／ｈａの割合で適用した。
【０１９６】
Ｂ．ベレゼンシスＲＴＩ３０１胞子は、酵母抽出物を添加した使用済み発酵ブロス（ＳＦＢ）に入れられ、適用割合は、約０．０１％〜０．２％の酵母抽出物で２．０×１０＋１３ＣＦＵ／ｈａであった。
【０１９７】
作物への最初の２回の適用は、ＳＷＩＴＣＨ（シプロジニル３７５ｇ／ｋｇ＋フルジオキソニル２５０ｇ／ｋｇ；ＳＹＮＧＥＮＴＡ  ＣＲＯＰ  ＰＲＯＴＥＣＴＩＯＮ、ＩＮＣ）を０．８ｋｇ／ｈａの割合で行い、続いてＳＩＧＮＵＭ（ボスカリド２６７ｇ／ｋｇ＋ピラクロストロビン６７ｇ／ｋｇ；ＢＡＹＥＲ  ＣＲＯＰ  ＳＣＩＥＮＣＥ，ＩＮＣ）を１．８ｋｇ／ｈａの割合で２回適用した。これを本明細書では「ファーマープログラム」と呼ぶ。
【０１９８】
非イオン性オルガノシリコーン界面活性剤であるＳＩＬＷＥＴ  Ｌ７７（ＨＥＬＥＮＡ  ＣＨＥＭＩＣＡＬ）を、ＳＥＲＥＮＡＤＥ  ＭＡＸを除いた全ての処理剤において１００リットルのスプレー溶液につき０．１５リットルの割合で用いた。
【０１９９】
実験デザインは以下の通りであった：非処理対照（ＵＴＣ）、ファーマープログラム＋ＳＩＬＷＥＴ  Ｌ７７、ＲＴＩ３０１＋ＳＩＬＷＥＴ  Ｌ７７、およびＳＥＲＥＮＡＤＥ  ＭＡＸ。  
【０２００】
処理の適用方法：
２回の独立した野外試験を行い、それぞれ４回の反復試験を行い、両試験の結果をまとめ、平均結果として示した。４つの別々の処理適用剤が、各適用の間に７日の間隔で作物に送達された。処置開始の３日前に、未処置対照を含む全てのプロットを初期病害発症を抑制するためにＳＷＩＴＣＨで処置した。適用噴霧器は、１エーカーあたり５３ガロンを供給するように設定された。個々のプロットは、円錐ノズルを備えたＣＯ２バックパック噴霧器を用いて１．７ｍｐｈ（０．８ｍ／ｓまたは２．９ｋｍ／ｈ）の対地速度で噴霧し、各ノズルは２インチ（５．５ｃｍ）離して配置した。  
【０２０１】
全てのトマトは、収穫され、数えられ、計量され、収量が決定され、販売可能かまたは病害かに分けられた。病害発生率（茶色がかった灰色かびにより影響された果実の％）は、別々の５日での収穫時の各処理の果実を評価して測定し、「病害圧力曲線下面積」（ＡＵＤＰＣ）として表した。病害発生率および累積収量データを以下の表Ｘに示す。時間の関数としてのＵＴＣにおける病害発生率を下のグラフ（図６）に示し、両試験の間に病害圧力が増加し、非常に高い病害圧力、すなわち２つの試験のそれぞれに感染した果実の５１．５％および４４．５％で終了することを示す。
【０２０２】
結果は、バチルス・ベレゼンシスＲＴＩ３０１および化学活性剤に基づくファーマープログラムでは、トマトの茶色がかった灰色かび（ボトリチス・シネレア）の最良の防除が観察され、ＲＴＩ３０１よりも１０倍高い濃度のバチルス・サブチリス株ＱＳＴ７１３を有するＳＥＲＥＮＡＤＥ  ＭＡＸを用いた処理よりも優れていることを示す。
【表１０】
2018502111.tif 000012
【０２０３】
実施例１２
イタリアおよびスペインの野外試験におけるイチゴにおける茶色がかった灰色かび（ボトリチス・シネレア）のＢ．ベレゼンシスＲＴＩ３０１拮抗活性
研究は、植物病原体である茶色がかった灰色かび（ボトリチス・シネレア）の効果を予防および／または改善するＢ．ベレゼンシスＲＴＩ３０１株の能力を決定するためにイチゴの野外試験で行われた。
【０２０４】
作物への合計４回の適用は、適用の間に７日間の間隔で行われた。
【０２０５】
製剤：
ＳＥＲＥＮＡＤＥ  ＭＡＸは、バチルス・サブチリス株ＱＳＴ７１３の２．０×１０＋１４ＣＦＵ／ｈａに相当する４０００ｇ／ｈａの割合で適用した。
【０２０６】
Ｂ．ベレゼンシスＲＴＩ３０１胞子は、酵母抽出物を添加した使用済み発酵ブロス（ＳＦＢ）に入れられ、適用割合は、約０．０１％〜０．２％の酵母抽出物で２．０×１０＋１３ＣＦＵ／ｈａであった。さらに、非イオン性オルガノシリコーン界面活性剤であるＳＩＬＷＥＴ  Ｌ７７（ＨＥＬＥＮＡ  ＣＨＥＭＩＣＡＬ）を１００リットルのスプレー溶液につき０．１５リットルの割合で添加した。
【０２０７】
作物への最初の２回の適用は、ＳＷＩＴＣＨ（シプロジニル３７５ｇ／ｋｇ＋フルジオキソニル２５０ｇ／ｋｇ；ＳＹＮＧＥＮＴＡ  ＣＲＯＰ  ＰＲＯＴＥＣＴＩＯＮ、ＩＮＣ）を０．８ｋｇ／ｈａの割合で行い、続いてＳＩＧＮＵＭ（ボスカリド２６７ｇ／ｋｇ＋ピラクロストロビン６７ｇ／ｋｇ；ＢＡＹＥＲ  ＣＲＯＰ  ＳＣＩＥＮＣＥ，ＩＮＣ）を１．８ｋｇ／ｈａの割合で２回適用した。これを本明細書では「ファーマープログラム」と呼ぶ。
【０２０８】
実験デザインは以下の通りであった：非処理対照（ＵＴＣ）、ファーマープログラム、ＲＴＩ３０１＋ＳＩＬＷＥＴ  Ｌ７７、およびＳＥＲＥＮＡＤＥ  ＭＡＸ。 
【０２０９】
処理の適用方法：
４回の独立した野外試験を行い、それぞれ４回の反復試験を行い、試験の結果をまとめ、平均結果として示した。４つの別々の処理適用剤が、各適用の間に７日の間隔で作物に送達された。処置開始の３日前に、未処置対照を含む全てのプロットを初期病害発症を抑制するためにＳＷＩＴＣＨで処置した。適用噴霧器は、適用時の作物密度に依存して１エーカーあたり５３〜１０７ガロンを供給するように設定された。個々のプロットは、円錐ノズルを備えたＣＯ２バックパック噴霧器を用いて０．５６ｍｐｈ（０．２５ｍ／ｓまたは０．９ｋｍ／ｈ）の対地速度で噴霧し、各ノズルは２インチ（５．５ｃｍ）離して配置した。 
【０２１０】
全てのイチゴは、収穫され、数えられ、計量され、収量が決定され、販売可能かまたは病害かに分けられた。病害発生率（茶色がかった灰色かびにより影響された果実の％）は、６つの別々の日付での収穫時の各処理の果実を評価して測定し、「病害圧力曲線下面積」（ＡＵＤＰＣ）として表した。非処理対照に対する発病率および収量の％増加を以下の表ＸＩに示す。ＵＴＣにおける発病率を時間の関数として以下のグラフに示した（図７）および試験中に進んだ病害圧力が、感染した果実の２０％〜４５％の最高の病害圧力に達することを示す。
【０２１１】
以下の表ＸＩの結果は、ＲＴＩ３０１による処理の収量の数値的増加がわずかに高い、３つの処理、Ｂ．ベレゼンシスＲＴＩ３０１、ＳＥＲＥＮＡＤＥ  ＭＡＸ、およびファーマープログラムの全てについて、非処理の対照に対するイチゴへの茶色がかった灰色かび（ボトリチス・シネレア）の改善された防除が観察されたことを示す。
【表１１】
2018502111.tif 000013
【０２１２】
実施例１３
Ｂ．ベレゼンシスＲＴＩ３０１でのコーン種子処理
Ｂ．ベレゼンシスＲＴＩ３０１株による植物種子の処理後のコーンの植物の成長および発達への影響を調べるための実験を行った。
【０２１３】
特に、コーンにおける実験は以下のように設定した：１）種子を処理した；２）種子を、典型的なコーン種子処理である、ＭＡＸＩＭ（０．０６２５ｍｇ／種でのその有効成分として広範囲スペクトル種子処理殺真菌剤フルジオキソニル；ＳＹＮＧＥＮＴＡ  ＣＲＯＰ  ＰＲＯＴＥＣＴＩＯＮ，ＩＮＣ）、ＡＰＲＯＮ  ＸＬ（０．０６２５ｍｇ／種子での有効成分メタラキシル−Ｍ）；ＳＹＮＧＥＮＴＡ  ＣＲＯＰ  ＰＲＯＴＥＣＴＩＯＮ，  ＩＮＣ）およびＰＯＮＣＨＯ（０．２５ｍｇ／種子でのクロチアニジン殺虫剤；  ＢＡＹＥＲ  ＣＲＯＰＳＣＩＥＮＣＥ、ＩＮＣ）の組み合わせ（ＭＡＸＩＭ、ＡＰＲＯＮ  ＸＬおよびＰＯＮＣＨＯの組合せを「化学対照」と呼ぶ）で処理した；ならびに３）種子を、化学対照＋５．０×１０＋５ｃｆｕ／種の株ＲＴＩ３０１での接種で処理した。イリノイ州シャウニータウンにある野外サイトで１回の試験につき１回の処理あたり５回の反復で３回の試験を行った。３つの試験の条件は、自然病害圧力またはフザリウム・グラミネアラムまたはリゾクトニアの１つでの土壌の接種であった。フサリウム・グラミネアラムおよびリゾクトニアは、加湿しオートクレーブ処理した穀物種子上で別々に栽培し、次いで空気乾燥した。選択された試験で使用された乾燥した接種材料は、種子が成長し始めたときに感染を提供するために、所定の割合で種子と混合された。
【０２１４】
野外試験の平均コーン収量の結果（１エーカーあたりのブッシェル）を下記表ＸＩＩに示す。表ＸＩＩの結果は、化学対照＋Ｂ．ベレゼンシスＲＴＩ３０１を接種すると、化学対照単独で処理した種子と比較した場合、３つの条件の全てでコーンの全体的平均収量に影響を与えたことを示す。統計的関連性（文字として）は、Ｐ＝０．１に基づく。注目すべきことに、リゾクトニアでの接種試験に関し、ＲＴＩ３０１＋化学対照で化学対照単独より、１エーカーあたり４０．１ブッシェルの非常に大きな収量利益が観察された。さらに、フザリウム・グラミネアラムを人工的に接種した試験および自然の病害圧力について、エーカー当たり３．３ブッシェルおよびエーカー当たり８．４ブッシェルの収量増加が記録された。要約すると、化学対照＋ＲＴＩ３０１による処理は、３つの試験の全てについて収量の増加をもたらし、コーン植物がリゾクトニアで接種された試験の収量の非常に大きな増加をもたらした。 
【表１２】
2018502111.tif 000014
【０２１５】
実施例１４
ＦＲＡＣＴＵＲＥと組み合わせた真菌病原体のＢ．ベレゼンシスＲＴＩ３０１拮抗活性
真菌の植物病原体を防除するＦＲＡＣＴＵＲＥ（Ｃｏｎｓｕｍｏ  ｅｍ  Ｖｅｒｄｅ（ＣＥＶ）、Ｂｉｏｔｅｃｎｏｌｏｇｉａ  ｄａｓ  Ｐｌａｎｔａｓ  Ｓ．Ａ．、Ｐｏｒｔｕｇａｌ）の性能を向上させるＢ．ベレゼンシスＲＴＩ３０１株の拮抗能力を調べるためにｉｎ  ｖｉｔｒｏプレートアッセイを用いて研究を行った。ＦＲＡＣＴＵＲＥは、２０％ＢＬＡＤポリペプチドを有効成分として含有する植物抽出物に基づく製剤である。ＢＬＡＤポリペプチドは、真菌の細胞壁を損傷させ、内部細胞膜を破壊することによって感受性真菌病原体に作用する甘ルーパン（ルピナス・アルブス）に天然に存在する種子貯蔵タンパク質の断片である。
【０２１６】
植物真菌病原体に対する拮抗活性の評価のためのプレートアッセイは、８６９寒天プレートまたは８６９＋１％ＦＲＡＣＴＵＲＥ寒天プレート上に細菌単離物および病原性真菌を並べて成長させることによって実施した。各プレートの反対側に、１×１０８ＣＦＵ／ｍｌまたは１×１０９ＣＦＵ／ｍｌを含有する２０μｌのＲＴＩ３０１胞子溶液をプレートの中央から４ｃｍの距離にスポットした。続いて、２０μｌの真菌の胞子溶液または真菌の菌糸体を接種した寒天栓をプレートの中央に置いた。プレートを２５℃で７日間インキュベートし、成長阻害、ニッチ占有、または効果のないような成長挙動について定期的にチェックした。
【０２１７】
ＦＲＡＣＴＵＲＥと組み合わされたフザリウム・グラミネアラムおよびフザリウム・オキシスポルムｆｃキューベンセに対するＢ．ベレゼンシスＲＴＩ３０１によって提供される拮抗活性の結果は、図８Ａ〜８Ｆ（フザリウム・グラミネアラム）および図９Ａ〜９Ｆ（フザリウム・オキシスポルムｆｃキューベンセ）に示す。
【０２１８】
図８Ａ〜８Ｆは、ＦＲＡＣＴＵＲＥの存在下および非存在下でのＢ．ベレゼンシスＲＴＩ３０１によるフザリウム・グラミネアラムの防除を示すプレートアッセイの画像である。Ａ）８６９寒天プレート上のフザリウム・グラミネアラムの成長；Ｂ）それぞれ１×１０８ＣＦＵ／ｍｌ（左）または１×１０９ＣＦＵ／ｍｌ（右）を含有する２０μｌのＲＴＩ３０１胞子溶液の存在下での８６９寒天プレート上のフザリウム・グラミネアラムの成長；Ｃ）８６９寒天プレート上にそれぞれ１×１０８ＣＦＵ／ｍｌ（左）または１×１０９ＣＦＵ／ｍｌ（右）を含有する２０μｌのＢ．ベレゼンシスＲＴＩ３０１胞子溶液の成長；Ｄ）８６９＋１％ＦＲＡＣＴＵＲＥ寒天プレート上のフザリウム・グラミネアラムの成長；Ｅ）１×１０８ＣＦＵ／ｍｌ（左）または１×１０９ＣＦＵ／ｍｌ（右）を含有する２０μｌのＲＴＩ３０１胞子溶液存在下の８６９＋１％ＦＲＡＣＴＵＲＥ寒天プレート上でのフザリウム・グラミネアラムの成長；Ｆ）８６９＋１％ＦＲＡＣＴＵＲＥ寒天プレート上のそれぞれ１×１０８ＣＦＵ／ｍｌ（左）または１×１０９ＣＦＵ／ｍｌ（右）を含有する２０μｌのＢ．ベレゼンシスＲＴＩ３０１胞子溶液の成長。
【０２１９】
図９Ａ〜９Ｆは、ＦＲＡＣＴＵＲＥの存在下および非存在下でのＢ．ベレゼンシスＲＴＩ３０１によるフザリウム・オキシスポルムｆｃキューベンセの防除を示すプレートアッセイの画像である。Ａ）８６９寒天プレート上のフザリウム・オキシスポルムｆｃキューベンセの成長；Ｂ）それぞれ１×１０８ＣＦＵ／ｍｌ（左）または１×１０９ＣＦＵ／ｍｌ（右）を含有する２０μｌのＲＴＩ３０１胞子溶液の存在下での８６９寒天プレート上のフザリウム・オキシスポルムｆｃキューベンセの成長；Ｃ）８６９寒天プレート上にそれぞれ１×１０８ＣＦＵ／ｍｌ（左）または１×１０９ＣＦＵ／ｍｌ（右）を含有する２０μｌのＢ．ベレゼンシスＲＴＩ３０１胞子溶液の成長；Ｄ）８６９＋１％ＦＲＡＣＴＵＲＥ寒天プレート上のフザリウム・オキシスポルムｆｃキューベンセの成長；Ｅ）１×１０８ＣＦＵ／ｍｌ（左）または１×１０９ＣＦＵ／ｍｌ（右）を含有する２０μｌのＲＴＩ３０１胞子溶液存在下の８６９＋１％ＦＲＡＣＴＵＲＥ寒天プレート上でのフザリウム・オキシスポルムｆｃキューベンセの成長；Ｆ）８６９＋１％ＦＲＡＣＴＵＲＥ寒天プレート上のそれぞれ１×１０８ＣＦＵ／ｍｌ（左）または１×１０９ＣＦＵ／ｍｌ（右）を含有する２０μｌのＢ．ベレゼンシスＲＴＩ３０１胞子溶液の成長。
【０２２０】
結果は、８６８寒天培地中の１％ＦＲＡＣＴＵＲＥの存在は、Ｂ．ベレゼンシスＲＴＩ３０１の成長を阻害しなかったことを示す。ＲＩ３０１の阻害の欠如は、１％ＦＲＡＣＴＵＲＥの存在が株の成長を阻害した他のＢ．ベレゼンシス株について観察されたものとは対照的であった。さらに、１％ＦＲＡＣＴＵＲＥの８６９培地への添加は、フザリウム・グラミネアラムおよびフザリウム・オキシスポルムｆｃキューベンセの成長を低減することをもたらすが、真菌の増殖の完全な阻害は達成されなかった。しかしながら、Ｂ．ベレゼンシスＲＴＩ３０１の存在は、フザリウム・グラミネアラムおよびフザリウム・オキシスポルムｆｃキューベンセの両方の真菌成長のさらなる阻害をもたらした。従って、Ｂ．ベレゼンシスＲＴＩ３０１は、ＦＲＡＣＴＵＲＥの性能を高めるために使用され得る。アスペルギルスフラブス（Ａｓｐｅｒｇｉｌｌｕｓ  ｆｌａｖｕｓ）の対照についても同様の結果が観察された（データ示さず）。
【０２２１】
実施例１５
バチルス・ベレゼンシスＲＴＩ３０１単離株による新規代謝産物の同定
フェンギシン型代謝産物およびデヒドロキシフェンギシン型代謝産物の５つのクラスが、バチルス・ベレゼンシスを含む微生物種によって産生されることが以前に報告されている（例えば、  Ｌｉ，  Ｘｉｎｇ−Ｙｕ，  ｅｔ  ａｌ．  ，  ２０１３，  Ｊ．  Ｍｉｃｒｏｂｉｏｌ．  Ｂｉｏｔｅｃｈｎｏｌ．  ２３（３），  ３１３−３２１；  Ｐｅｃｃｉ  Ｙ，  ｅｔ  ａｌ．  ２０１０，  Ｍａｓｓ  Ｓｐｅｃｔｒｏｍ．，  ４５（７）：７７２−７７を参照）。これらの代謝産物、環状リポペプチドは、脂肪酸基も含む環状ペプチド分子である。フェンギシンおよびデヒドロキシフェンギシン型代謝産物の５つのクラスは、Ａ、Ｂ、Ｃ、ＤおよびＳと呼ばれる。これらの代謝産物の骨格構造および５つのクラスのそれぞれのための特定のアミノ酸配列を図１０に示す。
【０２２２】
バチルス・ベレゼンシスＲＴＩ３０１によって産生されたフェンギシンおよびデヒドロキシフェンギシン型代謝産物を、ＵＨＰＬＣ−ＴＯＦ  ＭＳを用いて分析した。３０℃でＭ２培地中で６日成長させた後にＲＴＩ３０１株によって産生されたフェンギシン型代謝産物の分子量を、フェンギシンおよびデヒドロキシフェンギシン型代謝産物について予想される理論的分子量と比較した。さらに、ＲＴＩ３０１株によって産生された種々のフェンギシン型代謝産物のアミノ酸組成を決定するために、ＵＨＰＬＣ−ＴＯＦ  ＭＳによって以前に同定されたフェンギシン型代謝産物のそれぞれについてＬＣ−ＭＳ−ＭＳを用いたペプチド配列決定を行った。このようにして、バチルス・ベレゼンシスＲＴＩ３０１は、フェンギシンＡ、ＢおよびＣならびにデヒドロキシフェンギシンＡ、ＢおよびＣを産生することが決定された。驚くべきことに、これらの既知の化合物に加えて、ＲＴＩ３０１株もまた、これらの化合物の以前に同定されていない誘導体を産生することも決定された。
【０２２３】
例えば、バチルス・ベレゼンシスＲＴＩ３０１株は、環状ペプチド鎖の８位のＬ−イソロイシン（図１０のＸ３と呼ぶ）がＬ−メチオニンに置き換えられている、フェンギシン様およびデヒドロキシフェンギシン様化合物を産生することが決定される。フェンギシンおよびデヒドロキシフェンギシンの新しいクラスは、本明細書ではＭＡ、ＭＢおよびＭＣと称され、図１０のＸ３におけるＬ−イソロイシンが、Ｌ−メチオニンにより置換されているクラスＡ、ＢおよびＣの誘導体を指す。新たに同定された分子を以下の図１０および表ＸＩＩＩにおいて太字で示す。
【０２２４】
ＲＴＩ３０１株は、以前に同定されていない追加のクラスのフェンギシンおよびデヒドロキシフェンギシンを産生することがさらに判明した。このクラスでは、フェンギシンＢおよびデヒドロキシフェンギシンＢのＬ−イソロイシン（図１０の位置Ｘ３）がＬ−ホモシステイン（Ｈｃｙ）により置き換えられている。これらの以前に同定されていないフェンギシンおよびデヒドロキシフェンギシン代謝産物は、本明細書では、フェンギシンＨおよびデヒドロキシフェンギシンＨと呼ばれ、図６および表ＸＩＩＩに示されている。  
【０２２５】
ＲＴＩ３０１株は、以前に同定されていないフェンギシンおよびデヒドロキシフェンギシン代謝産物のさらなるクラスを産生することがさらに判明した。このクラスでは、環状ペプチド骨格構造の４位のアミノ酸（図１０の位置Ｘ１）がＬ−イソロイシンにより置換されている。これらの以前に同定されていない代謝産物は、本明細書では、フェンギシンＩおよびデヒドロキシフェンギシンＩと呼ばれ、図１０および表ＸＩＩＩに示されている。
【０２２６】
以前に報告されたフェンギシンおよびデヒドロキシフェンギシン型リポペプチドおよび新たに同定された代謝産物のアミノ酸配列の要約を以下の表ＸＩＩＩに示す。
【表１３】
2018502111.tif 000015
【０２２７】
実施例１６
ＲＴＩ３０１の単離されたリポペプチド代謝産物の抗菌活性
Ｂ．ベレゼンシス株ＲＴＩ３０１由来の拮抗性リポペプチドをＲＴＩ３０１使用済み発酵ブロスから単離し、それらの活性を保持することが示された。
【０２２８】
この実験では、Ｓｍｙｔｈ，  ＴＪＰ  ｅｔ  ａｌ．，  ２０１０，  “Ｉｓｏｌａｔｉｏｎ  ａｎｄ  Ａｎａｌｙｓｉｓ  ｏｆ  Ｌｉｐｏｐｅｐｔｉｄｅｓ  ａｎｄ  Ｈｉｇｈ  Ｍｏｌｅｃｕｌａｒ  Ｗｅｉｇｈｔ  Ｂｉｏｓｕｒｆａｃｔａｎｔｓ．”  Ｉｎ：  Ｈａｎｄｂｏｏｋ  ｏｆ  Ｈｙｄｒｏｃａｒｂｏｎ  ａｎｄ  Ｌｉｐｉｄ  Ｍｉｃｒｏｂｉｏｌｏｇｙ，  Ｋ．  Ｎ．  Ｔｉｍｍｉｓ  （Ｅｄｉｔｏｒ）．  ｐｐ  ３６８７−３７０４に記載の手順に従って、バチルス・ベレゼンシスＲＴＩ３０１培養上清をｐＨ２に酸性化した。リポペプチドの回収物をＵＨＰＬＣ−ＴＯＦ  ＭＳで分析し、ボトリチス・シネレアおよびフザリウム・グラミネアラムに対するそれらの拮抗活性を試験した。
【０２２９】
ＲＴＩ３０１をＭ２胞子形成培地で３０℃で６日間培養し、使用済み発酵ブロス（３０１−ＳＦＢ）を１８，５１４ｇで２０分間遠心分離して胞子を除去した。その後、上清を濃ＨＣｌの添加によりｐＨ２．０に酸性化し、４℃で一晩沈殿させた。その後、サンプルを１８，５１４ｇで２０分間遠心分離して、固体の粗リポペプチドを得た。ペレットを一晩凍結乾燥し、元の体積のＭ２培地に溶解し、ＬＣＭＳで分析した。イツリン（ｉｔｕｒｉｎ）（Ｃ１４、Ｃ１５、Ｃ１６）、サーファクチン（Ｃ１２、Ｃ１３、Ｃ１４、Ｃ１５、Ｃ１６、Ｃ１７）、フェンギシン（Ａ、Ｂ、Ｃ、Ｄ、Ｓ）の塊を抽出し、各サンプルからのリポペプチドの相対存在量を比較してまとめた。図１１は、酸沈殿後のＲＴＩ３０１使用済み発酵ブロス（ＳＦＢ）から回収されたリポペプチドのパーセンテージを示すグラフである。用語「３０１−ＡＰ−ペレット」および「３０１−ＡＰ−上清」は、遠心分離したＳＦＢの酸沈殿後に得られた再懸濁ペレットおよび上清をそれぞれ意味する。図１１のグラフの結果は、リポペプチドの全量の８０％が酸沈殿によって回収されたことを示す。イツリンについては３５％が沈殿したが、イツリンの５９％は酸沈殿法によって回収されなかった。サーファクチンおよびフェンギシンは、酸沈殿を用いて１００％回収された。  
【０２３０】
ＬＣＭＳの結果がアンタゴニスト活性と相関することを確認するために、同じサンプルをＬＣＭＳで分析してバイオアッセイを行った。バイオアッセイのために、２０μｌのボトリチス・シネレアまたはフザリウム・グラミネアラム接種物を、プレートの中央にスポットし、３０１−ＡＰペレットサンプルを１０μｌ、２０μｌおよび４０μｌのアリコートにスポットした。ボトリチス・シネレアおよびフザリウム・グラミネアラム接種物について、３０℃で５日間または７日間のインキュベーション後に、抗真菌活性をチェックした。その結果は、酸沈殿したサンプル（３０１−ＡＰ−ペレット）が、ボトリチス・シネレアおよびフザリウム・グラミネアラムの両方に対する出発使用済み発酵ブロスと同様のレベルの拮抗活性を有することを示した。バイオアッセイの結果は、ＬＣＭＳデータとよく相関している。
【０２３１】
参考文献
本明細書に記載されている全ての刊行物、特許出願、特許および他の参考文献は、参照によりその全体が本明細書に組み込まれる。
【０２３２】
前述の主題は、理解を明確にするために例示および実施例によってある程度詳細に記載されているが、添付の特許請求の範囲内である種の変更および改変を実施できることは当業者には理解されるであろう。
【０２３３】
（付記）
（付記１）
植物成長に利益を与え、または感受性植物において病原体感染に対する保護を与えることの１つまたは両方を植物に適用するための、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物を含む組成物。
【０２３４】
（付記２）
前記植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示される、付記１の組成物。
【０２３５】
（付記３）
前記組成物は、液体、粉剤、乾燥水和性粉末剤、展延性顆粒剤、または乾燥水和性顆粒剤の形態である、付記１の組成物。
【０２３６】
（付記４）
前記組成物は液体の形態であり、バチルス・ベレゼンシスＲＴＩ３０１は、約１．０×１０８ＣＦＵ／ｍｌ〜約１．０×１０１２ＣＦＵ／ｍｌの濃度で存在する、付記１の組成物。
【０２３７】
（付記５）
前記組成物は、粉剤、乾燥水和性粉末剤、展延性顆粒剤、または乾燥水和性顆粒剤の形態であり、バチルス・ベレゼンシスＲＴＩ３０１は、約１．０×１０８ＣＦＵ／ｇ〜約１．０×１０１２ＣＦＵ／ｇの量で存在する、付記１の組成物。
【０２３８】
（付記６）
前記組成物は、油分散体の形態であり、バチルス・ベレゼンシスＲＴＩ３０１は、約１．０×１０８ＣＦＵ／ｍｌ〜約１．０×１０１２ＣＦＵ／ｍｌの濃度で存在する、付記１の組成物。
【０２３９】
（付記７）
前記バチルス・ベレゼンシスＲＴＩ３０１は、胞子または栄養細胞の形態である、付記１の組成物。
【０２４０】
（付記８）
植物成長に利益を与え、および／または感受性植物において病原体感染に対する保護を与えるのに適した量で存在する、微生物学的、生物学的もしくは化学的な、殺虫剤、殺真菌剤、殺線虫剤、殺細菌剤、除草剤、植物抽出物、植物成長調整剤または肥料の１つまたは組み合わせをさらに含む、付記１の組成物。
【０２４１】
（付記９）
担体、界面活性剤、分散剤、または酵母抽出物の１つまたは組合せをさらに含む、付記１の組成物。
【０２４２】
（付記１０）
前記組成物は、植付用の基盤（ｍａｔｒｉｘ）の形態である、付記１の組成物。
【０２４３】
（付記１１）
前記植付用の基盤は、鉢植え用の土の形態である、付記１０の組成物。
【０２４４】
（付記１２）
植物成長に利益を与え、および／または感受性植物において病原体感染に対する保護を与えるのに適した量で存在する、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物の胞子、を含む組成物で被覆された植物種子。
【０２４５】
（付記１３）
前記植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示される、付記１２の植物種子。
【０２４６】
（付記１４）
前記組成物は、約１．０×１０２ＣＦＵ／種子〜約１．０×１０９ＣＦＵ／種子の量のバチルス・ベレゼンシス胞子を含む、付記１２の植物種子。
【０２４７】
（付記１５）
前記種子は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、または芝草（Ｔｕｒｆ  ｇｒａｓｓ）の種子を含む、付記１２の植物種子。
【０２４８】
（付記１６）
前記植物は、ドライビーン、コーン、小麦、大豆、キャノーラ、米、キュウリ、ペッパー、トマト、スカッシュ、綿、草、または芝草を含む、付記１５の植物種子。
【０２４９】
（付記１７）
前記組成物は、植物成長に利益を与え、および／または感受性植物において病原体感染に対する保護を与えるのに適した量で存在する、微生物学的、生物学的もしくは化学的な、殺虫剤、殺真菌剤、殺線虫剤、殺細菌剤、または植物成長調整剤の１つまたは組み合わせをさらに含む、付記１２の植物種子。
【０２５０】
（付記１８）
前記植物成長に利益を与え、および／または感受性植物において病原体感染に対する保護を与えるのに適した量で、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物、ならびに、
前記植物成長に利益を与え、および／または感受性植物において病原体感染に対する保護を与えるのに適した量で、微生物学的、生物学的もしくは化学的な、殺虫剤、殺真菌剤、殺線虫剤、殺細菌剤、除草剤、植物抽出物、植物成長調整剤または肥料の１つまたは組み合わせを含む、
植物成長に利益を与えること、または感受性植物において病原体感染に対する保護を与えることの１つまたは両方のための組成物。
【０２５１】
（付記１９）
前記植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示される、付記１８の組成物。
【０２５２】
（付記２０）
前記組成物は液体の形態であり、バチルス・ベレゼンシスＲＴＩ３０１は、約１．０×１０８ＣＦＵ／ｍｌ〜約１．０×１０１２ＣＦＵ／ｍｌの濃度で存在する、付記１８の組成物。
【０２５３】
（付記２１）
前記組成物は、粉剤、乾燥水和性粉末剤、展延性顆粒剤、または乾燥水和性顆粒剤の形態であり、バチルス・ベレゼンシスＲＴＩ３０１は、約１．０×１０８ＣＦＵ／ｇ〜約１．０×１０１２ＣＦＵ／ｇの量で存在する、付記１８の組成物。
【０２５４】
（付記２２）
前記組成物は、油分散体の形態であり、バチルス・ベレゼンシス  ＲＴＩ３０１は、約１．０×１０８ＣＦＵ／ｍｌ〜約１．０×１０１２ＣＦＵ／ｍｌの濃度で存在する、付記１８の組成物。
【０２５５】
（付記２３）
前記バチルス・ベレゼンシスＲＴＩ３０１は、胞子または栄養細胞の形態である、付記１８の組成物。
【０２５６】
（付記２４）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、付記１８の組成物。
【０２５７】
（付記２５）
ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物の胞子を含む組成物を、植物成長に利益を与え、および／または感受性植物において病原体感染に対する保護を与えるのに適した量で、植物の葉、植物の樹皮、植物の果実、植物の花、植物の種子、植物の根、植物の切断片、植物の移植片、植物のカルス組織、植物の周囲の土壌または成長培地、植物の種子を播種する前の土壌もしくは成長培地、または植物、植物切断片、植物移植片、植物カルス組織を植える前の土壌もしくは成長培地に送達することを含む、植物成長に利益を与えることまたは感受性植物において病原体感染に対する保護を与えることの１つまたは両方のための方法。
【０２５８】
（付記２６）
前記組成物が前記植物の葉に送達される、付記２５の方法。
【０２５９】
（付記２７）
前記植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示される、付記２５の方法。
【０２６０】
（付記２８）
前記バチルス・ベレゼンシスＲＴＩ３０１は、約１．０×１０１０ＣＦＵ／ｈａ〜約１．０×１０１４ＣＦＵ／ｈａの割合で送達される、付記２５の方法。
【０２６１】
（付記２９）
前記バチルス・ベレゼンシスＲＴＩ３０１は、胞子または栄養細胞の形態である、付記２５の方法。
【０２６２】
（付記３０）
前記組成物は、液体、粉剤、乾燥水和性粉末剤、展延性顆粒剤、乾燥水和性顆粒剤、または油分散体の形態である、付記２５の方法。
【０２６３】
（付記３１）
前記組成物は、前記植物成長に利益を与え、および／または感受性植物において病原体感染に対する保護を与えるのに適した量で存在する、微生物学的、生物学的もしくは化学的な、殺虫剤、殺真菌剤、殺線虫剤、殺細菌剤、除草剤、植物抽出物、植物成長調整剤または肥料の１つまたは組み合わせをさらに含む、付記２５の方法。
【０２６４】
（付記３２）
前記組成物は、担体、界面活性剤、分散剤、または酵母抽出物の１つまたは組合せをさらに含む、付記２５の方法。
【０２６５】
（付記３３）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、付記２５の方法。
【０２６６】
（付記３４）
前記植物は、大豆、豆、スナップ豆、小麦、綿、コーン、ペッパー、トマト、ジャガイモ、キャッサバ、ブドウ、イチゴ、バナナ、ピーナッツ、スカッシュ、カボチャ、ナス、またはキュウリを含む、付記３３の方法。
【０２６７】
（付記３５）
前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、���ンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせによって引き起こされる、付記２５の方法。
【０２６８】
（付記３６）
前記病原体感染は、
大豆さび菌（ファコプソラ・パキリジ、ファコプソラ・メイボミエ）によって引き起こされ、前記植物は大豆を含む、
ボトリチス・シネレア（ボトリチス病害）によって引き起こされ、前記植物はブドウを含む、
ボトリチス・シネレア（ボトリチス病害）によって引き起こされ、前記植物はイチゴを含む、
ボトリチス・シネレア（ボトリチス病害）によって引き起こされ、前記植物はトマトを含む、
アルテルナリア属種（例えば、Ａ．ソラニ）によって引き起こされ、前記植物はトマトを含む、
アルテルナリア属種（例えば、Ａ．ソラニ）によって引き起こされ、前記植物はジャガイモを含む、
豆さび（ウロマイセス・アペンディキュラタス）によって引き起こされ、前記植物は一般的な豆を含む、
ミクロスファエラ・ディフサ（大豆うどんこ病）によって引き起こされ、前記植物は大豆を含む、
マイコスフェレラ・フィジエンシス（ブラックシガトガ（Ｂｌａｃｋ  ｓｉｇａｔｏｇａ））またはフザリウム・オキシスポラムｆ属種キューベンセ（パナマ病）によって引き起こされ、前記植物はバナナを含む、
キサントモナス属種またはキサントモナス・オリゼ・パソバー・オリゼによって引き起こされ、前記植物は米を含む、
キサントモナス・アクソノポディスによって引き起こされ、前記植物はキャッサバを含む、
キサントモナス・カンペストリスによって引き起こされ、前記植物はトマトを含む、
ボトリチス・シネレア（ペッパー・ボトリチス病害）によって引き起こされ、前記植物はペッパーを含む、
うどんこ病によって引き起こされ、前記植物はククルビットを含む、
スクレロチニア・スクレロチオラム（白かび）によって引き起こされ、前記植物はスナップ豆を含む、
スクレロチニア・スクレロチオラム（白かび）によって引き起こされ、前記植物はジャガイモを含む、
スクレロチニア・ホメオカルパ（ドラースポット）によって引き起こされ、前記植物は芝草を含む、
サザン白かびによって引き起こされ、前記植物はピーナツを含む、
リーフ・スポット（セルコスポラ／セルコスポリディウム）によって引き起こされ、前記植物はピーナツを含む、
フザリウム・グラミネアラム（小麦頭部腐敗病）によって引き起こされ、前記植物は小麦を含む、
マイコスフェレラ・グラミノコラ（セプトリア・トリチシ・ブロッチ（Ｓｅｐｔｏｒｉａ  ｔｒｉｔｉｃｉ  ｂｌｏｔｃｈ））によって引き起こされ、前記植物は小麦を含む、
スタゴノスポラ・ノドラム（グルメ・ブロッチ（ｇｌｕｍｅ  ｂｌｏｔｃｈ）およびセプトリア・ノドラム・ブロッチ（ｓｅｐｔｏｒｉａ  ｎｏｄｏｒｕｍ  ｂｌｏｔｃｈ））によって引き起こされ、前記植物は小麦を含む、
エルウィニア・アミロボラによって引き起こされ、前記植物は、リンゴ、ナシおよび他のナシ果実を含む、
ベンチュリア・イネキュアリスによって引き起こされ、前記植物はリンゴ、ナシおよび他のナシ果実を含む、または、
リゾクトニア・ソラニによって引き起こされ、前記植物は、小麦、米、芝草、大豆、コーン、マメ科植物および野菜作物を含む、
場合の１つまたは組み合わせにより引き起こされる、付記３５の方法。
【０２６９】
（付記３７）
前記植物の種子を植えること、または前記植物の植物性切断片／組織を適切な成長培地に再生することを含み、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物を含む組成物で、前記種子が被覆されているまたは前記植物性切断片／組織が接種され、前記種子または前記植物性切断片／組織から植物の成長に利益が与えられ、および／または病原体感染に対する保護が与えられる、植物成長に利益を与えることまたは感受性植物において病原体感染に対する保護を与えることの１つまたは両方のための方法。
【０２７０】
（付記３８）
前記植物の成長利益は、改善された苗の活力、改善された根の発達、改善された植物成長、改善された植物の健康、増加した収量、改善された外観、植物病原体に対する改善された耐性、病原体感染の減少、またはそれらの組み合わせにより示される、付記３７の方法。
【０２７１】
（付記３９）
前記バチルス・ベレゼンシスＲＴＩ３０１は、約１．０×１０２ＣＦＵ／種子〜約１．０×１０９ＣＦＵ／種子の量で胞子の形態に存在する、付記３７の方法。
【０２７２】
（付記４０）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、付記３７の方法。
【０２７３】
（付記４１）
前記植物は、大豆、豆、スナップ豆、小麦、綿、コーン、ペッパー、トマト、ジャガイモ、キャッサバ、ブドウ、イチゴ、バナナ、ピーナッツ、スカッシュ、カボチャ、ナス、またはキュウリを含む、付記４０の方法。
【０２７４】
（付記４２）
前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、���ンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせによって引き起こされる、付記３７の方法。
【０２７５】
（付記４３）
前記組成物は、植物成長に利益を与え、および／または感受性植物において病原体感染に対する保護を与えるのに適した量で存在する、微生物学的、生物学的もしくは化学的な、殺虫剤、殺真菌剤、殺線虫剤、殺細菌剤、または植物成長調整剤の１つまたは組み合わせをさらに含む、付記３７の方法。
【０２７６】
（付記４４）
前記植物成長に利益を与え、および／または感受性植物において病原体感染に対する保護を与えるのに適した量でＡＴＣＣ番号ＰＴＡ−１２１１６５として寄託されたバチルス・ベレゼンシスＲＴＩ３０１、またはその全ての同定特徴を有するその突然変異体の生物学的に純粋な培養物の胞子を含む第１組成物；ならびに、
前記植物成長に利益を与え、および／または感受性植物において病原体感染に対する保護を与えるのに適した量で微生物学的、生物学的もしくは化学的な、殺虫剤、殺真菌剤、殺線虫剤、殺細菌剤、除草剤、植物抽出物、植物成長調整剤または肥料の１つまたは組み合わせを含む第２組成物、
の組み合わせを、
植物の葉、植物の樹皮、植物の果実、植物の花、植物の種子、植物の根、植物の切断片、植物の移植片、植物のカルス組織、植物の周囲の土壌または成長培地、植物の種子を播種する前の土壌もしくは成長培地、または植物、植物切断片、植物移植片、植物カルス組織を植える前の土壌もしくは生育培地に送達することを含む、植物成長に利益を与えることまたは感受性植物において病原体感染に対する保護を与えることの１つまたは両方のための方法。
【０２７７】
（付記４５）
前記組成物が前記植物の葉に送達される、付記４４の方法。
【０２７８】
（付記４６）
前記第１組成物は、担体、界面活性剤、分散剤、または酵母抽出物の１つまたは組合せを含む、付記４５の方法。
【０２７９】
（付記４７）
前記植物の成長利益および／または付与された保護は、改善された苗の活力、改善された根の発達、改善された植物健康、増加した植物質量、増加した収量、改善された外観、植物病原体に対する改善された耐性、病原体感染の減少、またはそれらの組み合わせにより示される、付記４４の方法。
【０２８０】
（付記４８）
前記植物成長に利益を与え、および／または保護を与えるのに適した量は、約１．０×１０１０ＣＦＵ／ｈａ〜約１．０×１０１４ＣＦＵ／ｈａのバチルス・ベレゼンシスＲＴＩ３０１である、付記４４の方法。
【０２８１】
（付記４９）
前記バチルス・ベレゼンシスＲＴＩ３０１は、胞子または栄養細胞の形態である、付記４４の方法。
【０２８２】
（付記５０）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、付記４４の方法。
【０２８３】
（付記５１）
前記植物は、大豆、豆、スナップ豆、小麦、綿、コーン、ペッパー、トマト、ジャガイモ、キャッサバ、ブドウ、イチゴ、バナナ、ピーナッツ、スカッシュ、カボチャ、ナス、またはキュウリを含む、付記５０の方法。
【０２８４】
（付記５２）
前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、���ンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせによって引き起こされる、付記５０の方法。
【０２８５】
（付記５３）
前記病原体感染は、
大豆さび菌（ファコプソラ・パキリジ、ファコプソラ・メイボミエ）によって引き起こされ、前記植物は大豆を含む、
ボトリチス・シネレア（ボトリチス病害）によって引き起こされ、前記植物はブドウを含む、
ボトリチス・シネレア（ボトリチス病害）によって引き起こされ、前記植物はイチゴを含む、
ボトリチス・シネレア（ボトリチス病害）によって引き起こされ、前記植物はトマトを含む、
アルテルナリア属種（例えば、Ａ．ソラニ）によって引き起こされ、前記植物はトマトを含む、
アルテルナリア属種（例えば、Ａ．ソラニ）によって引き起こされ、前記植物はジャガイモを含む、
豆さび（ウロマイセス・アペンディキュラタス）によって引き起こされ、前記植物は一般的な豆を含む、
ミクロスファエラ・ディフサ（大豆うどんこ病）によって引き起こされ、前記植物は大豆を含む、
マイコスフェレラ・フィジエンシス（ブラックシガトガ（Ｂｌａｃｋ  ｓｉｇａｔｏｇａ））またはフザリウム・オキシスポラムｆ属種キューベンセ（パナマ病）によって引き起こされ、前記植物はバナナを含む、
キサントモナス属種またはキサントモナス・オリゼ・パソバー・オリゼによって引き起こされ、前記植物は米を含む、
キサントモナス・アクソノポディスによって引き起こされ、前記植物はキャッサバを含む、
キサントモナス・カンペストリスによって引き起こされ、前記植物はトマトを含む、
ボトリチス・シネレア（ペッパー・ボトリチス病害）によって引き起こされ、前記植物はペッパーを含む、
うどんこ病によって引き起こされ、前記植物はククルビットを含む、
スクレロチニア・スクレロチオラム（白かび）によって引き起こされ、前記植物はスナップ豆を含む、
スクレロチニア・スクレロチオラム（白かび）によって引き起こされ、前記植物はジャガイモを含む、
スクレロチニア・ホメオカルパ（ドラースポット）によって引き起こされ、前記植物は芝草を含む、
サザン白かびによって引き起こされ、前記植物はピーナツを含む、
リーフ・スポット（セルコスポラ／セルコスポリディウム）によって引き起こされ、前記植物はピーナツを含む、
フザリウム・グラミネアラム（小麦頭部腐敗病）によって引き起こされ、前記植物は小麦を含む、
マイコスフェレラ・グラミノコラ（セプトリア・トリチシ・ブロッチ（Ｓｅｐｔｏｒｉａ  ｔｒｉｔｉｃｉ  ｂｌｏｔｃｈ））によって引き起こされ、前記植物は小麦を含む、
スタゴノスポラ・ノドラム（グルメ・ブロッチ（ｇｌｕｍｅ  ｂｌｏｔｃｈ）およびセプトリア・ノドラム・ブロッチ（ｓｅｐｔｏｒｉａ  ｎｏｄｏｒｕｍ  ｂｌｏｔｃｈ））によって引き起こされ、前記植物は小麦を含む、
エルウィニア・アミロボラによって引き起こされ、前記植物は、リンゴ、ナシおよび他のナシ果実を含む、
ベンチュリア・イネキュアリスによって引き起こされ、前記植物はリンゴ、ナシおよび他のナシ果実を含む、または、
リゾクトニア・ソラニによって引き起こされ、前記植物は、小麦、米、芝草、大豆、コーン、マメ科植物および野菜作物を含む、
場合の１つまたは組み合わせにより引き起こされる、付記５２の方法。
【０２８６】
（付記５４）
前記植物成長に利益を与え、および／または感受性植物において病原体感染に対する保護を与えるのに適した量で、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物、ならびに、
前記植物成長に利益を与え、および／または感受性植物において病原体感染に対する保護を与えるのに適した量で微生物学的、生物学的もしくは化学的な、殺虫剤、殺真菌剤、殺線虫剤、殺細菌剤、除草剤、植物抽出物、植物成長調整剤または肥料の１つまたは組み合わせ、
を含む組成物を、
植物の葉、植物の樹皮、植物の果実、植物の花、植物の種子、植物の根、植物の切断片、植物の移植片、植物のカルス組織、植物の周囲の土壌または成長培地、植物の種子を播種する前の土壌もしくは成長培地、または植物、植物切断片、植物移植片、植物カルス組織を植える前の土壌もしくは生育培地に送達することを含む、植物成長に利益を与えることまたは感受性植物において病原体感染に対する保護を与えることの１つまたは両方のための方法。
【０２８７】
（付記５５）
前記組成物が前記植物の葉に送達される、付記５４の方法。
【０２８８】
（付記５６）
前記植物の成長利益および／または病原体感染に対する付与された保護は、改善された苗の活力、改善された根の発達、改善された植物健康、増加した植物質量、増加した収量、改善された外観、植物病原体に対する改善された耐性、病原体感染の減少、またはそれらの組み合わせにより示される、付記５４の方法。
【０２８９】
（付記５７）
前記バチルス・ベレゼンシスＲＴＩ３０１は、胞子または栄養細胞の形態である、付記５４の方法。
【０２９０】
（付記５８）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、付記５４の方法。
【０２９１】
（付記５９）
前記植物は、大豆、豆、スナップ豆、小麦、綿、コーン、ペッパー、トマト、ジャガイモ、キャッサバ、ブドウ、イチゴ、バナナ、ピーナッツ、スカッシュ、カボチャ、ナス、またはキュウリを含む、付記５８の方法。
【０２９２】
（付記６０）
前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、���ンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせによって引き起こされる、付記５４の方法。
【０２９３】
（付記６１）
前記病原体感染は、
大豆さび菌（ファコプソラ・パキリジ、ファコプソラ・メイボミエ）によって引き起こされ、前記植物は大豆を含む、
ボトリチス・シネレア（ボトリチス病害）によって引き起こされ、前記植物はブドウを含む、
ボトリチス・シネレア（ボトリチス病害）によって引き起こされ、前記植物はイチゴを含む、
ボトリチス・シネレア（ボトリチス病害）によって引き起こされ、前記植物はトマトを含む、
アルテルナリア属種（例えば、Ａ．ソラニ）によって引き起こされ、前記植物はトマトを含む、
アルテルナリア属種（例えば、Ａ．ソラニ）によって引き起こされ、前記植物はジャガイモを含む、
豆さび（ウロマイセス・アペンディキュラタス）によって引き起こされ、前記植物は一般的な豆を含む、
ミクロスファエラ・ディフサ（大豆うどんこ病）によって引き起こされ、前記植物は大豆を含む、
マイコスフェレラ・フィジエンシス（ブラックシガトガ（Ｂｌａｃｋ  ｓｉｇａｔｏｇａ））またはフザリウム・オキシスポラムｆ属種キューベンセ（パナマ病）によって引き起こされ、前記植物はバナナを含む、
キサントモナス属種またはキサントモナス・オリゼ・パソバー・オリゼによって引き起こされ、前記植物は米を含む、
キサントモナス・アクソノポディスによって引き起こされ、前記植物はキャッサバを含む、
キサントモナス・カンペストリスによって引き起こされ、前記植物はトマトを含む、
ボトリチス・シネレア（ペッパー・ボトリチス病害）によって引き起こされ、前記植物はペッパーを含む、
うどんこ病によって引き起こされ、前記植物はククルビットを含む、
スクレロチニア・スクレロチオラム（白かび）によって引き起こされ、前記植物はスナップ豆を含む、
スクレロチニア・スクレロチオラム（白かび）によって引き起こされ、前記植物はジャガイモを含む、
スクレロチニア・ホメオカルパ（ドラースポット）によって引き起こされ、前記植物は芝草を含む、
サザン白かびによって引き起こされ、前記植物はピーナツを含む、
リーフ・スポット（セルコスポラ／セルコスポリディウム）によって引き起こされ、前記植物はピーナツを含む、
フザリウム・グラミネアラム（小麦頭部腐敗病）によって引き起こされ、前記植物は小麦を含む、
マイコスフェレラ・グラミノコラ（セプトリア・トリチシ・ブロッチ（Ｓｅｐｔｏｒｉａ  ｔｒｉｔｉｃｉ  ｂｌｏｔｃｈ））によって引き起こされ、前記植物は小麦を含む、
スタゴノスポラ・ノドラム（グルメ・ブロッチ（ｇｌｕｍｅ  ｂｌｏｔｃｈ）およびセプトリア・ノドラム・ブロッチ（ｓｅｐｔｏｒｉａ  ｎｏｄｏｒｕｍ  ｂｌｏｔｃｈ））によって引き起こされ、前記植物は小麦を含む、
エルウィニア・アミロボラによって引き起こされ、前記植物は、リンゴ、ナシおよび他のナシ果実を含む、
ベンチュリア・イネキュアリスによって引き起こされ、前記植物はリンゴ、ナシおよび他のナシ果実を含む、または、
リゾクトニア・ソラニによって引き起こされ、前記植物は、小麦、米、芝草、大豆、コーン、マメ科植物および野菜作物を含む、
場合の１つまたは組み合わせにより引き起こされる、付記６０の方法。
【０２９４】
（付記６２）
植物成長に利益を与え、および／または病原体感染に対して保護を与えるのに適した量は、約１．０×１０１０ＣＦＵ／ｈａ〜約１．０×１０１４ＣＦＵ／ｈａのバチルス・ベレゼンシスＲＴＩ３０１である、付記５４の方法。
【０２９５】
（付記６３）
第１組成物および第２組成物を時間間隔を変更しながら別々の適用において感受性植物に送達することを含み、前記第１および第２組成物のそれぞれは、植物における病原体感染に対する保護を与え、または病原体感染を減少させるのに適した量で送達することを含み、
前記第１組成物は、ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物を含み、
前記第２組成物は、殺真菌特性または殺菌特性を有する１つ以上の化学活性剤を含み、
前記第１および第２組成物は、時間間隔を変えながら、植物の葉、植物の樹皮、植物の果実、植物の花、植物の種子、植物の根、植物の切断片、植物の移植片、植物のカルス組織、または植物の周囲の土壌または成長培地の１つもしくは組み合わせに送達され、
病原体感染に対する保護および／または病原体感染を軽減するために必要な化学活性剤（複数可）の総量が低減され、処理に対する耐性の蓄積が最小限に抑えられる、感受性植物において病原体感染に対する保護を与えるたは病原体感染を低減する一方で、処理に対する耐性の蓄積を最小限に抑えることによって、植物成長に利益を与える方法。
【０２９６】
（付記６４）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、付記６３の方法。
【０２９７】
（付記６５）
前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、���ンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせによって引き起こされる、付記６３の方法。
【０２９８】
（付記６６）
前記時間間隔を変更することは、５〜７日間離れている、付記６３の方法。
【０２９９】
（付記６７）
前記第１および第２組成物のそれぞれは、植物の葉、植物の果実、または植物の花に送達される、付記６３の方法。
【０３００】
（付記６８）
前記植物の病原体感染に対する保護を与え、または病原体感染を低減するのに適した量は、約１．０×１０１０ＣＦＵ／ｈａ〜約１．０×１０１４ＣＦＵ／ｈａのバチルス・ベレゼンシスＲＴＩ３０１である、付記６３の方法。
【０３０１】
（付記６９）
前記化学活性剤は、ストロビルリン、トリアゾール、フルトリファロール、テブコナゾール、プロスタコナゾール、エキソキノコナゾール、フルオピラム、クロロタロニル、チオファネート−メチル、水酸化銅殺真菌剤、ＥＤＢＣ系殺真菌剤、マンコゼブ、サクシナーゼデヒドロゲナーゼ（ＳＤＨＩ）殺真菌剤、ビキサフェン、イプロジオン、ジメトモルフ、またはバリフェナラートの１つまたは組み合わせを含む、付記６３の方法。
【０３０２】
（付記７０）
前記化学活性剤は、フルオピラム＋テブコナゾールを含み、ＲＴＩ３０１を含む前記第１組成物の送達は、クロロタロニル殺真菌剤の送達を置き換える、付記６９の方法。
【０３０３】
（付記７１）
前記植物はククルビットを含み、前記病原体感染はうどんこ病によって引き起こされる、付記７０の方法。
【０３０４】
（付記７２）
前記化学活性剤は、チオファナート−メチル殺真菌剤を含み、ＲＴＩ３０１を含む前記第１組成物の送達は、プロチオコナゾール殺真菌剤の送達を置き換える、付記６９の方法。
【０３０５】
（付記７３）
前記化学活性剤は、水酸化銅真菌剤を含み、ＲＴＩ３０１を含む前記第１組成物の送達は、クロロタロニル殺真菌剤の送達を置き換える、付記６９の方法。
【０３０６】
（付記７４）
前記第１組成物は、担体、界面活性剤、分散剤、または酵母抽出物の１つまたは組合せをさらに含む、付記６３の方法。
【０３０７】
（付記７５）
感受性植物において病原体感染に対する保護を与えるのに適切な量の単離されたフェンギシン−ＭＡ化合物、単離されたフェンギシンＭＢ化合物、単離されたフェンギシンＭＣ化合物、単離されたデヒドロキシフェンギシンＭＡ化合物、単離されたデヒドロキシフェンギシンＭＢ化合物、単離されたデヒドロキシフェンギシンＭＣ化合物、単離されたフェンギシンＨ化合物、単離されたデヒドロキシフェンギシンＨ化合物、単離されたフェンギシンＩ化合物、および単離されたデヒドロキシフェンギシンＩ化合物のうちの少なくとも１つを含む組成物であって、該組成物は以下の式を含み、
【化３】
2018502111.tif 000016
式中、ＲはＯＨであり、ｎは８から２０までの範囲であり、ＦＡは直鎖状、イソ、またはアンテイソであり、ならびにフェンギシンＭＡについてＸ１はＡｌａであり、Ｘ２はＴｈｒであり、およびＸ３はＭｅｔであり；フェンギシンＭＢについてＸ１はＶａｌであり、Ｘ２はＴｈｒであり、およびＸ３はＭｅｔであり；フェンギシンＭＣについてＸ１はＡｂａであり、Ｘ２はＴｈｒであり、およびＸ３はＭｅｔであり；フェンギシンＨについてＸ１はＶａｌであり、Ｘ２はＴｈｒであり、およびＸ３はＨｃｙであり；ならびにフェンギシンＩについてＸ１はＩｌｅであり、Ｘ２はＴｈｒであり、およびＸ３はＩｌｅであり；ならびに、
式中、ＲはＨであり、ｎは８から２０までの範囲であり、ＦＡは直鎖状、イソ、またはアンテイソであり、ならびにデヒドロキシフェンギシンＭＡについてＸ１はＡｌａであり、Ｘ２はＴｈｒであり、およびＸ３はＭｅｔであり；デヒドロキシフェンギシンＭＢについてＸ１はＶａｌであり、Ｘ２はＴｈｒであり、およびＸ３はＭｅｔであり；デヒドロキシフェンギシンＭＣについてＸ１はＡｂａであり、Ｘ２はＴｈｒであり、およびＸ３はＭｅｔであり；デヒドロキシフェンギシンＨについてＸ１はＶａｌであり、Ｘ２はＴｈｒであり、およびＸ３はＨｃｙであり；ならびにデヒドロキシフェンギシンＩについてＸ１はＩｌｅであり、Ｘ２はＴｈｒであり、およびＸ３はＩｌｅである、組成物。
【０３０８】
（付記７６）
植物成長に利益を与え、および／または病原体感染に対する保護を与えるのに適した量で存在する、微生物学的、生物学的もしくは化学的な、殺虫剤、殺真菌剤、殺線虫剤、殺細菌剤、除草剤、植物抽出物、ルピナス・アルブス抽出物、ＢＬＡＤポリペプチド、ＢＬＡＤポリペプチドの断片、植物成長調整剤または肥料の１つまたは組み合わせをさらに含む、付記７５の組成物。
【０３０９】
（付記７７）
前記組成物は、液体、粉剤、乾燥水和性粉末剤、展延性顆粒剤、または乾燥水和性顆粒剤の形態である、付記７５の組成物。
【０３１０】
（付記７８）
単離されたフェンギシンＭＡ化合物、単離されたフェンギシンＭＢ化合物、単離されたフェンギシンＭＣ化合物、単離されたデヒドロキシフェンギシンＭＡ化合物、単離されたデヒドロキシフェンギシンＭＢ化合物、単離されたデヒドロキシフェンギシンＭＣ化合物、単離されたフェンギシンＨ化合物、単離されたデヒドロキシフェンギシンＨ化合物、単離されたフェンギシンＩ化合物、および単離されたデヒドロキシフェンギシンＩ化合物のうちの少なくとも１つを含む、ＡＴＣＣ番号ＰＴＡ−１２１１６５として寄託されたバチルス・ベレゼンシスＲＴＩ３０１の生物学的に純粋な培養物の抽出物。
【０３１１】
（付記７９）
付記７５、７６、７７、または７８のいずれか１つの組成物または抽出物の有効量を前記植物もしくは果実に、または前記植物の根の周囲の根もしくは土壌に適用することを含む、病原体感染から植物または果実を保護または処理するための方法。
【０３１２】
（付記８０）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、付記７９の方法。
【０３１３】
（付記８１）
前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、���ンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせによって引き起こされる、付記７９の方法。
【０３１４】
（付記８２）
ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物、およびビフェントリン殺虫剤を含む、植物成長に利益を与える組成物。
【０３１５】
（付記８３）
前記組成物は、液体肥料と相溶性を有する製剤中にある、付記８２の組成物。
【０３１６】
（付記８４）
前記組成物は、水和ケイ酸アルミニウム−マグネシウムおよび少なくとも１つの分散剤をさらに含む、付記８３の組成物。
【０３１７】
（付記８５）
前記ビフェントリン殺虫剤は、０．１ｇ／ｍｌ〜０．２ｇ／ｍｌの範囲の濃度で存在する、付記８３の組成物。
【０３１８】
（付記８６）
前記ビフェントリン殺虫剤は、約０．１７１５ｇ／ｍｌの濃度で存在する、付記８３の組成物。
【０３１９】
（付記８７）
ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物、およびルピナス・アルブス抽出物、ＢＬＡＤポリペプチド、またはＢＬＡＤポリペプチドの断片の１つまたは組合せを含む殺真菌剤を含む、植物成長に利益を与えるための組成物。
【０３２０】
（付記８８）
前記組成物は、約２０％のＢＬＡＤポリペプチドまたはＢＬＡＤポリペプチドの断片を含む、付記８７の組成物。
【０３２１】
（付記８９）
ＡＴＣＣ番号ＰＴＡ−１２１１６５として寄託されたバチルス・ベレゼンシスＲＴＩ３０１、またはその全ての同定特徴を有するその突然変異体の生物学的に純粋な培養物を含む第１組成物、
微生物学的、生物学的もしくは化学的な、殺虫剤、殺真菌剤、殺線虫剤、殺細菌剤、除草剤、植物抽出物、植物成長調整剤または肥料の１つまたは組合せを含む第２組成物、および、
植物の葉、植物の樹皮、植物の果実、植物の花、植物の種子、植物の根、植物の切断片、植物の移植片、植物のカルス組織、植物の周囲の土壌または成長培地、植物の種子を播種する前の土壌または成長培地、または植物、植物切断片、植物移植片、植物カルス組織を植える前の土壌もしくは生育培地に前記第１および第２組成物の組み合わせを、植物成長に利益を与える量で送達するための指示書を、
含み、
前記第１および第２組成物は別々に包装され、各組成物は、植物成長に利益を与えるまたは感受性植物において病原体感染に対する保護を与えることの１つまたは両方に適した量である、
製品。
【０３２２】
（付記９０）
前記殺虫剤は、ピレスロイド、ビフェントリン、テフルトリン、ゼータ−シペルメトリン、有機フォスフェート、クロレトキシフォス、クロルピリホス、テブピリムフォス、シフルトリン、フィプロール（ｆｉｐｒｏｌｅ）、フィプロニル、ニコチノイド、またはクロチアニジンの１つまたは組み合わせである、付記８９の製品。
【０３２３】
（付記９１）
前記第１組成物は、担体、界面活性剤、分散剤、または酵母抽出物の１つまたは組合せをさらに含む、付記８９の製品。
【０３２４】
（付記９２）
前記第１組成物および第２組成物のそれぞれは、液体、粉剤、展延性顆粒剤、乾燥水和性粉末剤または乾燥水和性顆粒剤の形態である、付記８９の製品。
【０３２５】
（付記９３）
前記第１組成物は液体の形態であり、バチルス・ベレゼンシスＲＴＩ３０１は、約１．０×１０８ＣＦＵ／ｍｌ〜約１．０×１０１２ＣＦＵ／ｍｌの濃度で存在する、付記８９の製品。
【０３２６】
（付記９４）
前記第１組成物は、粉剤、乾燥水和性粉末剤、展延性顆粒剤、または乾燥水和性顆粒剤の形態であり、バチルス・ベレゼンシスＲＴＩ３０１は、約１．０×１０８ＣＦＵ／ｇ〜約１．０×１０１２ＣＦＵ／ｇの量で存在する、付記８９の製品。
【０３２７】
（付記９５）
前記第１組成物は、油分散体の形態であり、バチルス・ベレゼンシスＲＴＩ３０１は、約１．０×１０８ＣＦＵ／ｍｌ〜約１．０×１０１２ＣＦＵ／ｍｌの濃度で存在する、付記８９の製品。
【手続補正３】
【補正対象書類名】図面
【補正対象項目名】図１
【補正方法】変更
【補正の内容】
【図１】
2018502111.tif 000017